(57)【特許請求の範囲】
【請求項１】
通信の方法であって、
データリンクグループの第１のデバイスにおいて、前記データリンクグループと関連付けられる近隣認識ネットワーク（ＮＡＮ）の通信の接続設定段階の間または前記ＮＡＮと関連付けられるＮＡＮ発見ウィンドウの間に前記データリンクグループの第２のデバイスから可用性情報を受信することと、ここにおいて、前記接続設定段階がデバイス能力情報の交換を含む、
前記第２のデバイスが前記データリンクグループと関連付けられる送信ウィンドウの間のデータ受信のために利用可能であることを示す前記可用性情報に基づいて、前記送信ウィンドウの間のデータ受信に対する前記第２のデバイスの可用性を決定するためのメッセージ交換を実行することなく前記送信ウィンドウの間に前記第１のデバイスから前記第２のデバイスにデータを送信することと、ここにおいて、前記データは、前記データリンクグループのデバイスに前記第１のデバイスによって提供されるサービスと関連付けられる、
を備える、方法。
【請求項２】
前記第１のデバイスにおいて、前記ＮＡＮに参加するために前記接続設定段階の間に前記第２のデバイスとの関連付けを実行することをさらに備え、前記送信ウィンドウが、前記接続設定段階に続いて発生する、請求項１に記載の方法。
【請求項３】
前記第２のデバイスが第２の送信ウィンドウの間のデータ受信に利用可能であることを示す前記可用性情報に基づいて、前記第２の送信ウィンドウの間のデータ受信に対する前記第２のデバイスの可用性を決定するための第２のメッセージ交換を実行することと、
前記第２のデバイスが前記第２の送信ウィンドウの間に利用可能であることに基づいて、前記第２の送信ウィンドウの間に前記第１のデバイスから前記第２のデバイスに第２のデータを送信することと、
をさらに備える、請求項１に記載の方法。
【請求項４】
前記第２のメッセージ交換がメッセージを前記第１のデバイスから前記第２のデバイスに送信することを含み、前記メッセージが、節電ポール（ＰＳ−ＰＯＬＬ）メッセージ、サービス品質（ＱｏＳ）ヌルメッセージ、アドホックトラフィック指示メッセージ（ＡＴＩＭ）フレーム、アクションフレーム、またはユニキャストメッセージを備える、請求項３に記載の方法。
【請求項５】
前記第２のメッセージ交換が、前記第１のデバイスにおいて、前記第２のデバイスからトリガフレームを受信することを含み、前記トリガフレームが、節電ポール（ＰＳ−ＰＯＬＬ）メッセージ、サービス品質（ＱｏＳ）ヌルフレーム、アドホックトラフィック指示メッセージ（ＡＴＩＭ）フレーム、またはアクションフレームを備える、請求項３に記載の方法。
【請求項６】
前記送信ウィンドウのページングウィンドウの間に前記第１のデバイスから前記第２のデバイスにページングメッセージを送信することをさらに備え、前記ページングメッセージが、前記第１のデバイスから前記データを受信することを予定されているものとして前記第２のデバイスを特定するトラフィックインジケータを含む、請求項１に記載の方法。
【請求項７】
前記トラフィックインジケータが、トラフィック指示マップ（ＴＩＭ）、ブルームフィルタ、媒体アクセス制御（ＭＡＣ）アドレスのリスト、部分ＭＡＣアドレスのリスト、ＭＡＣアドレスのハッシュのリスト、およびアドホックトラフィック指示メッセージ（ＡＴＩＭ）フレームのうちの少なくとも１つを含む、請求項６に記載の方法。
【請求項８】
前記可用性情報が単一のビットを含み、前記単一のビットの値が、前記第２のデバイスが前記データリンクグループに対応する各送信ウィンドウの間に利用可能であるかどうかを示す、請求項１に記載の方法。
【請求項９】
前記可用性情報が、複数のビットを有する特定のフィールドを含み、前記特定のフィールドの値が、前記第２のデバイスが前記データリンクグループに対応する複数のデータウィンドウの各々の間に利用可能であるかどうかを示す、請求項１に記載の方法。
【請求項１０】
前記ＮＡＮに対応する第１のワイヤレスネットワークと関連付けられる同期動作に基づいて、前記第１のデバイスにおいてクロックを同期することをさらに備え、前記データが、前記データリンクグループに対応するデータ送信を含む通信のために指定される第２のワイヤレスネットワークを介して前記第２のデバイスに送信される、請求項１に記載の方法。
【請求項１１】
前記クロックを同期することは、前記第２のデバイスに前記データを送信する前に実行され、前記送信ウィンドウのタイミングは、前記同期されたクロックに基づいて決定される、請求項１０に記載の方法。
【請求項１２】
前記データは、ページングウィンドウに続く前記送信ウィンドウの一部分の間に前記第２のデバイスに送信され、前記ページングウィンドウは、前記データリンクグループのデバイス間のページングメッセージの通信のために指定される前記送信ウィンドウの特定の部分を備え、前記データは、前記ページングウィンドウの間に前記メッセージ交換を実行することなく前記第２のデバイスに送信される、請求項１に記載の方法。
【請求項１３】
プロセッサと、
前記プロセッサに結合されたメモリとを備え、前記メモリが、
データリンクグループと関連付けられる近隣認識ネットワーク（ＮＡＮ）の通信の接続設定段階の間または前記ＮＡＮと関連付けられるＮＡＮ発見ウィンドウの間に前記データリンクグループのデバイスから可用性情報を受信することと、ここにおいて、前記接続設定段階がデバイス能力情報の交換を含む、
前記デバイスが前記データリンクグループと関連付けられる送信ウィンドウの間のデータ受信のために利用可能であることを示す前記可用性情報に基づいて、前記送信ウィンドウの間のデータ受信に対する前記デバイスの可用性を決定するためのメッセージ交換を実行することなく前記送信ウィンドウの間に前記デバイスにデータを送信することと、ここにおいて、前記データは、前記データリンクグループのデバイスに提供されるサービスと関連付けられる、
を備える動作を実行するように前記プロセッサによって実行可能な命令を記憶する、装置。
【請求項１４】
前記動作がさらに、前記送信ウィンドウのページングウィンドウの間にトラフィックインジケータを含むページングメッセージを送信することを備え、前記トラフィックインジケータが、前記データを受信することを予定されているものとして前記デバイスを特定し、前記ページングメッセージが、前記ＮＡＮと関連付けられる第２のワイヤレスネットワークとは異なる第１のワイヤレスネットワークを介して送信される、請求項１３に記載の装置。
【請求項１５】
前記トラフィックインジケータが、トラフィック指示マップ（ＴＩＭ）、ブルームフィルタ、媒体アクセス制御（ＭＡＣ）アドレスのリスト、およびアドホックトラフィック指示メッセージ（ＡＴＩＭ）フレームのうちの少なくとも１つを含む、請求項１４に記載の装置。
【請求項１６】
前記可用性情報が前記デバイスが前記データリンクグループと関連付けられるワイヤレスネットワークをモニタするのに利用可能である１つまたは複数の時間期間を示す特定のフィールドを含む、請求項１３に記載の装置。
【請求項１７】
前記可用性情報が、複数のビットを有する特定のフィールドを含み、前記特定のフィールドの値が、前記デバイスが前記データを受信する前にポーリングメッセージを受信することを要求するかどうかをさらに示す、請求項１３に記載の装置。
【請求項１８】
通信の方法であって、
データリンクグループと関連付けられる近隣認識ネットワーク（ＮＡＮ）の通信の接続設定段階の間または前記ＮＡＮと関連付けられるＮＡＮ発見ウィンドウの間に前記データリンクグループの第１のデバイスから前記データリンクグループの第２のデバイスに可用性情報を送信することと、ここにおいて、前記接続設定段階がデバイス能力情報の交換を含み、前記可用性情報が前記データリンクグループと関連付けられる送信ウィンドウの間の前記第１のデバイスの可用性を示す、
前記送信ウィンドウの間のデータ受信のために前記第１のデバイスが利用可能であることを示す前記可用性情報に基づいて、前記送信ウィンドウの間に前記データを受信するための前記第１のデバイスの可用性の指示を前記第２のデバイスに提供するためのメッセージ交換を実行することなく前記送信ウィンドウの間に前記第２のデバイスから前記第１のデバイスにおいてデータを受信することと、ここにおいて、前記データは、前記データリンクグループのデバイスに前記第２のデバイスによって提供されるサービスと関連付けられる、
を備える、方法。
【請求項１９】
前記第１のデバイスが第２の送信ウィンドウの間に利用可能であることを前記可用性情報が示さないと決定したことに応答して、前記第２のデバイスからメッセージを受信したことに応答して前記第２のデバイスに可用性の第２の指示を提供するための第２のメッセージ交換を実行することをさらに備える、請求項１８に記載の方法。
【請求項２０】
前記メッセージが、ＰＳ−ＰＯＬＬメッセージ、ＱｏＳヌルメッセージ、ＡＴＩＭメッセージ、およびアクションフレームのうちの少なくとも１つを含む、請求項１９に記載の方法。
【請求項２１】
前記第１のデバイスにおいて、前記送信ウィンドウのページングウィンドウの間に前記第２のデバイスからページングメッセージを受信することをさらに備え、前記ページングメッセージが、前記データを受信することを予定されているものとして前記第１のデバイスを特定するトラフィックインジケータを含み、前記ページングウィンドウが、前記データの受信の前に発生する、請求項１８に記載の方法。
【請求項２２】
前記ＮＡＮに参加するために前記接続設定段階の間に前記第２のデバイスとの関連付けを実行することをさらに備え、前記関連付けを実行することが、前記ＮＡＮと関連付けられる第１のワイヤレスネットワークを介して１つまたは複数の関連付け動作を実行することを備え、前記データが、前記データリンクグループと関連付けられる第２のワイヤレスネットワークを介して受信される、請求項１８に記載の方法。
【請求項２３】
前記第１のデバイスが前記接続設定段階の間に前記ＮＡＮの前記データリンクグループに参加し、前記データリンクグループが前記第２のデバイスと１つまたは複数の他のデバイスとを含む、請求項１８に記載の方法。
【請求項２４】
前記可用性情報が、前記第１のデバイスが前記送信ウィンドウの間にトリガフレームを送信することを要求するかどうかを示す特定のフィールドを含む、請求項１８に記載の方法。
【請求項２５】
前記可用性情報を送信することに続いて、および前記データを受信する前に、前記ＮＡＮに対応する第１のワイヤレスネットワークと関連付けられる同期動作に基づいて、前記第１のデバイスにおいてクロックを同期することをさらに備え、前記送信ウィンドウのタイミングが、前記同期されたクロックに基づいて決定され、前記データが、前記データリンクグループに対応するデータ送信を含む通信のために指定される第２のワイヤレスネットワークを介して前記第２のデバイスから受信される、請求項１８に記載の方法。
【請求項２６】
プロセッサと、
前記プロセッサに結合されたメモリとを備え、前記メモリが、
データリンクグループと関連付けられる近隣認識ネットワーク（ＮＡＮ）の通信の接続設定段階の間または前記ＮＡＮと関連付けられるＮＡＮ発見ウィンドウの間に前記データリンクグループの第１のデバイスから前記データリンクグループの第２のデバイスに可用性情報を送信することと、ここにおいて、前記接続設定段階がデバイス能力情報の交換を含み、前記可用性情報が前記データリンクグループと関連付けられる送信ウィンドウの間の前記第１のデバイスの可用性を示す、
前記送信ウィンドウの間のデータ受信のために前記第１のデバイスが利用可能であることを示す前記可用性情報に基づいて、前記送信ウィンドウの間に前記データを受信するための前記第１のデバイスの可用性の指示を前記第２のデバイスに提供するためのメッセージ交換を実行することなく前記送信ウィンドウの間に前記第２のデバイスからデータを受信することと、ここにおいて、前記データは、前記データリンクグループのデバイスに前記第２のデバイスによって提供されるサービスと関連付けられる、
を備える動作を実行するように前記プロセッサによって実行可能な命令を記憶する、装置。
【請求項２７】
前記動作がさらに、前記送信ウィンドウのページングウィンドウの間に前記第２のデバイスからページングメッセージを受信することを備え、前記ページングメッセージが、データを受信することを予定されているものとして前記第１のデバイスを特定するトラフィックインジケータを含む、請求項２６に記載の装置。
【請求項２８】
前記トラフィックインジケータが、トラフィック指示マップ（ＴＩＭ）、ブルームフィルタ、媒体アクセス制御（ＭＡＣ）アドレスのリスト、およびアドホックトラフィック指示メッセージ（ＡＴＩＭ）フレームのうちの少なくとも１つを含む、請求項２７に記載の装置。
【請求項２９】
前記可用性情報が特定のフィールド値および特定のビット値のうちの少なくとも１つを含み、前記特定のフィールド値および前記特定のビット値のうちの前記少なくとも１つの値が、前記第１のデバイスが前記送信ウィンドウの間に利用可能であるかどうかを示す、請求項２６に記載の装置。
【請求項３０】
前記可用性情報が、複数のビットを有する特定のフィールドを含み、前記特定のフィールドの値が、前記第１のデバイスが前記データリンクグループに対応する複数の送信ウィンドウの各送信ウィンドウの間のデータ受信のために利用可能であるかどうかを示す、請求項２６に記載の装置。
【発明の詳細な説明】
【技術分野】
【０００１】
優先権の主張
[0001]本出願は、２０１４年１０月１６日に出願された「ＣＯＭＭＵＮＩＣＡＴＩＯＮ  ＢＥＴＷＥＥＮ  ＤＥＶＩＣＥＳ  ＯＦ  Ａ  ＤＡＴＡ  ＰＡＴＨ  ＧＲＯＵＰ  ＯＦ  Ａ  ＮＥＩＧＨＢＯＲ  ＡＷＡＲＥ  ＮＥＴＷＯＲＫ」（代理人整理番号１４７２３５Ｐ１）という表題の同一所有者の米国仮特許出願第６２／０６４，９０４号、２０１５年１月２９日に出願された「ＣＯＭＭＵＮＩＣＡＴＩＯＮ  ＢＥＴＷＥＥＮ  ＤＥＶＩＣＥＳ  ＯＦ  Ａ  ＮＥＩＧＨＢＯＲ  ＡＷＡＲＥ  ＮＥＴＷＯＲＫ」（代理人整理番号１４７２３５Ｐ２）という表題の米国仮特許出願第６２／１０９，５３０号、２０１５年８月１４日に出願された「ＣＯＭＭＵＮＩＣＡＴＩＯＮ  ＢＥＴＷＥＥＮ  ＤＥＶＩＣＥＳ  ＯＦ  Ａ  ＮＥＩＧＨＢＯＲ  ＡＷＡＲＥ  ＮＥＴＷＯＲＫ」（代理人整理番号１４７２３５Ｐ３）という表題の米国仮特許出願第６２／２０５，４７２号、および２０１５年１０月１４日に出願された「ＣＯＭＭＵＮＩＣＡＴＩＯＮ  ＢＥＴＷＥＥＮ  ＤＥＶＩＣＥＳ  ＯＦ  Ａ  ＮＥＩＧＨＢＯＲ  ＡＷＡＲＥ  ＮＥＴＷＯＲＫ」（代理人整理番号１４７２３５Ｕ２）という表題の米国本特許出願第１４／８８３，４７３号の優先権を主張し、前述の出願の各々の内容の全体が参考として本明細書に明示的に組み込まれる。
【０００２】
[0002]本開示は全般に、近隣認識ネットワーク（ＮＡＮ：neighbor aware network）のデバイス間の通信に関する。
【背景技術】
【０００３】
[0003]技術の進歩は、より小さくより強力なコンピューティングデバイスをもたらしている。たとえば、現在、小型軽量で、ユーザによる携行が容易である、ポータブルワイヤレス電話、携帯情報端末（ＰＤＡ）、およびページングデバイスなどのワイヤレスコンピューティングデバイスを含む、様々なポータブルパーソナルコンピューティングデバイスが存在する。より具体的には、携帯電話およびインターネットプロトコル（ＩＰ）電話などのポータブルワイヤレス電話は、ワイヤレスネットワークを介して音声およびデータパケットを通信することができる。さらに、数多くのそのようなワイヤレス電話が、内蔵されている他のタイプのデバイスを含む。たとえば、ワイヤレス電話が、デジタルスチルカメラと、デジタルビデオカメラと、デジタルレコーダと、オーディオファイルプレーヤとを含むこともある。さらに、そのようなワイヤレス電話は、インターネットにアクセスするために使用され得るウェブブラウザアプリケーションなどのソフトウェアアプリケーションを含む、実行可能命令を処理することができる。したがって、これらのワイヤレス電話は、かなりのコンピューティング能力を含み得る。
【０００４】
[0004]ワイヤレス電話などの電子デバイスは、データを送信して受信するために、または情報を交換するために、ワイヤレス接続を使用してネットワークにアクセスし得る。たとえば、互いに近接しているモバイル電子デバイスは、ワイヤレスネットワークを介してデータ交換を実行するために、メッシュネットワークなどの、インフラストラクチャ不要のピアツーピアワイヤレスネットワークを形成し得る。データ交換は、ワイヤレスキャリア、Ｗｉ−Ｆｉアクセスポイント、および／またはインターネットを関与させることなく実行される。ワイヤレスネットワークが機能するようにするために、特定のワイヤレスチャネルが、ワイヤレスネットワークの電子デバイス間でデータを移送するために確保され得る。たとえば、ワイヤレスネットワークの第１の電子デバイスは、音楽サービスなどのサービスを、ワイヤレスネットワーク中の他の電子デバイスと共有し得る。例として、第１の電子デバイスは、ワイヤレスネットワーク中の第２の電子デバイスに音楽データを送信し得る。第２の電子デバイスが音楽データを受信するために利用可能であるかどうかを決定する、第１の電子デバイスと関連付けられるポーリングメッセージなどのメッセージングトラフィックが、ネットワーク帯域幅を消費することがある。さらに、音楽データを受信することに対する可用性の指示を提供する第２の電子デバイスと関連付けられる肯定応答メッセージなどのメッセージングトラフィックが、ネットワーク帯域幅を消費することがある。
【発明の概要】
【０００５】
[0005]本開示は、近隣認識ネットワーク（ＮＡＮ）における通信に対する可用性の指示を提供するための、システムおよび方法を対象とする。たとえば、デバイス能力情報の交換を含むＮＡＮの通信の関連付け段階の間に、デバイスは、ＮＡＮにおける後続の通信のための可用性情報を提供し得る。代替的に、デバイスは、ＮＡＮ発見ウィンドウの間に、ＮＡＮにおける後続の通信のための可用性情報を提供し得る。この場合、デバイスは、関連付け段階の間にデバイス能力情報を交換しないことがある。さらに、デバイスは、特定のＮＡＮと関連付けるべきかどうかを決定するために、ＮＡＮ発見ウィンドウの間に受信される可用性情報を使用し得る。いくつかの場合、可用性情報に基づいて、メッセージングトラフィックがＮＡＮにおいて減らされ得る。たとえば、メッセージングトラフィックは、ページングウィンドウおよび／またはデータウィンドウの間に減らされ得る。
【０００６】
[0006]説明のための例として、ＮＡＮの通信の関連付け段階の間に（またはＮＡＮ発見ウィンドウの間に）、第１のデバイスは、第２のデバイスがＮＡＮのデータリンクグループの後続のデータウィンドウの間に通信するのに利用可能であるという指示を提供する可用性情報を、第２のデバイスから受信し得る。第１のデバイスは提供者デバイスと呼ばれる場合があり、第２のデバイスは加入者デバイスと呼ばれる場合がある。可用性情報を受信したことに応答して、第１のデバイスが、第２のデバイスをデータの受信者として特定するトラフィック指示メッセージ（トラフィック指示マップ（ＴＩＭ）を含み得る、トラフィックインジケータとも呼ばれる）を含むページングメッセージを（ページングウィンドウの間に）送信するとき、第１のデバイスは、第２のデバイスが利用可能であるという指示を受信するのを待機することなく、または、第２のデバイスの可用性を（たとえば、ＰＳ−ＰＯＬＬなどの機構を介して）決定することなく、データウィンドウの間の第２のデバイスの可用性を示す可用性情報に基づいて、データウィンドウの間にデータを第２のデバイスに送信し得る。この例では、ＮＡＮにおけるポーリングメッセージトラフィックおよびＡＣＫメッセージトラフィックが減らされ得る。さらに、デバイスが、関連付け段階の間の能力交換を介して、デバイスが「常時」利用可能であることを示す場合、送信機は、各データフレームのためのＰＳ−ＰＯＬＬメッセージを送信するのを控え得る。むしろ、データフレームは、各々の集約Ｍａｃプロトコルデータユニット（Ａ−ＭＰＤＵ：Aggregated Mac Protocol Data Unit）のために集約され得る。いくつかのシステムでは、送信機は、各データフレームを送信する前に（すなわち、最初のフレームだけに対してではなく）、受信機の可用性を決定する。そのようなシステムでは、送信機はＰＳ−ＰＯＬＬメッセージを送信し、受信機は送信機がＭＰＤＵを送信する前にＡＣＫを送信機に送信する。本開示では、受信機がＮＡＮのデータリンクグループのデータウィンドウの間に利用可能であることを受信機が（ＮＡＮの関連付け段階の間に）示す場合、そのようなＰＳ−ＰＯＬＬ／ＡＣＫ方式は削除され得る。
【０００７】
[0007]別の説明のための例として、ＮＡＮの通信の関連付け段階の間に（またはＮＡＮ発見ウィンドウの間に）、第１のデバイスは、第１のデバイスがＮＡＮのデータリンクグループの後続のデータウィンドウの間に通信するのに利用可能であるという指示を提供する可用性情報を、第２のデバイスに送信し得る。第１のデバイスは加入者デバイスと呼ばれることがあり、第２のデバイスは提供者デバイスと呼ばれることがある。第１のデバイスは、第１のデバイスをデータの受信者として特定するＴＩＭを含むページングメッセージを、第２のデバイスから受信し得る。第１のデバイスは、ページングメッセージに応答することなく、データウィンドウの間にデータを第２のデバイスから受信し得る。この例では、ＮＡＮにおけるポーリングメッセージトラフィックおよびＡＣＫメッセージトラフィックが減らされ得る。
【０００８】
[0008]本開示はまた、近隣認識ネットワーク（ＮＡＮ）のデータリンクグループ中の電子デバイスが、「将来の」チャネルに対する可用性(availability)または不可用性(unavailability)の指示を提供することを可能にするための、システムおよび方法を対象とする。本明細書でさらに説明されるように、将来のチャネルは、論理チャネルのインデックス中の第１の論理チャネルに後続する論理チャネルを指し得る。いくつかの場合、可用性の指示は、提供者デバイスが特定の時間期間の間にトラフィック告知を提供するのを控えることを可能にし得る。将来のトラフィック告知を提供する代わりに、提供者デバイスはデータ送信を実行し得る。他の場合、不可用性の指示は、加入者デバイスが後続の論理チャネルを監視するのを控えることを可能にし得る。後続の論理チャネルを監視する代わりに、加入者デバイスは、スリープモードなどの低電力動作モードに遷移し、または、他のデータリンクグループと関連付けられる動作を実行し得る。
【０００９】
[0009]本開示はさらに、ＮＡＮのデータリンクグループ中の電子デバイスが送信ウィンドウのページングウィンドウ部分の間にデータ送信を実行することを可能にするための、システムおよび方法を対象とする。たとえば、いくつかの場合、送信ウィンドウのページングウィンドウ部分の間のページングメッセージに優先権が与えられるように、１つまたは複数のコンテンションウィンドウパラメータが調整され得る。そのような場合、ページングメッセージの送信は、ページングウィンドウ境界（ＰＷＢ：paging window boundary）の前に終了し得る。したがって、データ送信は、ＰＷＢの前に、また、送信ウィンドウのデータ送信部分の間にも、開始し得る。他の場合、送信ウィンドウは、送信ウィンドウをページングウィンドウ部分とデータ送信部分に分離するトリガウィンドウ部分を含み得る。１つまたは複数のコンテンションウィンドウパラメータは、トリガメッセージなどの肯定応答がデータ送信よりも高い優先度を与えられるように調整され得る。いくつかの場合、提供者デバイスは、トリガウィンドウ境界（ＴｒＷＢ：trigger window boundary）の前に１つまたは複数の加入者デバイスの各々から肯定応答（ＡＣＫ）を受信し得る。したがって、提供者デバイスは、ＴｒＷＢの前に、また、送信ウィンドウのデータ送信部分の間にも、データ送信を開始し得る。
【００１０】
[0010]本開示はさらに、ＮＡＮのデータリンクグループ中のデバイスが今度の予定されたトラフィックを示すためにページングメッセージを送信することを可能にするための、システム、装置、および方法に関する。ページングメッセージは特定の受信機アドレスを含む。データリンクグループのデバイスは、特定の受信機アドレス値をページングメッセージとして含むメッセージを特定し得る。例示すると、第１のデバイスは、データリンクグループのデバイスのサブセットへの送信を予定されたトラフィックを有することがあり、第１のデバイスは、ページングメッセージをデータリンクグループの少なくとも１つの他のデバイスに送信することがある。ページングメッセージは、特定の値を有する受信機アドレスフィールドを含む複数のフィールドを含み得る。特定の値は、生産の間にデバイスのメモリに記憶された値、または、ＮＡＮクラスタ識別子（ＩＤ）もしくはデータリンクグループＩＤなどの、ＮＡＮまたはデータリンクグループに対応する値であり得る。メッセージを受信するデバイスは、受信されたメッセージがページングメッセージであるかどうかを決定するために、メッセージの（他の部分ではなく）受信機アドレスフィールドを最初に処理し得る。ページングメッセージは受信機アドレスフィールドのための特定の値を有するので、メッセージを受信するデバイスは、受信機アドレスフィールドを含むメッセージの部分を処理することによって、メッセージの残り（またはメッセージのヘッダの残り）を処理することなく、メッセージがページングメッセージであるかどうかを、迅速に、および確実に決定することができる。
【００１１】
[0011]受信されたメッセージの受信機アドレスフィールドが特定の値と一致する場合、１つまたは複数のデバイスは、受信されたメッセージがページングメッセージであると決定する。ページングメッセージを受信したことに応答して、１つまたは複数のデバイスは、肯定応答（ＡＣＫ）を第１のデバイスに送信し得る。１つまたは複数のデバイスは、それぞれのデバイスがページングメッセージによって示されるデバイスのサブセットに含まれるかどうかを決定する前に、ＡＣＫを第１のデバイスに送信し得る。いくつかの実装形態では、データリンクグループの一部ではないデバイスは、受信機アドレスフィールドの特定の値を確認したことに基づいて、ＡＣＫを送信し得る。受信機アドレスの特定の値を認識することが可能なあらゆるデバイスがＡＣＫを送信し得るので、第１のデバイスがＡＣＫを受信する確率は上がる。少なくとも１つのＡＣＫを受信したことに応答して、第１のデバイスは、ページングメッセージが問題なく送信されたと決定する。
【００１２】
[0012]受信機アドレスフィールドを含むページングメッセージの部分を処理した後、受信機アドレスフィールドが特定の値を有する場合、第２のデバイスは、第２のデバイスがデバイスのサブセットに含まれるかどうかを決定するために、ページングメッセージを処理し続け得る。デバイスのサブセットは、ページングメッセージに含まれる被ページングデバイスリスト（ページングされたデバイスの表現）によって示され得る。第２のデバイスがデバイスのサブセットに含まれる場合、第２のデバイスは、トリガフレームを第１のデバイスに送信し得る。トリガフレームは、米国電気電子学会（ＩＥＥＥ）８０２．１１規格などのワイヤレス通信規格に従って形成される、サービス品質ヌル（ＱｏＳ＿ＮＵＬＬ）フレームまたは節電ポール（ＰＳ＿ＰＯＬＬ）フレームを含み得る。トリガフレームは、第２のデバイスがページングメッセージに対応する今度の送信ウィンドウの間にアクティブ動作モードにあることが予定されていることを示す。トリガフレームを受信したことに応答して、第１のデバイスは、送信ウィンドウの間に、データの一部分を第２のデバイスに送信し得る。いくつかの実装形態では、ＡＣＫとトリガフレームとのコリジョンを減らすために、コンテンション軽減技法が、データリンクグループのデバイスによって実行され得る。加えて、いくつかの実装形態では、ページングメッセージは追加の情報を含む。たとえば、ページングメッセージ中の被ページングデバイスリスト制御フィールドは、データのタイプ（たとえば、サービス品質（ＱｏＳ）タイプ）を特定するトラフィックタイプインジケータを含み得る。別の例として、ページングメッセージは、被ページングデバイスリストのタイプを示すページ制御フィールドを含み得る。例示すると、被ページングデバイスリストは、トラフィック指示マップ（ＴＩＭ）、ブルームフィルタ、または媒体アクセス制御（ＭＡＣ）アドレスのリストを含み得る。
【００１３】
[0013]本明細書で言及される場合、データリンクグループは、電子デバイスのアクティブ動作モードに対応するページングウィンドウなどの時間期間を共有し、共通のセキュリティ証明書を有する、１つまたは複数の電子デバイスを指す。たとえば、データリンクグループは、ワイヤレスメッシュネットワーク（たとえば、「ソーシャルワイヤレスフィデリティ（ｗｉ−ｆｉ）メッシュ」）を形成し得る。別の例として、データリンクグループは、インフラストラクチャ不要のピアツーピア（ｐ２ｐ）ネットワークを形成し得る。データリンクグループは、ＮＡＮ中の電子デバイスの各々を含むことがあり、またはＮＡＮ中の電子デバイスのサブセットを含むことがある。
【００１４】
[0014]本明細書で言及される場合、論理チャネルは、データリンクグループの電子デバイスがその間に特定のサービスに関して通信できる、特定の通信チャネルと１つまたは複数の時間期間とを指す。時間期間は、１つまたは複数の送信ウィンドウを含み得る。各送信ウィンドウは、ページングウィンドウと呼ばれる時間の部分を含むことがあり、ページングウィンドウの間に、データリンクグループの第１の電子デバイスは、第１の電子デバイスが送信されるべきデータを有することを示すページングメッセージを、データリンクグループの１つまたは複数の他の電子デバイスに特定の通信チャネルを介して送信し得る。送信ウィンドウの残りの部分は、データを交換するために使用されることがあり、データ送信ウィンドウと呼ばれることがある。
【００１５】
[0015]データリンクグループは、サービス広告（ａｄｖｅｒｔｉｓｅｍｅｎｔ）または告知（ａｎｎｏｕｎｃｅｍｅｎｔ）メッセージなどのメッセージを発見ウィンドウの間にＮＡＮの電子デバイスにＮＡＮの提供者デバイスが送信したことに応答して形成され得る。メッセージは、提供者デバイスが複数の論理チャネルを介して通信するのに利用可能であることを示し得る。たとえば、サービス広告は、特定のサービスが複数の論理チャネルを介して利用可能であることを示し得る。本明細書で言及される場合、発見ウィンドウは、ＮＡＮの電子デバイスのアクティブ動作モードに対応する時間期間を指す。発見ウィンドウの間、ＮＡＮの電子デバイスは、サービス広告について、ＮＡＮ通信チャネルと呼ばれる特定のワイヤレスチャネルを聴取する（たとえば、監視する）ことができる。ＮＡＮの加入者デバイスは、加入メッセージを提供者デバイスに送信することによって、サービス広告に応答し得る。
【００１６】
[0016]特定のデータリンクグループは、特定の論理チャネルに対応し得る。たとえば、特定のデータリンクグループは、提供者デバイスと、特定の論理チャネルを示す加入メッセージを送信した１つまたは複数の加入者デバイスとを含み得る。特定のデータリンクグループの電子デバイスは、論理チャネルと関連付けられる１つまたは複数のページングウィンドウの少なくとも一部分の間、対応する論理チャネルの通信チャネルを監視し得る。
【００１７】
[0017]ＮＡＮ中の各電子デバイスは、ＮＡＮの少なくとも１つの電子デバイスから受信される同期ビーコンに基づいて、内部クロックを同期することができる。データリンクグループ中の各電子デバイスの内部クロックが同期されるので、各電子デバイスは、アクティブ動作モードに遷移してサービス広告についてＮＡＮ通信チャネルを監視するための、発見ウィンドウなどの共通の時間期間を決定し得る。データリンクグループの各電子デバイスは、アクティブ動作モードに遷移してページングメッセージについて特定の論理チャネルに対応する特定の通信チャネルを監視するための、ページングウィンドウなどの共通の時間期間を決定し得る。ある特定の実装形態では、データリンクグループは「マルチホップ」データリンクグループであることがあり、ページングメッセージはページングウィンドウの間にデータリンクグループの第１の電子デバイスからデータリンクグループの他の電子デバイスに送信されることがある。別の特定の実装形態では、データリンクグループは「シングルホップ」データリンクグループであることがあり、ページングメッセージはデータリンクグループの１つまたは複数のデバイスへ提供者デバイスによって特定の論理チャネルを介して送信され得る。
【００１８】
[0018]ある特定の態様では、通信の方法は、第１のデバイスにおいて、近隣認識ネットワーク（ＮＡＮ）の通信の接続設定段階の間に、またはＮＡＮ発見ウィンドウの間に、第２のデバイスから可用性情報を受信することを含む。接続設定段階は、デバイス能力情報の交換を含む。方法はまた、送信ウィンドウの間の第２のデバイスの可用性を示す可用性情報に基づいて、第２のデバイスの可用性を決定するためのメッセージ交換を実行することなく、送信ウィンドウの間に第１のデバイスから第２のデバイスにデータを送信することを含む。
【００１９】
[0019]別の態様では、装置は、プロセッサと、プロセッサに結合されるメモリとを含む。メモリは、様々な動作を実行するためにプロセッサによって実行可能である命令を記憶する。これらの動作は、近隣認識ネットワーク（ＮＡＮ）の通信の接続設定段階の間に、またはＮＡＮ発見ウィンドウの間に、デバイスから可用性情報を受信することを含む。接続設定段階は、デバイス能力情報の交換を含む。動作はまた、送信ウィンドウの間のデバイスの可用性を示す可用性情報に基づいて、デバイスの可用性を決定するためのメッセージ交換を実行することなく、送信ウィンドウの間にデバイスにデータを送信することを含む。
【００２０】
[0020]別の態様では、非一時的コンピュータ可読媒体が、様々な動作を実行するようにプロセッサによって実行可能な命令を記憶する。これらの動作は、近隣認識ネットワーク（ＮＡＮ）の通信の接続設定段階の間に、またはＮＡＮ発見ウィンドウの間に、デバイスから可用性情報を受信することを含み得る。接続設定段階は、デバイス能力情報の交換を含む。動作はさらに、送信ウィンドウの間のデバイスの可用性を示す可用性情報に基づいて、デバイスの可用性を決定するためのメッセージ交換を実行することなく、送信ウィンドウの間にデバイスにデータを送信することを含む。
【００２１】
[0021]別の態様では、装置は、近隣認識ネットワーク（ＮＡＮ）の通信の接続設定段階の間に、またはＮＡＮ発見ウィンドウの間に、デバイスから可用性情報を受信するための手段を含む。接続設定段階は、デバイス能力情報の交換を含む。装置はさらに、送信ウィンドウの間のデバイスの可用性を示す可用性情報に基づいて、第２のデバイスの可用性を決定するためのメッセージ交換を実行することなく、送信ウィンドウの間にデバイスにデータを送信するための手段を含む。
【００２２】
[0022]別の態様では、通信の方法は、ＮＡＮの通信の接続設定段階の間に、またはＮＡＮ発見ウィンドウの間に、第１のデバイスから第２のデバイスに可用性情報を送信することを含む。接続設定段階はデバイス能力情報の交換を含み、可用性情報は送信ウィンドウの間の第１のデバイスの可用性を示す。方法はさらに、送信ウィンドウの間の第１のデバイスの可用性を示す可用性情報に基づいて、第２のデバイスに可用性の指示を提供するためのメッセージ交換を実行することなく、送信ウィンドウの間に第２のデバイスから第１のデバイスにおいてデータを受信することを含む。
【００２３】
[0023]別の態様では、デバイスは、プロセッサと、プロセッサに結合されるメモリとを含む。メモリは、様々な動作を実行するようにプロセッサによって実行可能である命令を記憶する。これらの動作は、ＮＡＮの通信の接続設定段階の間に、またはＮＡＮ発見ウィンドウの間に、第２のデバイスに可用性情報を送信することを含む。接続設定段階はデバイス能力情報の交換を含み、可用性情報は送信ウィンドウの間のデバイスの可用性を示す。動作はまた、送信ウィンドウの間のデバイスの可用性を示す可用性情報に基づいて、第２のデバイスに可用性の指示を提供するためのメッセージ交換を実行することなく、送信ウィンドウの間に第２のデバイスからデータを受信することを含む。
【００２４】
[0024]別の態様では、非一時的コンピュータ可読媒体が、様々な動作を実行するようにプロセッサによって実行可能な命令を記憶する。これらの動作は、ＮＡＮの通信の接続設定段階の間に、またはＮＡＮ発見ウィンドウの間に、第１のデバイスから第２のデバイスに可用性情報を送信することを含み得る。接続設定段階はデバイス能力情報の交換を含み、可用性情報は送信ウィンドウの間の第１のデバイスの可用性を示す。動作はまた、送信ウィンドウの間のデバイスの可用性を示す可用性情報に基づいて、第２のデバイスに可用性の指示を提供するためのメッセージ交換を実行することなく、送信ウィンドウの間に第２のデバイスからデータを受信することを含む。
【００２５】
[0025]さらなる態様では、デバイスは、ＮＡＮの通信の接続設定段階の間に、またはＮＡＮ発見ウィンドウの間に、第２のデバイスに可用性情報を送信するための手段を含む。接続設定段階はデバイス能力情報の交換を含み、可用性情報は送信ウィンドウの間のデバイスの可用性を示す。デバイスはさらに、送信ウィンドウの間のデバイスの可用性を示す可用性情報に基づいて、第２のデバイスに可用性の指示を提供するためのメッセージ交換を実行することなく、送信ウィンドウの間にデータを第２のデバイスから受信するための手段を含む。
【００２６】
[0026]別の態様では、通信の方法は、近隣認識ネットワーク（ＮＡＮ）のデータリンクグループの第１のデバイスにおいてページングメッセージを生成することを含む。ページングメッセージは被ページングデバイスリストを含む。被ページングデバイスリストは、データリンクグループのデバイスのサブセットを特定する。デバイスのサブセットは、送信ウィンドウの間に第１のデバイスからデータを受信することが予定される。ページングメッセージは特定の受信機アドレス値を含む。方法はさらに、ページングウィンドウの間に、第１のデバイス以外のデータリンクグループの少なくとも１つのデバイスにページングメッセージを送信することを含む。
【００２７】
[0027]別の態様では、装置は、プロセッサと、プロセッサに結合されるメモリとを含む。メモリは、ページングメッセージを生成することを含む動作を実行するようにプロセッサによって実行可能である命令を記憶する。ページングメッセージは被ページングデバイスリストを含む。被ページングデバイスリストは、近隣認識ネットワーク（ＮＡＮ）のデータリンクグループのデバイスのサブセットを特定する。デバイスのサブセットは、送信ウィンドウの間にデータを受信することが予定される。ページングメッセージは特定の受信機アドレス値を含む。動作はさらに、ページングウィンドウの間に、データリンクグループの少なくとも１つのデバイスへのページングメッセージの送信を開始することを含む。
【００２８】
[0028]別の態様では、装置は、近隣認識ネットワーク（ＮＡＮ）のデータリンクグループの第１のデバイスにおいてページングメッセージを生成するための手段を含む。ページングメッセージは被ページングデバイスリストを含む。被ページングデバイスリストは、データリンクグループのデバイスのサブセットを特定する。デバイスのサブセットは、送信ウィンドウの間に第１のデバイスからデータを受信することが予定される。ページングメッセージは特定の受信機アドレス値を含む。装置はさらに、ページングウィンドウの間に、第１のデバイス以外のデバイスにページングメッセージを送信するための手段を含む。
【００２９】
[0029]別の態様では、非一時的コンピュータ可読媒体は、プロセッサによって実行されると、プロセッサに、近隣認識ネットワーク（ＮＡＮ）のデータリンクグループの第１のデバイスにおいてページングメッセージを生成させる命令を記憶する。ページングメッセージは被ページングデバイスリストを含む。被ページングデバイスリストは、データリンクグループのデバイスのサブセットを特定する。デバイスのサブセットは、送信ウィンドウの間に第１のデバイスからデータを受信することが予定される。ページングメッセージは特定の受信機アドレス値を含む。命令はさらに、プロセッサに、ページングウィンドウの間に、第１のデバイス以外のデバイスへのページングメッセージの送信を開始させる。
【００３０】
[0030]別の態様では、通信の方法は、近隣認識ネットワーク（ＮＡＮ）のデータリンクグループの第１のデバイスにおいて、ページングウィンドウの間にワイヤレスネットワークを監視することを含む。方法はさらに、第１のデバイスにおいて、ページングウィンドウの間にデータリンクグループの第２のデバイスからページングメッセージを受信することを含む。ページングメッセージは被ページングデバイスリストを含む。被ページングデバイスリストは、データリンクグループのデバイスのサブセットを特定する。デバイスのサブセットは、送信ウィンドウの間に第２のデバイスからデータを受信することが予定される。ページングメッセージは特定の受信機アドレス値を含む。
【００３１】
[0031]別の態様では、装置は、プロセッサと、プロセッサに結合されるメモリとを含む。メモリは、ページングウィンドウの間にワイヤレスネットワークを監視することを含む動作を実行するようにプロセッサによって実行可能である命令を記憶する。動作はさらに、ページングウィンドウの間に近隣認識ネットワーク（ＮＡＮ）のデータリンクグループの第２のデバイスからページングメッセージを受信することを含む。ページングメッセージは被ページングデバイスリストを含む。被ページングデバイスリストは、データリンクグループのデバイスのサブセットを特定する。デバイスのサブセットは、送信ウィンドウの間に第２のデバイスからデータを受信することが予定される。ページングメッセージは特定の受信機アドレス値を含む。
【００３２】
[0032]別の態様では、装置は、近隣認識ネットワーク（ＮＡＮ）のデータリンクグループの第１のデバイスにおいて、ページングウィンドウの間にワイヤレスネットワークを監視するための手段を含む。装置はさらに、第１のデバイスにおいて、ページングウィンドウの間にデータリンクグループの第２のデバイスからページングメッセージを受信するための手段を含む。ページングメッセージは被ページングデバイスリストを含む。被ページングデバイスリストは、データリンクグループのデバイスのサブセットを特定する。デバイスのサブセットは、送信ウィンドウの間に第２のデバイスからデータを受信することが予定される。ページングメッセージは特定の受信機アドレス値を含む。
【００３３】
[0033]別の態様では、非一時的コンピュータ可読媒体は、プロセッサによって実行されると、プロセッサに、近隣認識ネットワーク（ＮＡＮ）のデータリンクグループの第１のデバイスにおいてページングウィンドウの間にワイヤレスネットワークを監視させる命令を記憶する。命令はさらに、プロセッサに、第１のデバイスにおいて、ページングウィンドウの間にデータリンクグループの第２のデバイスからページングメッセージを受信させる。ページングメッセージは被ページングデバイスリストを含む。被ページングデバイスリストは、データリンクグループのデバイスのサブセットを特定する。デバイスのサブセットは、送信ウィンドウの間に第２のデバイスからデータを受信することが予定される。ページングメッセージは特定の受信機アドレス値を含む。
【００３４】
[0034]別の態様では、通信の方法は、第１のデバイスにおいて、近隣認識ネットワーク（ＮＡＮ）のデータリンクグループのデバイスがアクティブ動作モードで動作するように構成される特定の時間期間の間に第１のデバイスが利用可能であるかどうかの指示を含むメッセージを生成することを含む。非限定的な例として、特定の時間期間は、データリンクグループのページングウィンドウまたはＮＡＮの発見ウィンドウを含み得る。方法はまた、第１のデバイスからデータリンクグループの１つまたは複数のデバイスにメッセージを送信することを含む。
【００３５】
[0035]別の態様では、装置は、プロセッサと、プロセッサに結合されるメモリとを含む。メモリは、第１のデバイスにおいて、近隣認識ネットワーク（ＮＡＮ）のデータリンクグループのデバイスがアクティブ動作モードで動作するように構成される特定の時間期間の間に第１のデバイスが利用可能であるかどうかの指示を含むメッセージを生成することを含む動作を実行するようにプロセッサによって実行可能な命令を記憶する。動作はまた、第１のデバイスからデータリンクグループの１つまたは複数のデバイスへのメッセージの送信を開始することを含む。
【００３６】
[0036]別の態様では、通信の方法は、近隣認識ネットワーク（ＮＡＮ）のデータリンクグループの第２のデバイスにおいて、データリンクグループに対応するまたはＮＡＮに対応する特定の時間期間の間に特定のサービスに対応する第１のデバイスが利用可能であるかどうかの指示を含むメッセージを受信することを含む。方法はまた、第１のデバイスがその特定の時間期間の間に利用不可能であると決定したことに応答して、その特定の時間期間に対応する１つまたは複数の送信ウィンドウの間に低電力動作モードに遷移することを含む。
【００３７】
[0037]別の態様では、装置は、プロセッサと、プロセッサに結合されるメモリとを含む。メモリは、近隣認識ネットワーク（ＮＡＮ）のデータリンクグループの第２のデバイスにおいて、データリンクグループに対応するまたはＮＡＮに対応する特定の時間期間の間に特定のサービスに対応する第１のデバイスが利用可能であるかどうかの指示を含むメッセージを受信することを含む動作を実行するようにプロセッサによって実行可能な命令を記憶する。動作はまた、第１のデバイスがその特定の時間期間の間に利用不可能であると決定したことに応答して、その特定の時間期間に対応する１つまたは複数の送信ウィンドウの間に低電力動作モードに遷移することを含む。
【００３８】
[0038]別の態様では、通信の方法は、提供者デバイスにおいて、近隣認識ネットワーク（ＮＡＮ）のデータリンクグループと関連付けられるいくつかの論理チャネル（たとえば、論理チャネルのインデックスにおいて参照される次のＮ個の論理チャネル）に対する不可用性の指示を生成することを含む。方法はさらに、送信ウィンドウのページングウィンドウ部分の間に、提供者デバイスからＮＡＮのデータリンクグループの１つまたは複数の加入者デバイスにページングメッセージを送信することを含む。
【００３９】
[0039]別の態様では、通信の方法は、ＮＡＮのデータリンクグループの加入者デバイスにおいて、データリンクグループと関連付けられるいくつかの論理チャネル（たとえば、論理チャネルのインデックスにおいて参照される次のＮ個の論理チャネル）に対する特定のサービスと関連付けられる提供者デバイスの不可用性の指示を含むページングメッセージを受信することを含む。いくつかの場合、方法はまた、次のＮ個の論理チャネルと関連付けられる１つまたは複数の送信ウィンドウの間に低電力動作モードに遷移することを含む。他の場合、方法は、次のＮ個の論理チャネルと関連付けられる１つまたは複数の送信ウィンドウの間に、別のサービスと関連付けられる別の提供者デバイスと関連付けられる１つまたは複数の動作を実行することを含む。例示すると、不可用性の指示を提供する提供者デバイスは第１のサービス（たとえば、音楽サービス）を提供することがあり、加入者デバイスは別の提供者デバイスの第２のデバイス（たとえば、ゲームサービス）に加入することがある。この例では、加入者デバイスは、第１のサービスの提供者デバイスが利用不可能である間に、ゲームサービスと関連付けられる１つまたは複数の動作を実行し得る。
【００４０】
[0040]別の態様では、通信の方法は、第１のデバイスにおいて、ページングメッセージを生成することを含む。方法はさらに、第１のデバイスから近隣認識ネットワーク（ＮＡＮ）のデータリンクグループの１つまたは複数のデバイスにページングメッセージを送信することを含む。方法はまた、第１のデバイスにおいて、１つまたは複数のデバイスの各々からの１つまたは複数の肯定応答を検出したことに応答して、特定の時間期間に対応するページングウィンドウにおいてトラフィック告知を送信するのを控えることと、その特定の時間期間に対応するデータウィンドウの開始部分の前にデータトラフィックを送信することとを含む。
【００４１】
[0041]さらなる態様では、通信の方法は、近隣認識ネットワーク（ＮＡＮ）のデータリンクグループの第２のデバイスにおいて、第１の時間期間の間にデータリンクグループに対応する特定の通信チャネルを監視することを含む。方法は、第２のデバイスにおいて、特定のサービスに対応する第１のデバイスからページングメッセージを受信することを含む。方法は、肯定応答を第２のデバイスから第１のデバイスに送信することを含む。方法は、第２のデバイスにおいて、データリンクグループに対応する論理チャネルのインデックスによって特定される第１の論理チャネルを監視することを含む。方法はさらに、次の論理チャネルに対応するデータウィンドウの開始部分の前に、第２のデバイスにおいてデータトラフィックを受信することを含む。
【００４２】
[0042]別の態様では、通信の方法は、提供者デバイスにおいて、送信ウィンドウのページングウィンドウ部分の間にページングメッセージを生成することを含む。方法は、提供者デバイスから近隣認識ネットワーク（ＮＡＮ）のデータリンクグループの１つまたは複数の加入者デバイスにページングメッセージを送信することを含む。方法はさらに、提供者デバイスにおいて、送信ウィンドウのページングウィンドウ部分に後続する送信ウィンドウのトリガウィンドウ部分の間に１つまたは複数の加入者デバイスの各々から１つまたは複数の肯定応答が受信されたかどうかを決定することを含む。１つまたは複数の肯定応答が受信されたと決定したことに応答して、方法は、送信ウィンドウのトリガウィンドウ部分の少なくとも一部分の間にデータトラフィックを送信することを含む。
【００４３】
[0043]さらなる態様では、通信の方法は、近隣認識ネットワーク（ＮＡＮ）のデータリンクグループの加入者デバイスにおいて、データリンクグループと関連付けられる複数の論理チャネルのうちのある特定の論理チャネルを監視することを含む。方法は、加入者デバイスにおいて、特定のサービスと関連付けられる提供者デバイスからページングメッセージを受信することを含む。ページングメッセージは、特定の論理チャネルと関連付けられる送信ウィンドウのページングウィンドウ部分の間に受信される。方法はまた、ページングウィンドウ部分に後続する送信ウィンドウのトリガウィンドウ部分の間に、肯定応答を加入者デバイスから提供者デバイスに送信することを含む。方法はさらに、加入者デバイスにおいて、送信ウィンドウのトリガウィンドウ部分の間に、およびトリガウィンドウ部分に後続する送信ウィンドウのデータトラフィック部分の間に、提供者デバイスからデータトラフィックを受信することを含む。
【００４４】
[0044]本開示の１つの利点は、ＮＡＮの通信の関連付け段階の間に提供される可用性情報に基づく、ＮＡＮの送信ウィンドウの間のメッセージトラフィックの削減である。提供者デバイスは、加入者デバイスがデータウィンドウの間に可用性の指示を（関連付け段階の間に）提供しているとき、加入者デバイスの可用性を決定するためのメッセージ交換を実行するのを控えることができ、メッセージトラフィックの削減をもたらす。メッセージトラフィックの削減は、ポーリングメッセージ、ポーリングメッセージへの応答、トリガフレーム、またはこれらの組合せの削減を含み得る。さらに、加入者デバイスは、データを受信することが予定されているものとして（たとえば、データの意図された受信者として）加入者デバイスを特定するトラフィックインジケータを含むページングメッセージを受信したことに応答して、可用性の指示を提供者デバイスに提供するためのメッセージ交換を実行するのを控えることができ、メッセージトラフィックの削減をもたらす。別の利点は、受信デバイスに対する処理の負荷が低減された、ページングメッセージの交換である。たとえば、メッセージを受信するデバイスが、メッセージがページングメッセージであるかどうかを決定するためにメッセージのより大きな部分（または全体）ではなくメッセージの一部分（受信機アドレスを含む部分）を処理するので、電力消費およびデバイスによって使用される処理能力が減らされ得る。例示すると、ＮＡＮ関連メッセージの受信機アドレスフィールドが特定の値を有しない場合、メッセージを受信するデバイスは、さらなる処理を伴わずにメッセージを廃棄し得る。
【００４５】
[0045]本開示の他の態様、利点、および特徴は、以下のセクション、すなわち、図面の簡単な説明と、発明を実施するための形態と、特許請求の範囲とを含む本出願全体の検討の後に明らかになるであろう。
【図面の簡単な説明】
【００４６】
【図１】[0046]１つまたは複数の論理チャネルに対応するデータリンクグループに含まれる１つまたは複数のデバイスを含む近隣認識ネットワーク（ＮＡＮ）を含むシステムのある特定の態様の図。
【図２】[0047]論理チャネルの例を示す表。
【図３】[0048]図１のシステムのある特定の態様の動作に対応するタイミング図。
【図４】[0049]図１のシステムのある特定の態様の動作に対応するタイミング図。
【図５】[0050]図１のシステムのある特定の態様の動作に対応するタイミング図。
【図６】[0051]図１のシステムのある特定の態様の動作に対応するタイミング図。
【図７】[0052]図１のシステムのある特定の態様の動作に対応するタイミング図。
【図８】[0053]図１のシステムのある特定の態様の動作に対応するタイミング図。
【図９】[0054]送信ウィンドウのページング部分を送信ウィンドウのデータ部分から分離するページングウィンドウ境界（ＰＷＢ）を含む送信ウィンドウのある特定の態様の図。
【図１０】[0055]ページングウィンドウ境界（ＰＷＢ）によって送信ウィンドウのページング部分から分離され、トリガウィンドウ境界（ＴｒＷＢ）によって送信ウィンドウのデータ部分から分離される、トリガウィンドウを含む送信ウィンドウの別の態様の図。
【図１１】[0056]被ページングデバイスリスト（ＰＤＬ：paged device list）を有する説明のためのページ属性を含むサービス発見フレームの例の図。
【図１２】[0057]ＰＤＬを含む第２の説明のためのページ属性およびＰＤＬを含む説明のためのトラフィック告知属性の図。
【図１３】[0058]図１のシステムのデバイスにおける動作の方法の流れ図。
【図１４】[0059]図１のシステムのデバイスにおける動作の方法の流れ図。
【図１５】[0060]図１のシステムのデバイスにおける動作の方法の流れ図。
【図１６】[0061]図１のシステムのデバイスにおける動作の別の方法の流れ図。
【図１７】[0062]図１のシステムのデバイスにおける動作の別の方法の流れ図。
【図１８】[0063]図１のシステムのデバイスにおける動作の別の方法の流れ図。
【図１９】[0064]図１のシステムのデバイスにおける動作の別の方法の流れ図。
【図２０】[0065]図１のシステムのデバイスにおける動作の別の方法の流れ図。
【図２１】[0066]図１のシステムのデバイスにおける動作の別の方法の流れ図。
【図２２】[0067]図１のシステムのデバイスにおける動作の別の方法の流れ図。
【図２３】[0068]図１のシステムのデバイスにおける動作の別の方法の流れ図。
【図２４】[0069]図１のシステムのデバイスにおける動作の別の方法の流れ図。
【図２５】[0070]本明細書で開示される１つまたは複数の方法、システム、装置、および／またはコンピュータ可読媒体の様々な態様をサポートするように動作可能であるワイヤレスデバイスの図。
【発明を実施するための形態】
【００４７】
[0071]本開示の特定の態様が、下で図面を参照して説明される。説明では、共通の特徴は、図面全体にわたって共通の参照番号によって指定される。
【００４８】
[0072]図１を参照すると、近隣認識ネットワーク（ＮＡＮ）１０２を含むシステム１００のある特定の態様が示されている。ＮＡＮ１０２は、デバイス１０４、１０６、１０８、１１０の間のワイヤレス通信を介してデータ交換を実行するように構成される、１つまたは複数のデバイス１０４、１０６、１０８、１１０（たとえば、電子デバイス）を含む。データ交換は、ワイヤレスキャリア、Ｗｉ−Ｆｉアクセスポイント、および／またはインターネットを関与させることなく実行され得る。たとえば、ＮＡＮ１０２は、第１のデバイス１０４と、第２のデバイス１０６と、第３のデバイス１０８と、第４のデバイス１１０とを含み得る。
【００４９】
[0073]システム１００は便宜的に示されているだけであり、具体的な例示される細部は限定するものではない。たとえば、他の実装形態では、システム１００は、図１に示されるものよりも多数のデバイスまたは少数のデバイスを含むことがあり、デバイスは、図１に示されるものとは異なる場所に位置することがある。デバイス１０４、１０６、１０８、および／または１１０は、提供者論理１３０、加入者論理１３４、送受信機１３６、またはこれらの組合せを含み得る。
【００５０】
[0074]デバイス１０４、１０６、１０８、および／または１１０の各々は、固定位置デバイスまたはモバイルデバイスであり得る。たとえば、デバイス１０４、１０６、１０８、および／または１１０は、携帯電話、ラップトップコンピュータ、タブレットコンピュータ、パーソナルコンピュータ、コンピュータ化された腕時計、マルチメディアデバイス、周辺デバイス、データ記憶デバイス、またはこれらの組合せを含むことがあり、またはそれらに対応することがある。加えて、または代替的に、図２５を参照してさらに説明されるように、デバイス１０４、１０６、１０８、および／または１１０は、プロセッサ（たとえば、中央処理装置（ＣＰＵ）、デジタル信号プロセッサ（ＤＳＰ）、ネットワーク処理ユニット（ＮＰＵ）など）と、メモリ（たとえば、ランダムアクセスメモリ（ＲＡＭ）、読取り専用メモリ（ＲＯＭ）など）と、１つまたは複数のワイヤレス通信チャネルなどの１つまたは複数のワイヤレスネットワークを介してデータを送受信するように構成されたワイヤレスインターフェースとを含み得る。ワイヤレスインターフェースは、送受信機１３６（たとえば、ワイヤレス受信機およびワイヤレス送信機）と通信し得る。本明細書で説明されるいくつかの動作は「送受信機」に関して説明されることがあるが、他の実装形態では、「受信機」がデータ受信動作を実行することがあり、「送信機」がデータ送信動作を実行することがある。
【００５１】
[0075]デバイス１０４、１０６、１０８、１１０は、１つまたは複数のワイヤレスネットワークを介してデータおよび／またはサービスを交換し得る。本明細書で使用される場合、ワイヤレスネットワーク「を介した」送信は、限定はされないが、ワイヤレスネットワークの２つのデバイス間の「ポイントツーポイント」の送信を含み得る。別の例として、ワイヤレスネットワークを介した送信は、ワイヤレスネットワークのある特定のデバイスからワイヤレスネットワークの複数の他のデバイスへ「ブロードキャストされる」（たとえば、送信される）通信を含み得る。本明細書で使用される場合、デバイス１０４、１０６、１０８、１１０は、米国電気電子学会（ＩＥＥＥ）８０２．１１規格などの、１つまたは複数のワイヤレスプロトコルおよび／または規格に従って動作するように構成され得る。たとえば、デバイス１０４、１０６、１０８、および／または１１０は、ＩＥＥＥ  ８０２．１１ａ、ｂ、ｇ、ｎ、ｓ、ａａ、ａｃ、ａｄ、ａｅ、ａｆ、ａｈ、ａｉ、ａｊ、ａｑ、ａｘ、またはｍｃ規格に従って動作し得る。加えて、デバイス１０４、１０６、１０８、および／または１１０は、１つまたは複数のＮＡＮ規格またはプロトコルに従って動作し得る。
【００５２】
[0076]加えて、デバイス１０４、１０６、１０８、および１１０の１つまたは複数は、符号分割多重接続（ＣＤＭＡ）プロトコル、直交周波数分割多重化（ＯＦＤＭ）プロトコル、直交周波数分割多重接続（ＯＦＤＭＡ）プロトコル、時分割多重接続（ＴＤＭＡ）プロトコル、空間分割多重接続（ＳＤＭＡ）プロトコルなどの、１つまたは複数のセルラー通信プロトコルおよび／または規格を介して、セルラーネットワークと通信するように構成され得る。加えて、デバイス１０４、１０６、１０８、および１１０の１つまたは複数は、Ｂｌｕｅｔｏｏｔｈ（登録商標）規格などの１つまたは複数の近距離通信規格に従って動作するように構成され得る（ＢｌｕｅｔｏｏｔｈはＢｌｕｅｔｏｏｔｈ  ＳＩＧ，Ｉｎｃ．の登録商標である）。加えて、デバイス１０４、１０６、１０８、および１１０の１つまたは複数は、赤外線通信または他の近距離通信を介してデータを交換し得る。
【００５３】
[0077]デバイス１０４、１０６、１０８、および／または１１０の各々は、動作の間に様々な時間においてＮＡＮ１０２に入り、そこから出ることがある。たとえば、ＮＡＮ１０２の中にないデバイスが発見ビーコンを検出することがあり、ＮＡＮ規格またはプロトコルに従って、発見ビーコンによって特定される発見ウィンドウの間にＮＡＮ１０２に接続することがある。加えて、デバイス１０４、１０６、１０８、および１１０は、任意の時間にＮＡＮ１０２から離れ得る。ＮＡＮ１０２の中にある間、デバイス１０４、１０６、１０８、および／または１１０は、１つまたは複数の論理チャネルを介して通信するのに利用可能であることを示すメッセージを送信または受信するように構成され得る。たとえば、デバイス１０４、１０６、１０８、および／または１１０は、ＮＡＮ１０２の少なくとも１つのデバイスによって１つまたは複数の論理チャネルを介して提供されるサービスを公告するサービス発見フレーム（ＳＤＦ）などの、サービス広告を送信または受信するように構成され得る。いくつかの実装形態では、１つまたは複数の論理チャネルは、複数の論理チャネルを含み得る。
【００５４】
[0078]加えて、ＮＡＮ１０２の中にある間、デバイス１０４、１０６、１０８、および１１０は、ＮＡＮ１０２の１つまたは複数のデバイスに同期ビーコンを送信し、またはそれらから同期ビーコンを受信するように構成され得る。同期ビーコンは同期情報を示すことがあり、１つまたは複数のＮＡＮ規格またはプロトコルに従って形成され得る。デバイス１０４、１０６、１０８、および１１０の各々は、同期ビーコンに基づいてそれぞれの内部クロックを同期するように構成され得る。同期ビーコンは、同期ビーコンを送信するデバイスのワイヤレス通信範囲の外にあるデバイスに同期ビーコンが到達することを可能にするために、ＮＡＮ規格またはプロトコルに従って、ＮＡＮ１０２内のデバイス１０４、１０６、１０８、および１１０の一部によって再送信（たとえば、再ブロードキャスト）され得る。ある例示的な実装形態では、同期ビーコンは、「ＮＡＮ通信チャネル」と呼ばれる第１のワイヤレスチャネルを介して、ＮＡＮ１０２のデバイス間で送信され得る。本明細書で言及される場合、「ＮＡＮ通信チャネル」は、デバイスがＮＡＮ発見動作とＮＡＮ同期動作とを実行するために確保されている、特定のワイヤレスチャネルである。本明細書で使用される場合、「ＮＡＮ通信チャネル」はＮＡＮ１０２と関連付けられ、ＮＡＮ１０２における通信はＮＡＮ通信チャネルを通じて（たとえば、介して）実行され得る。
【００５５】
[0079]ＮＡＮ１０２に含まれるのに加えて、デバイス１０４、１０６、１０８、および１１０の１つまたは複数は１つまたは複数のデータリンクグループに含まれ得る。データリンクグループは、データリンク、データリンクネットワーク、グループネットワーク、ＮＡＮデータリンク（ＮＤＬ）、ＮＤＬネットワーク、データパスグループ、データパスグループネットワーク、ＮＡＮデータパス、ＮＡＮデータパスグループ、またはＮＡＮデータパスグループネットワークとも呼ばれ得る。いくつかの実装形態では、データリンクグループは、説明のための非限定的な例として、「ソーシャルＷｉ−Ｆｉ（登録商標）メッシュネットワーク」または米国電気電子学会（ＩＥＥＥ）８０２．１１ｓメッシュネットワークなどのメッシュネットワークを含み得る。別の例として、データリンクグループは、インフラストラクチャ不要のピアツーピア（ｐ２ｐ）ネットワークを含み得る。データリンクグループは、分散型ワイヤレスネットワークなどのネットワークを形成することができる複数のデバイスを含み得る。加えて、データリンクグループの各デバイスは、データ告知のタイプ、ページングウィンドウなどのデータ告知に対応する時間期間、またはこれらの組合せを共有し得る。さらに、データリンクグループの各デバイスは、共有されたセキュリティ証明書を使用し得る。たとえば、グループ鍵または共通ネットワーク鍵などのセキュリティ情報は、データリンクグループのグループ通信チャネルに関して帯域内または帯域外にあるワイヤレス通信を使用してデータリンクグループのデバイス間で共有され得る。いくつかの実装形態では、データリンクグループのデバイスは、デバイスの各々がサービスを広告するために、トラフィックもしくは他のメッセージを受信するために、またはそれらの組合せのために起動している時間期間などの、定期的な起動時間を有するように同期され得る。
【００５６】
[0080]データリンクグループは、デバイス１０４、１０６、１０８、および１１０のうちの１つによって特定の論理チャネルを介して提供されるサービスに対応し得る。たとえば、本明細書で説明されるように、図１では、第１のデバイス１０４は、特定の論理チャネルを介して、音楽サービス、ゲームサービス、ソーシャルメディア、広告サービス、メッセージ共有サービスなどの特定のサービスを、データリンクグループ中の他のデバイスに提供し得る。別の例として、第１のデバイス１０４は、アクセスポイント（ＡＰ）ベースのネットワークまたは独立基本サービスセット（ＩＢＳＳ：independent basic service set）ネットワークなどの別のネットワークの一部であることがあり、第１のデバイス１０４は、ＮＡＮ１０２の他のデバイスが第１のデバイス１０４を介して他のネットワークに参加することを可能にするために、他のネットワークを広告するように構成され得る。
【００５７】
[0081]データリンクグループは、「シングルホップ」データリンクグループまたは「マルチホップ」データリンクグループを含み得る。シングルホップデータリンクグループは、サービスを提供するデバイスのワイヤレス通信範囲（たとえば、距離）の中にある１つまたは複数のデバイスを含み得る。マルチホップデータリンクグループは、提供者のワイヤレス通信範囲の外にある１つまたは複数のデバイスを含み得る。マルチホップデータリンクグループでは、少なくとも１つのデバイスが提供者から（データを含む）メッセージを受信することができ、提供者のワイヤレス通信範囲の外にある別のデバイスにメッセージを再ブロードキャストすることができる。ある特定の実装形態では、データリンクグループは、デバイス１０４、１０６、１０８、および／または１１０を含むマルチホップデータリンクグループであり得る。この実装形態では、第１のデバイス１０４から第４のデバイス１１０へのワイヤレス通信は、第２のデバイス１０６によってルーティングされ得る（たとえば、再送信され得る）。別の特定の実装形態では、データリンクグループは、デバイス１０４と、１０６と、１０８とを含むシングルホップデータリンクグループであり得る。第４のデバイス１１０は第１のデバイス１０４の１ホップ範囲と呼ばれるワイヤレス通信範囲内にないので、第４のデバイス１１０はシングルホップデータリンクグループに含まれないことがある。
【００５８】
[0082]第１のデバイス１０４は、サービスを提供する（たとえば、提供者デバイスとして動作する）ように構成され得る。たとえば、第１のデバイス１０４は、データソースとして動作するように構成され得る。第１のデバイス１０４は、データリンクグループの他のデバイス（たとえば、加入者デバイス）にデータを送信することができる。たとえば、音楽サービスを共有するために、第１のデバイス１０４は、音楽データをデータリンクグループ中の別のデバイスに送信することができる。別の例として、ソーシャルメディアサービスを共有するために、第１のデバイス１０４は、テキストデータ、画像データ、ビデオデータ、またはこれらの組合せを、データリンクグループ中の別のデバイスに送信することができる。さらなる例として、ゲームサービスを共有するために、第１のデバイス１０４は、テキストデータ、スコアデータ、画像データ、ビデオデータ、またはこれらの組合せを、データリンクグループ中の別のデバイスに送信することができる。加入者デバイスは、データシンクとして動作するように構成され得る。
【００５９】
[0083]ある特定の実装形態では、第１のデバイス１０４の提供者論理１３０、第２のデバイス１０６の加入者論理１３４、または両方が、提供者論理１３０がデータ１２２を第２のデバイス１０６に送信する前に「能力交換」を実行し得る。能力交換は、ＮＡＮ１０２の通信の「接続設定」段階の間に実行され得る。いくつかの実装形態では、接続設定段階は、ＮＡＮ１０２の通信の「関連付け」段階であり得る。たとえば、図１は、第１のデバイス１０４の提供者論理１３０および第２のデバイス１０６の加入者論理１３４が能力情報１１４と可用性情報１１６とを交換することによって能力交換を実行し得る関連付け交換１１２を関連付け段階が含むことを示す。関連付け交換１１２はさらに、第１のデバイス１０４の第１の通信情報、第２のデバイス１０６の第２の通信情報、または両方を示し得る。例示すると、第１の通信情報および／または第２の通信情報は、セキュリティ情報（たとえば、グループ鍵または共通ネットワーク鍵）を含み得る。図１は、可用性情報１１６が関連付け段階の間に交換される実装形態を示すが、代替的な実装形態では、可用性情報１１６はＮＡＮ発見ウィンドウの間に交換され得る。他の実装形態では、接続設定段階は、ＮＡＮ１０２の通信の「ネゴシエーション」段階を含み得る。ネゴシエーション段階の間に、第１のデバイス１０４の提供者論理１３０および第２のデバイス１０６の加入者論理１３４が、能力情報１１４と可用性情報１１６とを交換することによって能力交換を実行し得る。ネゴシエーション段階は、ネゴシエーション動作が関連付け動作の代わりに実行され得ることを除き、関連付け段階と同様であり得る。
【００６０】
[0084]図１は、能力情報１１４が可用性情報１１６から分離される特定の実装形態を示すが、代替的な場合には、可用性情報１１６は能力情報１１４に含まれ得る。例示すると、関連付けの間、「能力交換」は複数のパラメータを含むことがあり、可用性情報１１６は追加のパラメータとして含まれることがある。説明のための非限定的な例として、可用性情報１１６は、能力情報１１４の「可用性」フィールドの中の、０の値または１の値などの単一のビットであり得る。代替的に、可用性に関するより詳細な情報を提供するために、２ビット以上が使用され得る。例示すると、可用性情報１１６は、複数のビットを含み「常時」利用可能ステータスに対応する指示を提供する、フィールドであり得る。例示すると、複数の０という値は、「常時」利用可能ステータスなどの専用の可用性ステータスを示し得る。本明細書で使用される場合、「専用の」可用性は、ある特定のデバイスのスケジュールが、専用の可用性が示される時間において特定のセッションまたはグループの通信をその特定のデバイスが監視するようなものであること、または別様にその通信に専心するようなものであることを示す。いくつかの実装形態では、ＮＡＮの参加者として、特定のデバイスは、特定の時間枠の間に、複数のデータリンクグループなどのＮＡＮと関連付けられる複数のグループまたは通信セッションに参加し得る。そのような実装形態では、ＮＡＮの特定のデータリンクグループなどの特定のセッションまたはグループに対する「専用の」可用性は、専用の可用性が示される時間において特定のデバイスが特定のセッションまたはグループに専心することを示す。「常時」利用可能ステータスは、専用の可用性ステータスの一例である。別の例として、可用性情報１１６は、「ポーリングされることを好む」ステータスに対応する指示を提供し得る。例示すると、複数の１という値は、「ポーリングされることを好む」ステータスを示し得る。さらなる例として、可用性情報１１６は、「トリガフレームを送信することを好む」ステータスに対応する指示を提供し得る。例示すると、フィールド中の０と１の組合せは、「トリガフレームを送信することを好む」ステータスを示し得る。
【００６１】
[0085]図１は、第１のデバイス１０４および第２のデバイス１０６が「互いに関連付けを行っている」ＮＡＮ１０２の２つのデバイスを表す、ある特定の説明のための実装形態を示す。たとえば、その中でデバイス１０４、１０６のうちの１つがＮＡＮ１０２に参加しようとする、関連付け交換１１２が実行され得る。デバイス１０４、１０６が関連付けを行っているとき、デバイス１０４、１０６の両方が、能力を指示もしくは交換し、デバイス１０４、１０６が「常時」利用可能であるかどうか、または、デバイス１０４、１０６が可用性を決定するためにトリガ機構もしくはポーリング機構を使用すべきかどうかを示し得る。例示すると、第２のデバイス１０６がＮＡＮ１０２に参加しようとしており、第２のデバイス１０６がこのＮＡＮ１０２上で通信するのに「常時」利用可能である場合、関連付け段階の間に第２のデバイス１０６によって提供される可用性情報１１６は、第１のデバイス１０４などの送信機に対して、その送信機が（図３に関して本明細書でさらに説明されるような）データウィンドウの間に第２のデバイス１０６にポーリングするのを控えてよいという指示を与え得る。ポーリングするのを控えることによって、ＮＡＮ１０２の中のメッセージングトラフィックは減らされ得る。
【００６２】
[0086]別の例として、可用性情報１１６は、第１のデバイス１０４などの送信機に対して、第２のデバイス１０６がその送信機からデータを受信するのに利用可能であるという第２のデバイス１０６からの肯定応答（ＡＣＫ）をその送信機が待機するのを控えてよいという指示を与え得る。むしろ、（図３に関して本明細書でさらに説明されるような）ページングウィンドウの間に、送信機は、第２のデバイス１０６を受信者として特定するトラフィック告知を送信することがあり、データウィンドウの間の第２のデバイス１０６の可用性を示す可用性情報１１６に基づいて、ＡＣＫを待機することなく（データウィンドウの間に）第２のデバイス１０６へデータを送信することがある。トラフィック告知は、トラフィック指示マップ（ＴＩＭ）を含み得るトラフィックインジケータとも呼ばれるトラフィック指示メッセージであり得る。第２のデバイス１０６がデータウィンドウの間にデータを受信するのに利用可能であることを可用性情報１１６が示す場合、第２のデバイス１０６は、低電力動作モードに遷移する（または別のＮＡＮ上で動作を実行する）のではなく、データウィンドウの間「起動」状態にとどまる。
【００６３】
[0087]別の説明のための例として、関連付けの間、第２のデバイス１０６などのデバイスによって提供される可用性情報１１６は、デバイスが「常時」利用可能ではないこと、または特定のウィンドウの間にデータを受信することに対する可用性を決定するためにデバイスが「ポーリングされる」ことを「好む」、もしくはトリガフレームを送信することを「好む」ことを、示し得る。例示すると、いくつかの場合、第２のデバイス１０６は、低電力動作モードに遷移したこと、または別のＮＡＮ上で動作を実行したことの結果として、利用不可能であることがある。したがって、可用性情報１１６は、可用性の指示を提供するために第２のデバイス１０６が「ポーリングされる」べきであるという指示、または、可用性の指示を提供するために第２のデバイス１０６がトリガフレームを第１のデバイス１０４に送信すべきであるという指示を第１のデバイス１０４に提供し得る。この場合、本明細書でさらに説明されるように、第１のデバイス１０４は、（ページングウィンドウの間に）データの受信者として第２のデバイス１０６を特定するトラフィック指示メッセージを送信し得る。本明細書で使用される場合、データの「受信者」としてデバイスを特定する指示は、別のデバイスからデータを受信することが予定されているデバイス（そのデバイスがデータの一部、またはすべてをまだ受信していなくても）を特定する指示を指す。第２のデバイス１０６によって提供される可用性情報１１６に基づいて、第１のデバイス１０４は、第１のデバイス１０４がポーリングフレームまたはトリガフレームなどを介して第２のデバイス１０６の可用性を決定するまで、（データウィンドウの間に）データを第２のデバイス１０６に送信するのを控え得る。
【００６４】
[0088]ある特定の実装形態では、データは、「データリンクグループ」チャネルと呼ばれる第２のワイヤレスチャネルを介して、データリンクグループのデバイス間で送信され得る。本明細書で使用される場合、「データリンクグループチャネル」は、あるサービスを共有することに関するページングメッセージなどのメッセージを通信し、そのサービスと関連付けられるデータを通信するために、対応するデータリンクグループ中のデバイスのために確保されている特定のワイヤレスチャネルである。論理チャネルは、データリンクグループチャネルおよび１つまたは複数の送信ウィンドウに対応し得る。たとえば、データは、１つまたは複数の送信ウィンドウの間に、データリンクグループチャネルを介してデータリンクグループのデバイス間で送信され得る。本明細書で使用される場合、「データリンクグループチャネル」は、データリンクグループネットワークと関連付けられ、データリンクグループネットワークにおける通信は、データリンクグループチャネルを通じて実行され得る。加えて、データリンクグループチャネルは、セキュリティ情報を共有するために、関連付け動作を実行するために、および（マルチホップデータリンクグループにおいて）ルーティング動作を実行するために使用され得る。
【００６５】
[0089]いくつかの実装形態では、データリンクグループチャネルおよびＮＡＮ通信チャネルは、異なるワイヤレス周波数帯域に対応する異なるワイヤレスチャネルであり得る。ある特定の実装形態では、ＮＡＮ通信チャネルは２．４ギガヘルツ（ＧＨｚ）のチャネルであってよく、データリンクグループチャネルは５ＧＨｚのチャネルであってよい。他の実装形態では、データリンクグループチャネルおよびＮＡＮ通信チャネルは同じワイヤレスチャネルであり得る。たとえば、デバイス１０４、１０６、１０８、１１０の１つまたは複数は、ＮＡＮ１０２を介して（たとえば、ＮＡＮ通信チャネルを介して）データリンクグループとデータを共有し得る。いくつかの実装形態では、ＮＡＮ１０２は複数のデータリンクグループを含むことがあり、複数のデータリンクグループの各々は別個のデータリンクグループチャネルに対応することがある。複数のデータリンクグループは、ＮＡＮ１０２中の異なるデバイスによって提供される異なるサービスに対応し得る。他の実装形態では、複数のデータリンクグループのデバイスは、ＮＡＮ１０２を介してデータを共有し得る。いくつかの実装形態では、複数のデータリンクグループのデバイスは、別個の送信ウィンドウの間に同じデータリンクグループチャネルを介してデータを共有し得る。
【００６６】
[0090]動作の間、ＮＡＮ１０２のデバイスのうちの１つは、ＮＡＮ規格またはプロトコルに従って、同期（ｓｙｎｃ）ビーコンを生成して送信し得る。たとえば、第３のデバイス１０８は、ＮＡＮ通信チャネルを介して同期ビーコンを送信し得る。同期ビーコンがＮＡＮ１０２全体に伝播するように、第３のデバイス１０８の１ホップ範囲内の任意のデバイスが同期ビーコンを再送信し得る。デバイス１０４、１０６、１０８、１１０の各々は、同期ビーコンを受信することができ、同期ビーコンに基づいて同期動作を実行することができる。たとえば、デバイス１０４、１０６、１０８、１１０は、同期ビーコンを受信したことに基づいて、内部クロックなどのタイミング回路を同期することができる。
【００６７】
[0091]第１のデバイス１０４は、本明細書で説明されるように、同期動作を実行した後で、ＮＡＮ１０２の他のデバイスに対する特定のサービスの提供者デバイスとして動作することを開始し得る。第１のデバイス１０４の提供者論理１３０は、第１の複数の論理チャネルを決定し得る。たとえば、提供者論理１３０は、デフォルトのデータに基づいて、第１のデバイス１０４のユーザの入力に基づいて、または両方に基づいて、第１の複数の論理チャネルを決定し得る。第１の複数の論理チャネルは、図２を参照して説明されるように、複数の通信チャネル（たとえば、ワイヤレス通信チャネル）および１つまたは複数の関連する送信ウィンドウに対応し得る。提供者論理１３０は、複数の利用可能な論理チャネルを決定し得る。たとえば、複数の利用可能な論理チャネルは、他のデータ提供者グループに参加することなどのために第１のデバイス１０４の提供者論理１３０によって使用されていない、第１の複数の論理チャネルのサブセットであり得る。
【００６８】
[0092]第１のデバイス１０４の提供者論理１３０は、特定のサービスを提供するために、複数の利用可能な論理チャネルから１つまたは複数の論理チャネル１５０を選択し得る。たとえば、第１のデバイス１０４の提供者論理１３０は、本明細書で説明されるように、特定のサービスのレイテンシ感受性に基づいて、論理チャネル１５０のうちの少なくとも１つの論理チャネルを選択し得る。非限定的な例として、特定のサービスは、オーディオストリーミングサービス、ゲームサービス、音楽提供サービス、またはメッセージサービスであり得る。
【００６９】
[0093]ある特定の例では、ゲームサービスは第１のレイテンシ感受性を有することがあり、メッセージサービスは第２のレイテンシ感受性を有することがあり、第１のレイテンシ感受性は第２のレイテンシ感受性より高いことがある。複数の利用可能な論理チャネルの第１の論理チャネルは第１の数の送信ウィンドウを含むことがあり、複数の利用可能な論理チャネルの第２の論理チャネルは第２の数の送信ウィンドウを含むことがあり、第２の数は第１の数より大きいことがある。この例では、第１のデバイス１０４の提供者論理１３０は、特定のレイテンシ感受性の閾値を満たす第１のレイテンシ感受性をゲームサービスが有すると決定したことに応答して、論理チャネル１５０に含めるために第２の論理チャネルを選択し得る。別の例として、第１のデバイス１０４の提供者論理１３０は、特定のレイテンシ感受性の閾値を満たさない第２のレイテンシ感受性をメッセージサービスが有すると決定したことに応答して、論理チャネル１５０を含むために第１の論理チャネルを選択し得る。
【００７０】
[0094]第１のデバイス１０４の提供者論理１３０は、第１のデバイス１０４が論理チャネル１５０を介して通信するのに利用可能であることを示すメッセージ（たとえば、サービス広告１２０）を生成し得る。たとえば、提供者論理１３０は、特定のサービスの可用性を公告するためにサービス広告１２０を生成し得る。サービス広告１２０は論理チャネル１５０を示し得る。たとえば、サービス広告１２０は、論理チャネルに対応するインデックスのリストを含み得る。インデックスのリストは、論理チャネル１５０の各論理チャネルに特定のインデックスをマッピングする、マッピングデータに基づき得る。マッピングデータは、デバイス１０４、１０６、１０８、および１１０の１つまたは複数が入手可能であり得る。
【００７１】
[0095]ある特定の実装形態では、第１のデバイス１０４は、基本通信チャネルを介して特定のサービスを提供し得る。基本通信チャネルは、図３および図４に関して以下でさらに説明されるように、ＮＡＮ発見ウィンドウの終了後に開始するＮＡＮチャネルの送信ウィンドウに対応し得る。ある特定の実装形態では、サービス広告１２０は、基本通信チャネルを示さないことがある。第２のデバイス１０６などのデバイスの加入者論理１３４は、サービス広告１２０が基本通信チャネルを示すかどうかにかかわらず、サービス広告１２０を受信したことに応答して、第１のデバイス１０４が基本通信チャネルを介して特定のサービスを提供するのに利用可能であると見なすことがある。論理チャネル１５０は、補助通信チャネルとも呼ばれる補助チャネルに対応し得る。
【００７２】
[0096]第１のデバイス１０４の提供者論理１３０は、ＮＡＮ発見ウィンドウの間に、第２のデバイス１０６および第３のデバイス１０８などのＮＡＮ１０２のデバイスに、第１のデバイス１０４の送受信機１３６を介してサービス広告１２０を送信し得る。デバイス１０４、１０６、１０８、および／または１１０は、ＮＡＮ発見ウィンドウの間にＮＡＮチャネルを監視し得る。１つまたは複数のデバイス（たとえば、第２のデバイス１０６および第３のデバイス１０８）は、ＮＡＮ発見ウィンドウの間にサービス広告１２０を受信し得る。
【００７３】
[0097]ある特定の実装形態では、第２のデバイス１０６の加入者論理１３４は、サービス広告１２０を受信したことに応答して、加入メッセージ１２４を生成し得る。たとえば、第２のデバイス１０６の加入者論理１３４は、サービス広告１２０を受信したことと、第２のデバイス１０６が論理チャネル１５０のうちの少なくとも１つを介して通信するのに利用可能であると決定したこととに応答して、加入メッセージ１２４を生成し得る。加入メッセージ１２４は、第２のデバイス１０６が通信するのに利用可能であることを、暗黙的または明示的に示し得る。第２のデバイス１０６の加入者論理１３４は、第２のデバイス１０６の送受信機１３６を介して、加入メッセージ１２４を第１のデバイス１０４に送信し得る。
【００７４】
[0098]第１のデバイス１０４の提供者論理１３０は、加入メッセージ１２４を受信し得る。第１のデバイス１０４の提供者論理１３０は、加入メッセージ１２４を受信したことに基づいて、第２のデバイス１０６が通信するのに利用可能であることを決定し得る。ある特定の実装形態では、加入メッセージ１２４は、第２のデバイス１０６が通信するのに利用可能であることを明示的に示し得る。たとえば、加入メッセージ１２４の特定のフィールドの値は、第２のデバイス１０６が通信するのに利用可能であるかどうかを示し得る。この実装形態では、第１のデバイス１０４の提供者論理１３０は、加入メッセージ１２４の特定のフィールドが特定の値（たとえば、１）を有すると決定したことに応答して、第２のデバイス１０６が通信するのに利用可能であると決定し得る。ある代替的な実装形態では、加入メッセージ１２４は、第２のデバイス１０６が通信するのに利用可能であることを暗黙的に示し得る。この実装形態では、第１のデバイス１０４の提供者論理１３０は、加入メッセージ１２４を受信したことに応答して、第２のデバイス１０６が通信するのに利用可能であることを決定し得る。
【００７５】
[0099]ある特定の実装形態では、第１のデバイス１０４の提供者論理１３０は、加入メッセージ１２４を受信したことに応答して、第２のデバイス１０６に肯定応答（ＡＣＫ）を送信し得る。ある代替的な実装形態では、提供者論理１３０はＡＣＫを送信しないことがある。たとえば、第１のデバイス１０４と第２のデバイス１０６との間のハンドシェイクプロセスは、提供者論理１３０が加入メッセージ１２４を受信することで終了し得る。
【００７６】
[0100]論理チャネル１５０の各々に対応するデータリンクグループは、第１のデバイス１０４と第２のデバイス１０６とを含み得る。ある特定の実装形態では、第１のデバイス１０４は、デバイス１０６、１０８、および／または１１０などの複数の加入者デバイスから加入メッセージを受信し得る。特定の論理チャネルに対応するデータリンクグループは、第１のデバイス１０４と、加入メッセージにより応答した各加入者デバイスとを含み得る。基本通信チャネルに対応するデータリンクグループは、第１のデバイス１０４と、サービス広告１２０に対する加入メッセージにより応答した各加入者デバイスとを含み得る。
【００７７】
[0101]各データリンクグループは、特定の論理チャネルに対応し得る。たとえば、各データリンクグループは、特定の通信チャネルおよび１つまたは複数の送信ウィンドウに対応し得る。例示すると、基本通信チャネルと関連付けられるデータリンクグループは、図３に関してさらに説明されるように、ＮＡＮ通信チャネルと、ＮＡＮ発見ウィンドウの最後において開始する送信ウィンドウとに対応し得る。
【００７８】
[0102]特定のデータリンクグループに参加するデバイスは、１つまたは複数の送信ウィンドウの各々の最初の部分（たとえば、ページングウィンドウ）の間、特定の通信チャネルを監視し得る。たとえば、第１のデバイス１０４および第２のデバイス１０６は、ＮＡＮ発見ウィンドウが終了するときに終了するページングウィンドウの間、ＮＡＮ通信チャネルを監視し得る。別の例として、第１のデバイス１０４および第２のデバイス１０６は、１つまたは複数の対応する送信ウィンドウの各々のページングウィンドウの間、論理チャネル１５０の各々に対応する特定の通信チャネルを監視し得る。
【００７９】
[0103]ある特定の実装形態では、データリンクグループに参加するデバイスは、１つまたは複数の対応する送信ウィンドウの各々の少なくとも第１の数のページングウィンドウの間、対応する通信チャネルを監視し得る。たとえば、論理チャネル１５０の第１の論理チャネルは、第１の通信チャネルおよび１つまたは複数の送信ウィンドウに対応し得る。第２のデバイス１０６の加入者論理１３４は、１つまたは複数の送信ウィンドウのページングウィンドウの少なくとも第１の割合（たとえば、５０％）の間、第１の通信チャネルを監視し得る。たとえば、第２のデバイス１０６の加入者論理１３４は、第１のページングウィンドウの間第１の通信チャネルを監視することができ、第２のページングウィンドウの間第１の通信チャネルを監視するのを控えることができる。第１のページングウィンドウおよび第２のページングウィンドウは、同じ発見期間の間に、または別個の発見期間の間に発生し得る。本明細書で言及される場合、「発見期間」は、第１の発見ウィンドウの最後と次の発見ウィンドウの最初との間の時間期間を指し得る。
【００８０】
[0104]図１に示される例では、第１のデバイス１０４の提供者論理１３０は、第１のデバイス１０４が第２のデバイス１０６へ送信されるべきデータを有すると決定したことに応答して、ページングメッセージ１２８を生成し得る。ページングメッセージ１２８は、第１のデバイス１０４が第２のデバイス１０６へ送信すべきデータを有することを示し得る。たとえば、ページングメッセージ１２８は、第２のデバイス１０６などの１つまたは複数の受信者を示し得る。
【００８１】
[0105]第１のデバイス１０４の提供者論理１３０は、第１の送信ウィンドウの第１のページングウィンドウの間に第１の通信チャネルを介してページングメッセージ１２８を送信し得る。第１のデバイス１０４の提供者論理１３０は、第１のデバイス１０４の送受信機１３６を介して、ページングメッセージ１２８を送信し得る。第１の通信チャネルおよび第１の送信ウィンドウは、論理チャネル１５０の第１の論理チャネルに対応し得る。ある特定の実装形態では、ページングメッセージ１２８は、アドホックトラフィック指示メッセージ（ＡＴＩＭ：ad-hoc traffic indication message）を含み得る。たとえば、ページングメッセージ１２８は、第１の送信ウィンドウの最初にあるＡＴＩＭウィンドウの間に送信され得る。
【００８２】
[0106]ある特定の実装形態では、ページングメッセージ１２８は、受信者を示すアドレスリスト１６０を含み得る。いくつかの場合、アドレスリスト１６０は、トラフィック指示マップ（ＴＩＭ）によって表され得る。ＴＩＭは、特定のデバイスが送信されるべきデータ１２２の受信者であることを示すビットマップであり得る。ＴＩＭの各ビットは、データリンクグループの異なるデバイスに対応することがあり、各ビットの値は、対応するデバイスがデータ１２２の受信者であるかどうかを示すことがある。ＴＩＭのビットと各デバイスとの間の対応付けは、関連付け識別子（ＡＩＤ：association identifier）に基づき得る。たとえば、第２のデバイス１０６が第１のデバイス１０４と関連付けを行い得るとき、デバイス１０４、１０６は、ＡＩＤを生成して交換することができる。例示すると、第２のデバイス１０６は、第１のデバイス１０４と関連付けを行うことがあり、第１のデバイス１０４から第１のＡＩＤ（たとえば、２）を受信することがある。デバイス１０８および１１０は、第１のデバイス１０４との関連付けの間に、別個のＡＩＤ（たとえば、それぞれ３および４）を受信し得る。ＡＩＤは、第１のデバイス１０４から受信されたＴＩＭ中の対応するビットを特定するために、デバイス１０６、１０８、１１０によって使用され得る。たとえば、ＴＩＭの第２のビットは、２というＡＩＤが原因で第２のデバイス１０６に対応し得る。この例では、ＴＩＭの第３のビットおよび第４のビットはそれぞれ、デバイス１０８および１１０に対応し得る（ＴＩＭの第１のビットは予備であり得る）。
【００８３】
[0107]いくつかの実装形態では、ページングメッセージ１２８は、特定の受信機アドレス値１７０を有する受信機アドレスフィールドを含む。特定の受信機アドレス値１７０を有する受信機アドレスフィールドは、異なるタイプのメッセージと比較して、ページングメッセージ１２８がページングメッセージであることを、ページングメッセージ１２８を受信するデバイスに対して示し得る。ある特定の実装形態では、特定の受信機アドレス値１７０は、デバイス１０４、１０６、１０８、および１１０のメモリに記憶される。たとえば、特定の受信機アドレス値１７０は、製造および生産の間に、デバイス１０４、１０６、１０８、および１１０のメモリにプログラムまたは記憶され得る。特定の受信機アドレス値１７０は、デバイス１０４、１０６、１０８、および１１０の各々に共通であり得る。いくつかの実装形態では、特定の受信機アドレス値１７０は、ＮＡＮ規格または他のワイヤレス通信規格において定義され得る。たとえば、特定の受信機アドレス値１７０は、ＩＥＥＥ規格、Ｗｉ−Ｆｉ  Ａｌｌｉａｎｃｅ（登録商標）仕様、または両方によって定義され得る。他の実装形態では、特定の受信機アドレス値１７０は、デバイス１０４、１０６、１０８、および１１０の動作の間に決定される値に関し得る。１つの非限定的な例として、特定の受信機アドレス値１７０は、ＮＡＮ１０２に関するＮＡＮクラスタ識別子（ＩＤ）であり得る。別の非限定的な例として、特定の受信機アドレス値１７０は、データリンクグループに関するデータリンクグループＩＤであり得る。
【００８４】
[0108]ページングメッセージ１２８を受信した後で、デバイス１０６、１０８、および１１０の各々が、ページングメッセージ１２８がページングメッセージであるかどうかを決定するための受信機アドレスフィールドを含む、ページングメッセージ１２８の一部分を処理し得る。たとえば、デバイス１０６、１０８、および１１０の加入者論理１３４は、受信されたメッセージがページングメッセージであるかどうかを決定するために、ヘッダの一部分または他の部分などの、受信されたメッセージの一部分を処理するように構成され得る。いくつかの実装形態では、受信機アドレスフィールドはページングメッセージ１２８に含まれる第１のアドレスフィールドであることがあり、デバイス１０６、１０８、および１１０は、第１のアドレスフィールドまでページングメッセージ１２８を処理するように構成され得る。他の実装形態では、受信機アドレスフィールドは異なるアドレスフィールドであることがあり、デバイス１０６、１０８、および１１０は、受信機アドレスフィールドまでページングメッセージ１２８を処理するように構成され得る。受信されたメッセージのその部分を処理することは、受信機アドレスフィールドの値を決定することと、その値を特定の受信機アドレス値１７０と比較することとを含み得る。受信機アドレスフィールドが特定の受信機アドレス値１７０を有する場合、デバイス１０６、１０８、および１１０は、受信されたメッセージがページングメッセージ（たとえば、ページングメッセージ１２８）であると決定する。受信機アドレスフィールドが特定の受信機アドレス値１７０とは異なる値を有する場合、デバイス１０６、１０８、および１１０は、受信されたメッセージがページングメッセージではないと決定する。受信されたメッセージの小さな部分が処理されるので、受信されたメッセージがページングメッセージであるかどうかを決定することは、受信されたメッセージのより大きな部分または全体を処理する場合よりも高速に、より少量の処理リソースで実行され得る。
【００８５】
[0109]ページングメッセージ１２８をページングメッセージとして識別したことに応答して、デバイス１０６、１０８、および１１０の１つまたは複数は、肯定応答（ＡＣＫ）１８０を第１のデバイス１０４に送信し得る。たとえば、第２のデバイス１０６、第３のデバイス１０８、または両方が、ＡＣＫ１８０を第１のデバイス１０４に送信し得る。ＡＣＫ１８０は、ページングメッセージ１２８によってデータ１２２の受信者として示されないデバイスによって送信され得る。たとえば、第３のデバイス１０８は、第３のデバイス１０８がデータ１２２の受信者として示されなくても、ＡＣＫ１８０を送信し得る。例示すると、第３のデバイス１０８は、第３のデバイス１０８が受信者として示されるかどうかを決定するために、ページングメッセージ１２８の他の部分を処理する前に、受信機アドレスフィールドを含むページングメッセージ１２８の部分を処理することができる（およびＡＣＫ１８０を送信することができる）。ある特定の実装形態では、デバイス１０６、１０８、および１１０は、ページングメッセージ１２８を受信してから短フレーム間空間（ＳＩＦＳ：short interframe space）期間内にＡＣＫ１８０を送信するように構成され得る。ＡＣＫ１８０を送信する前にページングメッセージ１２８の小さい部分をデバイスが処理するので、ページングメッセージ１２８のその部分を処理することおよびＡＣＫ１８０の送信は、ＳＩＦＳ期間内に発生し得る。
【００８６】
[0110]いくつかの実装形態では、第１のデバイス１０４は、データリンクグループの複数のデバイスから複数のＡＣＫ１８０を受信し得る。ある特定の実装形態では、複数のデバイスは、同じスクランブリングシードに基づいて複数のＡＣＫ１８０を生成する。この実装形態では、複数のＡＣＫ１８０は、同じ波形を有し、第１のデバイス１０４においてマルチパス送信として受信される。別の特定の実装形態では、複数のデバイスは、異なるスクランブリングシードに基づいて複数のＡＣＫ１８０を生成する。この実装形態では、複数のデバイスはＳＩＦＳ期間内に複数のＡＣＫ１８０を送信し得る。複数のＡＣＫ１８０が異なるスクランブリングシードに基づいて生成され、同時に送信されるので、第１のデバイス１０４は、複数のＡＣＫ１８０によって引き起こされる干渉が原因で、複数のＡＣＫ１８０を復号することが可能ではないことがある。この場合、第１のデバイス１０４は、複数のＡＣＫ波形に対応する送信されるエネルギーのレベルを検出するために、ＳＩＦＳ期間の間ワイヤレスネットワークを監視し得る。閾値を超える送信されるエネルギーのレベルを検出すると、第１のデバイス１０４は、送信されたエネルギーのレベルを、複数のＡＣＫ波形が受信されていることの指示として解釈し得る。
【００８７】
[0111]ページングメッセージ１２８は、１つまたは複数のフレームを含むことがあり、またはそれらに対応することがある。フレームは、ＩＥＥＥ  ８０２．１１規格またはＮＡＮ規格などのワイヤレス通信規格において定義され得る。いくつかの実装形態では、ページングメッセージ１２８は、管理フレームまたはアクションフレームを含む。非限定的な例として、アクションフレームはパブリックアクションフレームを含み得る。他の実装形態では、ページングメッセージ１２８は、サービス告知とも呼ばれ得るサービス発見フレーム（ＳＤＦ）を含む。ＳＤＦは、デバイスのサブセットに関する情報を含む属性１７２と、第１のデバイス１０４によって送信されるべきトラフィック（たとえば、データ１２２）のタイプと、他の情報とを含み得る。属性１７２は、「トラフィック告知属性」または「ページ属性」と呼ばれ得る。ＳＤＦは属性１７２を含むものとして説明されるが、他の実装形態では、ページングメッセージ１２８は、管理フレームまたはアクションフレームなどの他のフレームを含むことがあり、他のフレームは属性１７２を含むことがある。
【００８８】
[0112]属性１７２は、被ページングデバイスリスト（ＰＤＬ）１７４を含む。ＰＤＬ１７４は、第１のデバイス１０４からデータ１２２を受信することが予定されているデバイスのサブセットを特定し得る。たとえば、第１のデバイス１０４は、送信ウィンドウの一部分の間に、デバイスのサブセット中のデバイスにデータ１２２を送信するように構成され得る。いくつかの実装形態では、ページングメッセージ１２８はアドレスリスト１６０の代わりにＰＤＬ１７４を含む。ある特定の実装形態では、ＰＤＬ１７４はＴＩＭによって示される。別の特定の実装形態では、ＰＤＬ１７４はブルームフィルタによって示される。ブルームフィルタは、あるセットのメンバーを明示的に特定することなく、そのセットのメンバーであることを示すデータ構造である。ある特定の実装形態では、データ構造はビットの列であり得る。ブルームフィルタは、データ１２２を受信することが予定されているデバイスのサブセットを特定し得る。ブルームフィルタは、ＴＩＭより小さく、より少ない記憶空間を使用し得るので、ＰＤＬ１７４としてＴＩＭを使用することと比較して、ブルームフィルタを送信するために消費される電力を減らすことができ、ページングメッセージ１２８のサイズを減らすことができる。デバイスは、ハッシュ関数のセットを使用して、ブルームフィルタにおいてデータ１２２のターゲットとして示され得る。たとえば、ブルームフィルタは、論理値０に初期化されるｍビットのビットアレイであることがあり、ブルームフィルタは、ハッシュ関数のセットに対応することがある。あるデバイスがデータ１２２を受信することが予定されていることを示すために、そのデバイスに対応するビットの列が、ビット位置のセットを生成するためにハッシュ関数の中を通されることがあり、ビット位置のそのセットに対応するブルームフィルタ中の各ビットは、論理値１に設定される。ある特定の実装形態では、ハッシュ関数のセットの中を通されるビットの列は、データ１２２のターゲットとして示されるデバイスの媒体アクセス制御（ＭＡＣ）アドレスである。他のデバイスは、ＭＡＣアドレスなどのビットの対応する列に基づいてビット位置の対応するセットを決定することによって、および、ビット位置のセットに対応するブルームフィルタ中の各ビットを論理値１に設定することによって、データ１２２のターゲットとして示され得る。別の特定の実装形態では、ＰＤＬ１７４はＭＡＣアドレスのリストによって示される。ページングメッセージ１２８を受信する各デバイスは、対応するデバイスが第１のデバイス１０４からデータ１２２を受信することが予定されているデバイスのサブセットに含まれているかどうかを決定するために、ＰＤＬ１７４を処理するように構成され得る。
【００８９】
[0113]いくつかの実装形態では、属性１７２のＰＤＬ制御フィールドはトラフィックタイプインジケータを含む。トラフィックタイプインジケータは、データ１２２に対応するトラフィックのタイプを特定し得る。たとえば、トラフィックタイプインジケータは、データ１２２が音声データであるか、ビデオデータであるか、パケットデータであるか、または他のタイプのデータであるかを特定し得る。ある特定の実装形態では、トラフィックタイプインジケータは、データ１２２のサービス品質（ＱｏＳ）カテゴリを特定し得る。送信が予定されているデータの様々なタイプを示すために、複数のトラフィックタイプインジケータが使用され得る。ある例として、第１のデバイス１０４は、データリンクグループのデバイスに送信すべき２つのタイプのデータを有し得る。第１のデバイス１０４は複数のタイプのデータの送信を予定しているので、ページングメッセージ１２８は複数の属性を含む。たとえば、第１のデバイス１０４が送信を予定されている２つのタイプのデータを有する場合、ページングメッセージ１２８は第１の属性と第２の属性とを含む。２つの属性は各々、送信が予定されているデータのタイプのうちの１つを示すトラフィックタイプインジケータを（ＰＤＬ制御フィールドにおいて）含み得る。たとえば、送信が予定されている音声データとパケットデータとを第１のデバイス１０４が有する場合、第１の属性は音声データを示すトラフィックタイプインジケータを含むことがあり、第２の属性はパケットデータを示すトラフィックタイプインジケータを含むことがある。
【００９０】
[0114]加えて、ＰＤＬ制御フィールドはＰＤＬ１７４のタイプを示し得る。たとえば、第１の値を有するＰＤＬ制御フィールドのビットのセットは、ＰＤＬ１７４がＴＩＭによって示されることを示すことがあり、第２の値を有するＰＤＬ制御フィールドのビットのセットは、ＰＤＬ１７４がブルームフィルタによって示されることを示すことがあり、第３の値を有するＰＤＬ制御フィールドのビットのセットは、ＰＤＬ１７４がＭＡＣアドレスのリストによって示されることを示すことがある。加えて、第４の値を有するＰＤＬ制御フィールドのビットのセットは、データリンクグループに対応する新たな共通グループ鍵（ＣＧＫ：common group key）が生成されていることを示し得る。ＰＤＬ制御フィールドのビットのセットが第４の値を有する場合、ＣＧＫを生成したデバイスのＭＡＣアドレスはＰＤＬ１７４に含まれる。ＣＧＫは、デバイス１０４、１０６、１０８、および１１０が、データリンクグループを介してワイヤレス通信を実行することを可能にし得る。たとえば、ＣＧＫは、データリンクグループのデバイス間で送信されるメッセージを暗号化して復号するために使用され得る。いくつかの実装形態では、属性１７２はページ制御フィールド１７６も含む。ページ制御フィールド１７６は、ページングメッセージ１２８に含まれるＰＤＬの数を示し得る。ページ制御フィールド１７６はまた、送信が予定されているデータ１２２がマルチキャストデータであるかユニキャストデータであるかを示し得る。属性１７２およびページ制御フィールド１７６の追加の詳細が、図１１および図１２を参照して説明される。
【００９１】
[0115]デバイス１０６、１０８、および１１０の各々は、ＴＩＭ中の対応するビット（アドレスリスト１６０）に基づいて、または第１のデバイス１０４から受信されたＰＤＬ１７４に基づいて、データ１２２を受信することが予定されているかどうかを決定し得る。たとえば、第２のデバイス１０６は、ＴＩＭの第２のビットが１という論理値を有することに基づいて、第２のデバイス１０６がデータ１２２を受信することが予定されていると決定することができ、デバイス１０８および１１０は、第３のビットおよび第４のビットが論理値０を有することに基づいて、デバイス１０８および１１０がそれぞれ、データ１２２を受信することが予定されていないと決定することができる。別の例として、第２のデバイス１０６は、ＴＩＭ、ブルームフィルタ、またはＭＡＣアドレスのリストであり得るＰＤＬ１７４に基づいて、第２のデバイス１０６がデータを受信することが予定されていると決定し得る。したがって、第２のデバイス１０６は、第１の送信ウィンドウの残りの部分の間、アクティブ動作モードにとどまり得る。残りの部分はデータ送信ウィンドウを含み得る。例示すると、第２のデバイス１０６の加入者論理１３４は、データ送信ウィンドウの間、第１の通信チャネルを監視し得る。ある特定の実装形態では、第２のデバイス１０６の加入者論理１３４（または第１のデバイス１０４の提供者論理１３０）は、データ送信ウィンドウの間に第１の通信チャネルを監視するために、第２のデバイス１０６（または第１のデバイス１０４）の送受信機１３６のチャネルを第１の通信チャネルに変更し得る。
【００９２】
[0116]ある特定の実装形態では、第２のデバイス１０６の加入者論理１３４は、第２のデバイス１０６がページングメッセージ１２８によって第１のデバイス１０４からのデータ１２２の受信者として示されると決定したことに基づいて、データ送信ウィンドウの間にトリガフレーム１８２を第１のデバイス１０４に送信し得る。トリガフレーム１８２は、第２のデバイス１０６の加入者論理１３４がデータ１２２を受信する準備ができていることを示し得る。たとえば、トリガフレーム１８２は、第２のデバイス１０６が送信ウィンドウの間にアクティブ動作モードにあることが予定されていることを示し得る。ある特定の実装形態では、節電ポール（ＰＳ−ＰＯＬＬ）メッセージがトリガフレーム１８２として動作し得る。ある特定の実装形態では、第２のデバイス１０６の加入者論理１３４は、データ送信ウィンドウの最初の部分（たとえば、肯定応答ウィンドウ）の間に、第１の通信チャネルを介してＰＳ−ＰＯＬＬメッセージを送信し得る。別の特定の実装形態では、サービス品質ヌル（ＱｏＳ＿ＮＵＬＬ）メッセージがトリガフレーム１８２として動作し得る。ある特定の実装形態では、トリガフレーム１８２のトラフィックタイプは高優先度トラフィックタイプに設定され得る。たとえば、トリガフレーム１８２に対応するＱｏＳカテゴリは、音声データなどの高優先度カテゴリに設定され得る。トラフィックタイプを高優先度タイプに設定することによって、トリガフレーム１８２は、送信される可能性がより高くなり得るので、高優先度の送信が完了してトリガフレームの送信のためにワイヤレスネットワークが空くようになるまでトリガフレームが待ち行列に入れられることによって引き起こされる遅延を減らし、またはなくす。ある特定の実装形態では、第２のデバイス１０６は、ページングメッセージ１２８に加えて、異なるデバイス（図示されない）から第２のページングメッセージを受信し得る。この実装形態では、第２のデバイス１０６は、トリガフレーム１８２を第１のデバイス１０４および異なるデバイスにマルチキャストし得る。このようにして、マルチキャストトリガフレームは、デバイスが複数のデバイスからトラフィックを受信することが予定されている場合、複数のデバイスに送信され得る。マルチキャストトリガフレームを使用することで、トリガフレームの数を減らすことができるので、ワイヤレスネットワークの混雑が減る。
【００９３】
[0117]ある特定の実装形態では、デバイス１０４、１０６、１０８、および１１０は、ＡＣＫ間の、トリガフレーム間の、または両方の間のコリジョンを減らすために、コンテンション軽減技法を実行するように構成され得る。コンテンション軽減を実行するために、デバイス１０４、１０６、１０８、および１１０の各々が、１つまたは複数のバックオフカウンタを含み、記憶し、および／または維持し得る。１つまたは複数のバックオフカウンタは、ページングウィンドウ（または送信ウィンドウ）の間に、ＡＣＫまたはトリガフレームの送信をいつ開始するかを決定するために、デバイス１０４、１０６、１０８、および１１０によって使用され得る。例示すると、ページングメッセージ１２８を受信した後で、第２のデバイス１０６および第３のデバイス１０８は、間隔［０，ＣＷ］にわたる均一な分布からランダムに導かれる値にバックオフカウンタを設定することができ、ここでＣＷはコンテンションウィンドウパラメータである。いくつかの実装形態では、ＣＷは、事前にプログラムされた値またはワイヤレス通信規格によって設定される値などの、ある特定の値を有する。他の実装形態では、ＣＷは、本明細書でさらに説明されるように、ページングウィンドウの長さに基づく。他の実装形態では、コンテンションウィンドウパラメータまたは別のパラメータなどの分布パラメータが、ＡＣＫを分布させるためにデバイス１０４、１０６、１０８、１１０の１つまたは複数によって使用され、またはトリガフレームが、ページングメッセージによって示される。たとえば、ＰＤＬ１７４またはアドレスリスト１６０におけるデバイス１０４、１０６、１０８、１１０の順序は、各デバイス１０４、１０６、１０８、１１０のためのＣＷに対応し得る。例示すると、アドレスリスト１６０中の第１の位置と関連付けられるデバイスは第１のＣＷを使用することがあり、アドレスリスト１６０中の第２の位置と関連付けられるデバイスは第２のＣＷを使用することがあり（ここで第２のＣＷは第１のＣＷと異なる）、以下同様である。第２のデバイス１０６におけるバックオフカウンタが０に達する場合、第２のデバイス１０６はＡＣＫ１８０を第１のデバイス１０４に送信する。第３のデバイス１０８におけるバックオフカウンタが０に達する場合、第３のデバイス１０８はＡＣＫ１８０を送信する。いくつかの実装形態では、第２のデバイス１０６と第３のデバイス１０８のうちの１つがすでにＡＣＫ１８０を送信している場合、他はＡＣＫ１８０を送信しない。代替的に、第２のデバイス１０６および第３のデバイス１０８は、バックオフカウンタの異なるランダムな値に基づいて、異なる時間においてＡＣＫ１８０を送信し得る。バックオフカウンタは、トリガフレーム１８２を送信するために上で説明されたのと同じ方式で使用され得る。他の実装形態では、ＡＣＫまたはトリガフレームが送信される時間をさらにランダムにするために、２つ以上のバックオフカウンタが使用され得る。コンテンション軽減を実行することの追加の詳細および他の実装形態が、本明細書でさらに説明される。
【００９４】
[0118]ある特定の実装形態では、ページングメッセージ１２８を送信する前に、第１のデバイス１０４は、第１のデバイス１０４からデータを受信することが予定されているデバイスのサブセットに含まれるデバイスに、第１のｒｅｑｕｅｓｔ  ｔｏ  ｓｅｎｄ（ＲＴＳ）メッセージ１８４を送信し得る。たとえば、第１のデバイス１０４は、ページングメッセージ１２８を送信する前に、第１のＲＴＳメッセージ１８４を第２のデバイス１０６に送信し得る。第２のデバイス１０６は、第１のＲＴＳメッセージ１８４を受信したことに応答して、第１のｃｌｅａｒ  ｔｏ  ｓｅｎｄ（ＣＴＳ）メッセージ１８６を第１のデバイス１０４に送信し得る。第１のＣＴＳメッセージ１８６は、第１のＲＴＳメッセージ１８４を受信することの短フレーム間空間（ＳＩＦＳ）期間内に送信され得る。データリンクグループの他のデバイスは、ワイヤレスネットワークを介して、第１のＲＴＳメッセージ１８４、第１のＣＴＳメッセージ１８６、または両方を検出することができ、他のデバイスは、第１のＲＴＳメッセージ１８４、第１のＣＴＳメッセージ１８６、または両方を検出したことに応答して、特定の時間期間の間ワイヤレスネットワークを介してデータを送信するのを控えることができる。したがって、第１のＲＴＳメッセージ１８４、第１のＣＴＳメッセージ１８６、または両方が、ページングメッセージ１２８の送信のためにワイヤレスネットワークを「クリアする」ことができる。第１のＣＴＳメッセージ１８６を受信したことに応答して、第１のデバイス１０４は、ページングメッセージ１２８をデータリンクグループのデバイスに送信し得る。ある特定の実装形態では、ページングメッセージ１２８は、第２のデバイス１０６を特定する値を有する第２の受信機アドレスを含み得る。別の特定の実装形態では、ページングメッセージ１２８は、マルチキャストアドレスを有する第２の受信機アドレスを含むマルチキャストメッセージを含み得る。
【００９５】
[0119]いくつかの状況では、第２のデバイス１０６は、データリンクグループの他のデバイスがワイヤレスネットワークの制御権を有することなどが原因で、ＳＩＦＳ期間内の第１のＣＴＳメッセージ１８６を送信することが可能ではないことがある。第１のデバイス１０４がＳＩＦＳ期間内に第１のＣＴＳメッセージ１８６を受信しない場合、第１のデバイス１０４は、デバイスのサブセットに含まれる異なるデバイスに第２のＲＴＳメッセージ１８８を送信し得る。たとえば、第１のデバイス１０４は、ページングメッセージ１２８を送信する前に、（第３のデバイス１０８がデバイスのサブセットに含まれていれば）第２のＲＴＳメッセージ１８８を第３のデバイス１０８に送信し得る。第２のＲＴＳメッセージ１８８を受信したことに応答して、第３のデバイス１０８は、第２のＣＴＳメッセージ１９０を第１のデバイス１０４に送信し得る。第２のＣＴＳメッセージ１９０を受信したことに応答して、第１のデバイス１０４は、ページングメッセージ１２８をデータリンクグループのデバイスに送信し得る。いくつかの実装形態では、データ１２２はマルチキャストデータであり得る。これらの実装形態では、ページングメッセージ１２８はマルチキャストインジケータを含み得る。たとえば、ページングメッセージ１２８は、データ１２２がユニキャストデータであるかマルチキャストデータであるかを示す、特定のフィールドを含み得る。マルチキャストデータは、複数のデバイスに同時に送信されるべきデータを含むことがあり、ブロードキャストデータを含むことがある。これらの実装形態では、第１のデバイス１０４は、第１のＲＴＳメッセージ１８４の受信者としてデータリンクグループの任意のデバイスを選択し得る。
【００９６】
[0120]第１のデバイス１０４の提供者論理１３０は、データ送信ウィンドウの間にトリガフレーム１８２（ＰＳ−ＰＯＬＬメッセージまたはＱｏＳ＿ＮＵＬＬメッセージ）を受信し得る。トリガフレーム１８２を受信したことに応答して、第１のデバイス１０４の提供者論理１３０は、データ送信ウィンドウの間に第１の通信チャネルを介して、データ１２２を第２のデバイス１０６に送信し得る。図１に示される例では、ページングメッセージ１２８はさらに、次のＮ個の論理チャネル１６４に対する可用性または不可用性の指示１６２を含む。以下でさらに説明されるように、第１のデバイス１０４によって提供される特定のサービスに加入している第２のデバイス１０６などの１つまたは複数の近隣のデバイスが、指示１６２に基づいて、１つまたは複数の動作を実行すべきかどうかを決定し得る。
【００９７】
[0121]ある特定の実装形態では、ページングメッセージ１２８に含まれる指示１６２は、次のＮ個の論理チャネル１６４に対する第１のデバイス１０４の不可用性の指示を表し得る。すなわち、図２に関して以下でさらに説明されるように、図１に示されるページングメッセージ１２８は、「現在の」論理チャネルを介して「現在の」ページング（トラフィック）告知を表すことがあり、不可用性の指示１６２は、特定のデータリンクグループのための論理チャネルのインデックスにおいて「現在の」論理チャネルに後続する「将来の」論理チャネルを表し得る。「現在の」論理チャネルおよび「将来の」論理チャネルと呼ばれるが、論理チャネルは、論理チャネルのインデックスにおいて参照される任意の論理チャネルであり得る。たとえば、非限定的な例として、「現在の」論理チャネルは論理チャネルのインデックスにおいて参照される第１の論理チャネルを指すことがあり、「将来の」論理チャネルは、第２の論理チャネルおよび第３の論理チャネルなどの、インデックスにおいて第１の論理チャネルに後続する１つまたは複数の論理チャネルを指すことがある。例示すると、「現在の」論理チャネルはインデックス中の第１の論理チャネルを表すことがあり、指示１６２は第１のデバイス１０４が次の４つの論理チャネルに対して利用不可能であることを指定し得る（すなわち、Ｎ＝４）。この例では、第１のデバイス１０４は、インデックス中の第１の論理チャネルからインデックス中の第５の論理チャネルまで利用不可能であることがあり、「将来の」論理チャネルは、第２の論理チャネルから第５の論理チャネルまでを指す。
【００９８】
[0122]不可用性の指示１６２を受信したことに応答して、第２のデバイス１０６の加入者論理１３４は、特定のデータリンクグループの論理チャネル１５０の次のＮ個の論理チャネル１６４を監視するのを控え得る。いくつかの場合、第２のデバイス１０６は、低電力動作モードにとどまることによって電力消費を減らし、次のＮ個の論理チャネル１６４（ページングウィンドウを含む）を監視するために起動するのを控え得る。代替的に、第２のデバイス１０６は、別のデータリンクグループと関連付けられる１つまたは複数の動作を実行し得る。たとえば、第２のデバイス１０６が複数の提供者に加入する場合、第２のデバイス１０６は、複数の提供者の各々と関連付けられる不可用性の共通部分に基づいて、節電動作または同時動作を予定することができる。説明のための非限定的な例として、第２のデバイス１０６は２つの提供者（たとえば、第１のデバイス１０４および別のデバイス）に加入し得る。いつ両方の提供者デバイスが不可用性を示すかに応じて、第２のデバイス１０６は、節電動作または同時動作を予定することができる。
【００９９】
[0123]別の実装形態では、ページングメッセージ１２８に含まれる指示１６２は、次のＮ個の論理チャネル１６４に対する第１のデバイス１０４の可用性の指示を表し得る。すなわち、図２に関して以下でさらに説明されるように、図１に示されるページングメッセージ１２８は、第１の論理チャネルを介してページング（トラフィック）告知を表すことがあり、可用性の指示１６２は、特定のデータリンクグループのための論理チャネルのインデックスにおいて第１の論理チャネルに後続する他の論理チャネルを表し得る。説明のための非限定的な例として、第１の論理チャネルはインデックス中の第１の論理チャネルを表すことがあり、指示１６２は第１のデバイス１０４が次の４つの論理チャネルに対して利用可能であることを指定し得る（すなわち、Ｎ＝４）。この例では、第１のデバイス１０４は、インデックス中の第１の論理チャネルからインデックス中の第５の論理チャネルまで利用可能であり得る。
【０１００】
[0124]可用性の指示１６２を受信したことに応答して、第２のデバイス１０６の加入者論理１３４は、第１のデバイス１０４に肯定応答を送信し得る。肯定応答はＰＳ−ＰＯＬＬメッセージであり得る。第１のデバイス１０４が加入者デバイスの各々から肯定応答を受信する場合、第１のデバイス１０４は、次のＮ個の論理チャネル１６４においてトラフィック告知を送信しなくてよい。代わりに、第１のデバイス１０４はデータトラフィックを送信することに進み得る。したがって、次のＮ個の論理チャネル１６４に対する可用性の指示１６２は、ページングメッセージおよび関連する肯定応答（ＡＣＫ）の数を減らすことができ、異なる時間周波数ブロック（たとえば、次のＮ個の論理チャネル１６４）にわたる長期間のデータ移送を可能にし得る。「将来の」可用性を告知することによって、第１のデバイス１０４は、後続の論理チャネルに対応する時間期間の間、ページングウィンドウにおいてトラフィック告知を含まないことがある。図９に関してさらに説明されるように、トラフィック告知のために通常は使用されるであろう少なくともいくつかのページングウィンドウが、代わりに、データトラフィックを送信するために使用され得る。すなわち、ページングウィンドウ（ＰＷ）部分とデータ部分とを含む送信ウィンドウに対して、ＰＷ部分と関連付けられる時間の少なくとも一部分がデータ送信のために使用され得る。
【０１０１】
[0125]ある特定の実装形態では、指示１６２は、第１のビット（たとえば、１）を介して可用性を特定することがあり、第２のビット（たとえば、０）を介して不可用性を特定することがある。説明のための非限定的な例として、第１のデバイス１０４が次のＮ個の論理チャネル１６４に対して利用可能であることを示すために、指示は［１，Ｎ］を含むことがあり、ここでＮは整数値である。第１のデバイス１０４が次のＮ個の論理チャネル１６４に対して利用不可能であることを示すために、指示は［０，Ｎ］を含むことがあり、ここでＮは整数値である。しかしながら、可用性または不可用性を特定する代替的な方法が使用され得ることを理解されたい。
【０１０２】
[0126]したがって、図１は、ＮＡＮの通信の関連付け段階の間に、後続のデータウィンドウの間に通信することに対する可用性の指示を提供する可用性情報をデバイスが交換し得ることを示す。提供者デバイスがデータの受信者として加入者デバイスを特定する場合、提供者デバイスは、データの受信者として加入者デバイスを特定するＴＩＭを含むページングメッセージを送信することがあり、提供者デバイスは、データウィンドウの間の加入者デバイスの可用性を示す可用性情報に基づいて、ＡＣＫを待機することなく、データウィンドウの間にデータを加入者デバイスに送信し得る。たとえば、第１のデバイス１０４が第２のデバイス１０６をデータの受信者として特定する場合、第１のデバイス１０４は、可用性情報１１６に基づいて、ＡＣＫを待機することなくＴＩＭを含むページングメッセージを送信し得る。さらに、加入者デバイスは、加入者デバイスを特定するトラフィックインジケータを含むページングメッセージに応答して、ＡＣＫを提供者デバイスに提供するのを控え得る。したがって、ＮＡＮ１０２の通信の関連付け段階の間に提供される可用性情報１１６は、ＮＡＮ１０２におけるポーリングメッセージのトラフィックおよびＡＣＫメッセージのトラフィックの削減をもたらし得る。
【０１０３】
[0127]図１はさらに、ＮＡＮ１０２のデータリンクグループ中のデバイスがページングメッセージを介して次のＮ個の論理チャネルに対する可用性または不可用性の指示を提供し得ることを示す。いくつかの場合、可用性の指示は、第１のデバイス１０４などの提供者デバイスが、後続の送信ウィンドウのページングウィンドウ（ＰＷ）部分の間にトラフィック告知を提供するのを控え、代わりにデータ送信を実行することを、可能にし得る。具体的な例として、第１の送信ウィンドウのページングウィンドウの間に、提供者デバイスは、ページングメッセージをデータリンクグループの１つまたは複数のデバイスに送信し得る。この例では、データリンクグループの特定の加入者デバイスからの可用性の指示に基づいて、（第１の送信ウィンドウに続く）第２の送信ウィンドウの間に、提供者デバイスは、第２の送信ウィンドウのページングウィンドウの間にトラフィック告知を送信することなく、データトラフィックを特定の加入者デバイスに送信し得る。いくつかの実装形態では、提供者デバイスは、第２の送信ウィンドウのデータウィンドウ部分以外の第２の送信ウィンドウの一部分の間に、データトラフィックを送信し得る。例示すると、提供者デバイスは、第２の送信ウィンドウのページングウィンドウ部分の間またはトリガウィンドウ部分の間に、データトラフィックの少なくとも一部分を送信し得る。
【０１０４】
[0128]他の場合、不可用性の指示は、第２のデバイス１０６などの加入者デバイスが後続の論理チャネルを監視するのを控えることを可能にし得る。代わりに、加入者デバイスは、低電力動作モード（たとえば、スリープモード）に遷移し、または、他のデータリンクグループと関連付けられる動作を実行し得る。いくつかの実装形態では、加入者デバイスは、低電力動作モードに遷移する前に、加入者デバイスがピア接続される他のデバイスが利用不可能であるかどうかを決定する。たとえば、加入者デバイスは、関連付け動作またはネゴシエーション動作などを介して２つのデバイスとピア接続されることがあり、加入者デバイスは、２つのデバイスがともに利用不可能である場合、低電力動作モードに遷移し得る。図１はさらに、ＮＡＮ１０２のデータリンクグループ中のデバイスが、特定の受信機アドレス値１７０を有する受信機アドレスフィールドを含むページングメッセージ１２８などのページングメッセージを受信し得ることを示す。特定の受信機アドレス値１７０を使用することで、ページングメッセージ１２８を受信するデバイスは、受信機アドレスフィールドを含むページングメッセージ１２８の一部分を処理することによって、ページングメッセージ１２８をページングメッセージとして識別することが可能になり得る。その部分を処理することは、ページングメッセージ１２８のより大きな部分または全体を処理する場合よりも、少量の処理リソースしか必要としないことがあり、または高速に実行されることがある。
【０１０５】
[0129]図２を参照すると、論理チャネルの例を示す表が示されており、全体的に２００と指定されている。表２００は、ＮＡＮデータリンク（ＮＤＬ）インデックス列２０４と、チャネル数列２０６と、補助チャネルオフセット列２０８とを含む。ある特定の実装形態では、表２００はＮＡＮ規格またはプロトコルに従って決定され得る。
【０１０６】
[0130]表２００の各行は、特定の論理チャネルに対応し得る。たとえば、行２１０は、図３の基本通信チャネル３０６などの第１の論理チャネルに対応し得る。行２１０は、第１のインデックス（たとえば、０）と、第１の通信チャネル（たとえば、通信チャネル６）と、第１の補助チャネルオフセット（たとえば、１）とを示し得る。ある特定の実装形態では、サービス広告１２０は、論理チャネル１５０の第１の論理チャネルを示すために第１のインデックスを含み得る。ある代替的な実装形態では、サービス広告１２０は、第１のインデックスが基本通信チャネルに対応する場合、第１のインデックスを含まないことがある。
【０１０７】
[0131]ある特定の実装形態では、第１のデバイス１０４の提供者論理１３０、第２のデバイス１０６の加入者論理１３４、または両方が、補助チャネルオフセット（たとえば、１６ＴＵ）を決定するために、特定の数（たとえば、１６）と第１の補助チャネルオフセット（たとえば、１）を乗じることができる。図１を参照して説明されるように、第１のデバイス１０４の提供者論理１３０、第２のデバイス１０６の加入者論理１３４、または両方が、補助チャネルオフセットに基づいて、発見ウィンドウの開始の後に第１の論理チャネルの送信ウィンドウがいつ開始するかを決定し得る。
【０１０８】
[0132]行２１２は、図３の第１の補助チャネル３０８などの第１の補助チャネルに対応し得る。行２１２は、第１のインデックス（たとえば、３）と、第１の通信チャネル（たとえば、通信チャネル３６）と、第１の補助チャネルオフセット（たとえば、２）と、第２の補助チャネルオフセット（たとえば、１８）とを示し得る。行２１４は、図３の第２の補助チャネル３１０などの第２の補助チャネルに対応し得る。行２１４は、第２のインデックス（たとえば、１３）と、第２の通信チャネル（たとえば、通信チャネル１４９）と、第２の補助チャネルオフセット（たとえば、９）と、第３の補助チャネルオフセット（たとえば、２５）とを示し得る。
【０１０９】
[0133]各補助チャネルオフセットは、対応する補助チャネルと関連付けられる送信ウィンドウを示し得る。ある特定の実装形態では、図１を参照して説明されるように、第１のデバイス１０４の提供者論理１３０は、論理チャネル１５０に含めるべき第１の補助チャネルと第２の補助チャネルとを選択し得る。この実装形態では、サービス広告１２０は第１のインデックスと第２のインデックスとを含み得る。
【０１１０】
[0134]第１のデバイス１０４の提供者論理１３０は、表２００に基づいて特定の論理チャネルに対応するインデックスを決定し得る。第１のデバイス１０４の提供者論理１３０は、特定の論理チャネルを示すために、サービス広告１２０にインデックスを含め得る。サービス広告１２０は、特定の数のビットを使用してインデックスを示し得る。インデックスを示すためのビットのその特定の数は、「固定されている」ことがある。たとえば、ビットの特定の数は、特定の論理チャネルに対応する補助チャネルオフセットの数とは無関係であり得る。特定の論理チャネルを示すためにインデックスを使用することで、サービス広告１２０のサイズを減らすこともできる。
【０１１１】
[0135]図３を参照すると、タイミング図が示されており、全体的に３００と指定されている。ある特定の実装形態では、タイミング図３００は図１のシステム１００のある特定の実装形態の動作に対応し得る。図３に示されるタイミングおよび動作は、例示のためのものであり、限定するものではない。他の実装形態では、追加の、またはより少数の動作が実行されることがあり、タイミングが異なることがある。
【０１１２】
[0136]タイミング図３００は、ＮＡＮ通信チャネル３０４と、基本通信チャネル３０６と、第１の補助チャネル３０８と、第２の補助チャネル３１０とに対応する、全体のタイムライン３０２を含む。したがって、複数の補助通信チャネルが、データを送信するために使用され得る。代替的な実装形態では、単一の補助通信チャネルが使用されることがあり、または、３つ以上の補助通信チャネルが使用されることがある。
【０１１３】
[0137]タイミング図３００に示されるように、第１の発見ウィンドウ３１２および第２の発見ウィンドウ３１４は、ＮＡＮ通信チャネル３０４に対応し得る。図１を参照して説明されるように、発見ウィンドウ３１２、３１４は、ＮＡＮ１０２に対応する発見動作と同期動作とを実行するために、デバイス１０４、１０６、１０８、および１１０のために確保されている時間期間であり得る。
【０１１４】
[0138]第１の発見ウィンドウ３１２は時間ｔ１において開始して時間ｔ２において終了することがあり、第２の発見ウィンドウ３１４は時間ｔ１７において開始して時間ｔ１８において終了することがある。発見ウィンドウ３１２、３１４は、同じ発見ウィンドウの時間長を有し得る。たとえば、時間ｔ１と時間ｔ２との間の時間の期間は、時間ｔ１７と時間ｔ１８との間の時間の期間と同じであり得る。発見ウィンドウの時間長は、ＮＡＮ規格またはプロトコルに従って決定され得る。第１の発見ウィンドウ３１２と第２の発見ウィンドウ３１４などの、連続する発見ウィンドウと発見ウィンドウとの間の時間期間は、発見期間３１６と呼ばれ得る。ある特定の実装形態では、発見期間３１６の時間長は、ＮＡＮ規格またはプロトコルによれば、５００時間単位（ＴＵ）であり得る。各ＴＵは、ＩＥＥＥ  ８０２．１１−２０１２仕様において記述されるように１０２４マイクロ秒（μｓ）に相当することがあり、５００ＴＵは約５１２ｍｓに相当することがある。
【０１１５】
[0139]第１の発見ウィンドウ３１２の間、サービス広告１２０がＮＡＮ通信チャネル３０４を介して送信され得る。サービス広告１２０は、図１を参照して説明されるように、論理チャネル１５０を示し得る。図３の例では、論理チャネル１５０は、第１の補助チャネル３０８と第２の補助チャネル３１０とを含み得る。たとえば、第１のデバイス１０４の提供者論理１３０は、第１のデバイス１０４によって提供されているサービスを広告するために、ＮＡＮ通信チャネル３０４を介してサービス広告１２０を送信し得る。たとえば、サービス広告１２０は、第１の補助チャネル３０８に対応するＮＡＮデータリンクグループインデックスと、少なくとも１つの補助チャネルオフセット３１８（たとえば、表２００の行２１２におけるチャネルオフセット２および１８）とを示し得る。さらに、サービス広告１２０は、第２の補助チャネル３１０に対応するＮＡＮデータリンクグループインデックスと、少なくとも１つの補助チャネルオフセット３２０（たとえば、表２００の行２１４におけるチャネルオフセット９および２５）とを示し得る。第２のデバイス１０６の加入者論理１３４は、図１を参照して説明されたように、サービス広告１２０を受信したことに応答して、ＮＡＮ通信チャネル３０４を介して加入メッセージ１２４を送信し得る。
【０１１６】
[0140]基本通信チャネル３０６は、ＮＡＮ通信チャネル３０４の発見ウィンドウ３１２および３１４などの発見ウィンドウの終了後に開始する、ＮＡＮ通信チャネル３０４の送信ウィンドウに対応し得る。たとえば、図４に関して以下でさらに説明されるように、基本通信チャネル３０６は、第１の発見ウィンドウ３１２の後で開始する第１の送信ウィンドウ３２２に対応し得る。図３は、第１の発見ウィンドウ３１２に後続する第１の送信ウィンドウ３２２がｔ２において開始しｔ４において終了し得ることを示す。図３には示されていないが、基本通信チャネル３０６は、ｔ１８において開始し得る第２の発見ウィンドウ３１４に後続する第２の送信ウィンドウにも対応し得る。
【０１１７】
[0141]基本通信チャネル３０６と関連付けられる各送信ウィンドウは、ページングウィンドウとデータ送信ウィンドウとを含み得る。たとえば、第１の発見ウィンドウ３１２に後続する第１の送信ウィンドウ３２２は、第１のページングウィンドウ３２４と第１のデータ送信ウィンドウ３２６とを含み得る。本明細書で使用される場合、ページングウィンドウとデータウィンドウ（またはデータ送信ウィンドウ）とを含む時間期間は、送信ウィンドウ、ＴＸウィンドウ、データ送信ウィンドウ、またはＮＡＮデータリンク時間ブロック（ＮＤＬ−ＴＢ）と呼ばれ得る。第１のページングウィンドウ３２４は、ｔ２において開始しｔ３において終了し得る。第１のデータ送信ウィンドウ３２６は、ｔ３において開始しｔ４において終了し得る。さらに、図３の例には示されていないが、第２の発見ウィンドウ３１４に後続する送信ウィンドウはまた、ページングウィンドウ（ｔ１８において開始する）とデータ送信ウィンドウとを含み得る。ページングウィンドウの時間長、データ送信ウィンドウの時間長、送信ウィンドウの時間長（たとえば、１２８時間単位（ＴＵ）、２５６ＴＵ、または５１２ＴＵ）、またはこれらの組合せが、ＮＡＮ規格またはプロトコルに従って決定され得る。
【０１１８】
[0142]図５および図７に関して以下でさらに説明されるように、第１の補助チャネル３０８は、第１の送信ウィンドウ３２８および第２の送信ウィンドウ３３０に対応し得る。たとえば、少なくとも１つの補助チャネルオフセット３１８は、第１の発見ウィンドウ３１２などのＮＡＮ発見ウィンドウの開始から少なくとも１つの補助チャネルオフセット３１８に対応する時間の期間後に開始する、送信ウィンドウを示し得る。図３に示される特定の実装形態では、第１の補助チャネル３０８は、発見期間３１６などの各発見期間の間の複数の送信ウィンドウを示す複数のオフセットに対応し得る。ある代替的な実装形態では、第１の補助チャネル３０８は、各発見期間の間に単一の送信ウィンドウを示す単一のオフセットに対応し得る。
【０１１９】
[0143]第１の補助チャネル３０８と関連付けられる第１の送信ウィンドウ３２８は、第１の発見ウィンドウ３１２の終了に続いて開始し得る。たとえば、第１の送信ウィンドウ３２８は、時間ｔ５において開始し時間ｔ７において終了し得る。時間ｔ５は、時間ｔ１からある時間の期間後に存在することがあり、この時間の期間は、少なくとも１つの補助チャネルオフセット３１８の第１のオフセット（たとえば、２）に対応する。第１の補助チャネル３０８と関連付けられる第２の送信ウィンドウ３３０は、第１の送信ウィンドウ３２８の終了に続いて開始し得る。たとえば、第２の送信ウィンドウ３３０は、時間ｔ１１において開始し時間ｔ１３において終了し得る。時間ｔ１１は、時間ｔ５からある時間の期間後に存在することがあり、この時間の期間は、少なくとも１つの補助チャネルオフセット３１８の第２のオフセット（たとえば、１８）に対応する。
【０１２０】
[0144]第１の補助チャネル３０８の各送信ウィンドウは、ページングウィンドウとデータ送信ウィンドウとを含み得る。たとえば、第１の送信ウィンドウ３２８は、第１のページングウィンドウ３３２と第１のデータ送信ウィンドウ３３４とを含み得る。別の例として、第２の送信ウィンドウ３３０は、第２のページングウィンドウ３３６と第２のデータ送信ウィンドウ３３８とを含み得る。第１のページングウィンドウ３３２は、ｔ５において開始しｔ６において終了し得る。第１のデータ送信ウィンドウ３３４は、ｔ６において開始しｔ７において終了し得る。第２のページングウィンドウ３３６は、ｔ１１において開始しｔ１２において終了し得る。第２のデータ送信ウィンドウ３３８は、ｔ１２において開始しｔ１３において終了し得る。ページングウィンドウの時間長、データ送信ウィンドウの時間長、または両方が、ＮＡＮ規格またはプロトコルに従って決定され得る。
【０１２１】
[0145]図６および図８に関して以下でさらに説明されるように、第２の補助チャネル３１０は、第１の送信ウィンドウ３４０および第２の送信ウィンドウ３４２に対応し得る。たとえば、少なくとも１つの補助チャネルオフセット３２０は、第１の発見ウィンドウ３１２などのＮＡＮ発見ウィンドウの開始から少なくとも１つの補助チャネルオフセット３２０に対応する時間の期間後に開始する、送信ウィンドウを示し得る。図３に示される特定の実装形態では、第２の補助チャネル３１０は、各発見期間（たとえば、発見期間３１６）の間の複数の送信ウィンドウを示す複数のオフセットに対応し得る。ある代替的な実装形態では、第２の補助チャネル３１０は、各発見期間の間に単一の送信ウィンドウを示す単一のオフセットに対応し得る。
【０１２２】
[0146]第２の補助チャネル３１０と関連付けられる第１の送信ウィンドウ３４０は、第１の発見ウィンドウ３１２の終了に続いて開始し得る。たとえば、第１の送信ウィンドウ３４０は、時間ｔ８において開始し時間ｔ１０において終了し得る。時間ｔ８は、時間ｔ１からある時間の期間後に存在することがあり、この時間の期間は、少なくとも１つの補助チャネルオフセット３２０の第１のオフセット（たとえば、９）に対応する。第２の補助チャネル３１０と関連付けられる第２の送信ウィンドウ３４２は、第１の送信ウィンドウ３４０の終了に続いて開始し得る。たとえば、第２の送信ウィンドウ３４２は、時間ｔ１４において開始し時間ｔ１６において終了し得る。時間ｔ１４は、時間ｔ８からある時間の期間後に存在することがあり、この時間の期間は、少なくとも１つの補助チャネルオフセット３２０の第２のオフセット（たとえば、２５）に対応する。
【０１２３】
[0147]第２の補助チャネル３１０の各送信ウィンドウは、ページングウィンドウとデータ送信ウィンドウとを含み得る。たとえば、第１の送信ウィンドウ３４０は、第１のページングウィンドウ３４４と第１のデータ送信ウィンドウ３４６とを含み得る。別の例として、第２の送信ウィンドウ３４２は、第２のページングウィンドウ３４８と第２のデータ送信ウィンドウ３５０とを含み得る。第１のページングウィンドウ３４４は、ｔ８において開始しｔ９において終了し得る。第１のデータ送信ウィンドウ３４６は、ｔ９において開始しｔ１０において終了し得る。第２のページングウィンドウ３４８は、ｔ１４において開始しｔ１５において終了し得る。第２のデータ送信ウィンドウ３５０は、ｔ１５において開始しｔ１６において終了し得る。ページングウィンドウの時間長、データ送信ウィンドウの時間長、または両方が、ＮＡＮ規格またはプロトコルに従って決定され得る。
【０１２４】
[0148]図１を参照して説明されたように、基本通信チャネル３０６のページングウィンドウ、第１の補助チャネル３０８のページングウィンドウ、および／または第２の補助チャネル３１０のページングウィンドウの間に、第１のデバイス１０４の提供者論理１３０は、ＮＡＮ通信チャネル３０４、第１の補助チャネル３０８、第２の補助チャネル３１０、またはこれらの組合せを介して、ページングメッセージ１２８を送信し得る。さらに、図１を参照して説明されたように、第１のデバイス１０４の提供者論理１３０は、基本通信チャネル３０６のデータ送信ウィンドウ、第１の補助チャネル３０８のデータ送信ウィンドウ、および／または第２の補助チャネル３１０のデータ送信ウィンドウを介して、データ１２２を送信し得る。
【０１２５】
[0149]ある特定の実装形態では、ページングメッセージ１２８は、次のＮ個の論理チャネルに対する不可用性の指示を含み得る。この場合、第２のデバイス１０６の加入者論理１３４は、特定のデータリンクグループの論理チャネル１５０の次のＮ個の論理チャネルを監視するのを控え得る。いくつかの場合、第２のデバイス１０６は、低電力動作モードにとどまることによって電力消費を減らし、次のＮ個の論理チャネルを監視するために起動するのを控え得る。代替的に、第２のデバイス１０６は、別のデータリンクグループと関連付けられる１つまたは複数の動作を実行し得る。いくつかの場合、第２のデバイス１０６が複数の提供者デバイスに加入する場合、第２のデバイス１０６は、複数の提供者デバイスの各々からの不可用性の共通部分に基づいて、節電動作および／または同時動作を予定することができる。
【０１２６】
[0150]別の実装形態では、ページングメッセージ１２８は、次のＮ個の論理チャネルに対する可用性の指示を含み得る。第２のデバイス１０６は、第１のデバイス１０４に応答して、次のＮ個の論理チャネルに対する可用性の指示の受信を肯定応答し得る。非限定的な例として、第２のデバイス１０６はＰＳ−ＰＯＬＬメッセージを介して応答し得る。第１のデバイス１０４が各加入者デバイスから肯定応答を受信する場合、第１のデバイス１０４は、他の論理チャネルにおいてトラフィック告知を送信しなくてよい。代わりに、第１のデバイス１０４はデータトラフィックを送信することに進み得る。したがって、ページングウィンドウの中の、トラフィック告知および肯定応答などのいくつかのメッセージが、減らされ得る。
【０１２７】
[0151]したがって、いくつかの場合、第１のデバイス１０４および／または第２のデバイス１０６は、タイミング図３００に示されるタイミングウィンドウに基づいて動作を実行することによって、電力消費を減らすことができる。たとえば、第２のデバイス１０６は、第１のデバイス１０４からのページングメッセージ１２８が次のＮ個の論理チャネルに対する不可用性の指示を含む場合、次のＮ個の論理チャネルを監視するのを控え得る。いくつかの場合、第２のデバイス１０６は、低電力動作モードにとどまることによって電力消費を減らし、次のＮ個の論理チャネルを監視するために起動するのを控え得る。他の場合、ページングウィンドウ中のメッセージの数は、加入者デバイスがＮ個の論理チャネルにおける提供者デバイスの可用性の指示を受信しているときに減らされ得る。
【０１２８】
[0152]図４を参照すると、図３の全体のタイムライン３０２の特定の部分に対応するタイミング図が示されており、全体的に４００と指定されている。ある特定の実装形態では、タイミング図４００は図１のシステム１００のある特定の実装形態の動作に対応し得る。図４に示されるタイミングおよび動作は、例示のためのものであり、限定するものではない。他の実装形態では、追加の、またはより少数の動作が実行されることがあり、タイミングが異なることがある。
【０１２９】
[0153]図４は、図１に関して説明されたように、基本通信チャネル３０６と関連付けられる第１のページングウィンドウ３２４がページングメッセージ１２８を含む、特定の例を示す。この場合、第１のデバイス１０４の提供者論理１３０は、ＮＡＮ通信チャネル３０４を介してページングメッセージ１２８を送信し得る。
【０１３０】
[0154]ある特定の実装形態では、ページングメッセージ１２８は、次のＮ個の論理チャネルに対する不可用性の指示を含み得る。図１を参照すると、ページングメッセージ１２８に含まれる指示１６２は、次のＮ個の論理チャネル１６４に対する第１のデバイス１０４の不可用性の指示を表し得る。図２に関して説明されたように、第１のページングウィンドウ３２４の間の不可用性の指示１６２を受信したことに応答して、第２のデバイス１０６の加入者論理１３４は、特定のデータリンクグループの論理チャネル１５０の次のＮ個の論理チャネル１６４を監視するのを控え得る。いくつかの場合、第２のデバイス１０６は、低電力動作モードにとどまることによって電力消費を減らし、次のＮ個の論理チャネル１６４を監視するために起動するのを控え得る。代替的に、第２のデバイス１０６は、別のデータリンクグループと関連付けられる１つまたは複数の動作を実行し得る。
【０１３１】
[0155]説明のための非限定的な例として、第２のデバイス１０６の加入者論理１３４は、次の４つの論理チャネルを監視するのを控え得る（すなわち、Ｎ＝４）。図３を参照すると、第２のデバイス１０６は、第１のページングウィンドウ３３２（ｔ５において開始しｔ６において終了する）の間に第１の補助チャネル３０８を監視するのを控え、第１のページングウィンドウ３４４（ｔ８において開始しｔ９において終了する）の間に第２の補助チャネル３１０を監視するのを控え、第２のページングウィンドウ３３６（ｔ１１において開始しｔ１２において終了する）の間に第１の補助チャネル３０８を監視するのを控え、第２のページングウィンドウ（ｔ１４において開始しｔ１５において終了する）の間に第１の補助チャネル３０８を監視するのを控え得る。
【０１３２】
[0156]さらなる例として、第２のデバイス１０６の加入者論理１３４は、次の５つの論理チャネルを監視するのを控え得る（すなわち、Ｎ＝５）。図３を参照すると、第２のデバイス１０６は、第１のページングウィンドウ３３２（ｔ５において開始しｔ６において終了する）の間に第１の補助チャネル３０８を監視するのを控え、第１のページングウィンドウ３４４（ｔ８において開始しｔ９において終了する）の間に第２の補助チャネル３１０を監視するのを控え、第２のページングウィンドウ３３６（ｔ１１において開始しｔ１２において終了する）の間に第１の補助チャネル３０８を監視するのを控え、第２のページングウィンドウ（ｔ１４において開始しｔ１５において終了する）の間に第１の補助チャネル３０８を監視するのを控え得る。さらに、図３には示されていないが、第２のデバイス１０６は、第２の発見ウィンドウ３１４の後に発生する第１のページングウィンドウの間、第１の補助チャネル３０８を監視するのを控え得る。すなわち、第１のデバイス１０４は、図３に示される発見期間３１６の後の他の発見期間と関連付けられる他の論理チャネルに対する不可用性の指示を提供し得る。
【０１３３】
[0157]別の実装形態では、ページングメッセージ１２８は、次のＮ個の論理チャネルに対する可用性の指示を含み得る。図１を参照すると、ページングメッセージ１２８に含まれる指示１６２は、次のＮ個の論理チャネル１６４に対する第１のデバイス１０４の可用性の指示を表す。第１のデバイス１０４は、可用性の指示の受信を示す肯定応答を加入者デバイスから受信するのを待機し得る。第２のデバイス１０６は、第１のデバイス１０４に応答して、次のＮ個の論理チャネルに対する可用性の指示の受信を肯定応答し得る。非限定的な例として、第２のデバイス１０６はＰＳ−ＰＯＬＬメッセージを介して応答し得る。加入者デバイスの各々から肯定応答を受信したことに応答して、第１のデバイス１０４は、他の論理チャネルにおいてトラフィック告知を送信しなくてよい。代わりに、第１のデバイス１０４はデータトラフィックを送信することに進み得る。
【０１３４】
[0158]いくつかの場合、第２のデバイス１０６は、第１のデバイス１０４によって提供されるサービスに対する単一の加入者を表し得る。この例では、第１のデバイス１０４が基本通信チャネル３０６と関連付けられるページングウィンドウ３２４内で第２のデバイス１０６からＰＳ−ＰＯＬＬメッセージなどの肯定応答を受信する場合、第１のデバイス１０４は、次のＮ個の論理チャネルにおいてトラフィック告知を送信するのを控え得る。
【０１３５】
[0159]説明のための非限定的な例として、第１のデバイス１０４は、次の４つの論理チャネルに対する可用性の指示を提供し得る（すなわち、Ｎ＝４）。この場合、第１のデバイス１０４がページングウィンドウ３２４内に第２のデバイス１０６から肯定応答を受信する場合、第１のデバイス１０４は、第１の補助チャネル３０８および第２の補助チャネル３１０と関連付けられる後続のページングウィンドウにおいてトラフィック告知を送信するのを控え得る。むしろ、第１のデバイス１０４は、後続の送信ウィンドウのデータウィンドウ部分だけではなく、後続の送信ウィンドウのページングウィンドウ部分においてデータ１２２を送信することに進み得る。例示すると、第１のデバイス１０４は、第１の送信ウィンドウ３２８の第１のページングウィンドウ３３２ならびに第１のデータ送信ウィンドウ３３４においてデータ１２２を送信し得る。第２のデバイス１０６に送信されるべきデータの量に応じて、第１のデバイス１０４は、第２の補助チャネル３１０の第１の送信ウィンドウ３４０と関連付けられる第１のページングウィンドウ３４４、第１の補助チャネル３０８の第２の送信ウィンドウ３３０と関連付けられる第２のページングウィンドウ３３６、および第２の補助チャネル３１０の第２の送信ウィンドウ３４２と関連付けられる第２のページングウィンドウ３４８においてデータ１２２を送信し得る。
【０１３６】
[0160]第１のデバイス１０４がページングウィンドウ３２４内で第２のデバイス１０６から肯定応答を受信しない場合、第１のデバイス１０４は、後続のページングメッセージにおいて可用性の別の指示を送信し得る。例示すると、第１のデバイス１０４の提供者論理１３０は、第１の補助チャネル３０８と関連付けられる第１の送信ウィンドウ３２８の第１のページングウィンドウ３３２に含まれるべき別のページングメッセージ１２８を生成し得る。この場合、論理チャネルの数は１だけデクリメントされ得る。すなわち、第１のデバイス１０４は、次のＮ−１個の論理チャネルに対する可用性を示し得る。第１のデバイス１０４が第１のページングウィンドウ３３２内に第２のデバイス１０６から肯定応答を受信する場合、第１のデバイス１０４は、次のＮ−１個の論理チャネルにおいてトラフィック告知を送信するのを控え得る。肯定応答が受信されない場合、第１のデバイス１０４は、後続のページングウィンドウにおいて可用性の指示を送信することに続き得る。たとえば、第１のデバイス１０４は、第２の補助チャネル３１０と関連付けられる第１のページングウィンドウ３４４の間に可用性の指示を送信することに続き得る。
【０１３７】
[0161]図５を参照すると、図３の全体のタイムライン３０２の特定の部分に対応するタイミング図が示されており、全体的に５００と指定されている。ある特定の実装形態では、タイミング図５００は図１のシステム１００のある特定の実装形態の動作に対応し得る。図５に示されるタイミングおよび動作は、例示のためのものであり、限定するものではない。他の実装形態では、追加の、またはより少数の動作が実行されることがあり、タイミングが異なることがある。
【０１３８】
[0162]図５は、図１に関して説明されたように、第１の補助チャネル３０８と関連付けられる第１のページングウィンドウ３３２がページングメッセージ１２８を含む、特定の例を示す。この場合、第１のデバイス１０４の提供者論理１３０は、第１の補助チャネル３０８を介してページングメッセージ１２８を送信し得る。
【０１３９】
[0163]ある特定の実装形態では、ページングメッセージ１２８は、次のＮ個の論理チャネルに対する不可用性の指示を含み得る。図１を参照すると、ページングメッセージ１２８に含まれる指示１６２は、次のＮ個の論理チャネル１６４に対する第１のデバイス１０４の不可用性の指示を表す。図２に関して説明されたように、第１のページングウィンドウ３３２の間の不可用性の指示１６２を受信したことに応答して、第２のデバイス１０６の加入者論理１３４は、特定のデータリンクグループの論理チャネル１５０の次のＮ個の論理チャネル１６４を監視するのを控え得る。いくつかの場合、第２のデバイス１０６は、低電力動作モードにとどまることによって電力消費を減らし、次のＮ個の論理チャネル１６４を監視するために起動するのを控え得る。代替的に、第２のデバイス１０６は、別のデータリンクグループと関連付けられる１つまたは複数の動作を実行し得る。
【０１４０】
[0164]説明のための非限定的な例として、第２のデバイス１０６の加入者論理１３４は、次の３つの論理チャネルを監視するのを控え得る（すなわち、Ｎ＝３）。図３を参照すると、第２のデバイス１０６は、第１のページングウィンドウ３４４（ｔ８において開始しｔ９において終了する）の間に第２の補助チャネル３１０を監視するのを控え、第２のページングウィンドウ３３６（ｔ１１において開始しｔ１２において終了する）の間に第１の補助チャネル３０８を監視するのを控え、第２のページングウィンドウ３４８（ｔ１４において開始しｔ１５において終了する）の間に第２の補助チャネル３１０を監視するのを控え得る。いくつかの場合、第２のデバイス１０６は、３つのページングウィンドウ３４４、３３６、３４８の間、低電力動作モードで動作することによって電力を節約し得る。代替的に、第２のデバイス１０６は、別のデータリンクグループと関連付けられる動作を実行し得る。
【０１４１】
[0165]さらなる例として、第２のデバイス１０６の加入者論理１３４は、次の４つの論理チャネルを監視するのを控え得る（すなわち、Ｎ＝４）。図３を参照すると、第２のデバイス１０６は、第１のページングウィンドウ３４４（ｔ８において開始しｔ９において終了する）の間に第２の補助チャネル３１０を監視するのを控え、第２のページングウィンドウ３３６（ｔ１１において開始しｔ１２において終了する）の間に第１の補助チャネル３０８を監視するのを控え、第２のページングウィンドウ３４８（ｔ１４において開始しｔ１５において終了する）の間に第２の補助チャネル３１０を監視するのを控え得る。さらに、図３には示されていないが、第２のデバイス１０６は、第２の発見ウィンドウ３１４の後に発生する第１のページングウィンドウの間、第１の補助チャネル３０８を監視するのを控え得る。すなわち、第１のデバイス１０４は、図３に示される発見期間３１６の後の他の発見期間と関連付けられる他の論理チャネルに対する不可用性の指示を提供し得る。
【０１４２】
[0166]別の実装形態では、ページングメッセージ１２８は、次のＮ個の論理チャネルに対する可用性の指示を含み得る。図１を参照すると、ページングメッセージ１２８に含まれる指示１６２は、次のＮ個の論理チャネル１６４に対する第１のデバイス１０４の可用性の指示を表す。第１のデバイス１０４は、可用性の指示の受信を示す肯定応答を加入者デバイスから受信するのを待機し得る。第２のデバイス１０６は、第１のデバイス１０４に応答して、次のＮ個の論理チャネルに対する可用性の指示の受信を肯定応答し得る。加入者デバイスの各々から肯定応答を受信したことに応答して、第１のデバイス１０４は、他の論理チャネルにおいてトラフィック告知を送信しなくてよい。代わりに、第１のデバイス１０４はデータトラフィックを送信することに進み得る。
【０１４３】
[0167]いくつかの場合、第２のデバイス１０６は、第１のデバイス１０４によって提供されるサービスに対する単一の加入者を表し得る。この例では、第１のデバイス１０４が第１の補助チャネル３０８と関連付けられる第１のページングウィンドウ３３２内で第２のデバイス１０６からＰＳ−ＰＯＬＬメッセージなどの肯定応答を受信する場合、第１のデバイス１０４は、次のＮ個の論理チャネルにおいてトラフィック告知を送信するのを控え得る。
【０１４４】
[0168]説明のための非限定的な例として、第１のデバイス１０４は、次のＮ個の論理チャネルに対する可用性の指示を提供し得る。この場合、第１のデバイス１０４が第１のページングウィンドウ３３２内で第２のデバイス１０６から肯定応答を受信する場合、第１のデバイス１０４は、後続のページングウィンドウにおいてトラフィック告知を送信するのを控え得る。むしろ、第１のデバイス１０４は、第２の補助チャネル３１０の第１の送信ウィンドウ３４０と関連付けられる第１のページングウィンドウ３４４においてデータ１２２を送信することに進み得る。
【０１４５】
[0169]第１のデバイス１０４が第１のページングウィンドウ３３２内で第２のデバイス１０６から肯定応答を受信しない場合、第１のデバイス１０４は、後続のページングメッセージにおいて可用性の別の指示を送信し得る。例示すると、第１のデバイス１０４の提供者論理１３０は、第２の補助チャネル３１０と関連付けられる第１の送信ウィンドウ３４０の第１のページングウィンドウ３４４に含まれるべき別のページングメッセージ１２８を生成し得る。この場合、論理チャネルの数は１だけデクリメントされ得る。すなわち、第１のデバイス１０４は、次のＮ−１個の論理チャネルに対する可用性を示し得る。第１のデバイス１０４が第１のページングウィンドウ３４４内に第２のデバイス１０６から肯定応答を受信する場合、第１のデバイス１０４は、次のＮ−１個の論理チャネルにおいてトラフィック告知を送信するのを控え得る。肯定応答が受信されない場合、第１のデバイス１０４は、後続のページングウィンドウにおいて可用性の指示を送信することに続き得る。たとえば、第１のデバイス１０４は、第１の補助チャネル３０８と関連付けられる第２のページングウィンドウ３３６の間に可用性の指示を送信することに続き得る。
【０１４６】
[0170]図６を参照すると、図３の全体のタイムライン３０２の特定の部分に対応するタイミング図が示されており、全体的に６００と指定されている。ある特定の実装形態では、タイミング図６００は図１のシステム１００のある特定の実装形態の動作に対応し得る。図６に示されるタイミングおよび動作は、例示のためのものであり、限定するものではない。他の実装形態では、追加の、またはより少数の動作が実行されることがあり、タイミングが異なることがある。
【０１４７】
[0171]図６は、図１に関して説明されたように、第２の補助チャネル３１０と関連付けられる第１のページングウィンドウ３４４がページングメッセージ１２８を含む、特定の例を示す。この場合、第１のデバイス１０４の提供者論理１３０は、第２の補助チャネル３１０を介してページングメッセージ１２８を送信し得る。
【０１４８】
[0172]ある特定の実装形態では、ページングメッセージ１２８は、次のＮ個の論理チャネルに対する不可用性の指示を含み得る。図１を参照すると、ページングメッセージ１２８に含まれる指示１６２は、次のＮ個の論理チャネル１６４に対する第１のデバイス１０４の不可用性の指示を表す。図２に関して説明されたように、第１のページングウィンドウ３４４の間の不可用性の指示１６２を受信したことに応答して、第２のデバイス１０６の加入者論理１３４は、特定のデータリンクグループの論理チャネル１５０の次のＮ個の論理チャネル１６４を監視するのを控え得る。いくつかの場合、第２のデバイス１０６は、低電力動作モードにとどまることによって電力消費を減らし、次のＮ個の論理チャネル１６４を監視するために起動するのを控え得る。代替的に、第２のデバイス１０６は、別のデータリンクグループと関連付けられる１つまたは複数の動作を実行し得る。
【０１４９】
[0173]説明のための非限定的な例として、第２のデバイス１０６の加入者論理１３４は、次の２つの論理チャネルを監視するのを控え得る（すなわち、Ｎ＝２）。図３を参照すると、第２のデバイス１０６は、第２のページングウィンドウ３３６（ｔ１１において開始しｔ１２において終了する）の間に第１の補助チャネル３０８を監視するのを控え、第２のページングウィンドウ３４８（ｔ１４において開始しｔ１５において終了する）の間に第２の補助チャネル３１０を監視するのを控え得る。いくつかの場合、第２のデバイス１０６は、２つのページングウィンドウ３３６、３４８の間、低電力動作モードで動作することによって電力を節約し得る。代替的に、第２のデバイス１０６は、別のデータリンクグループと関連付けられる動作を実行し得る。
【０１５０】
[0174]さらなる例として、第２のデバイス１０６の加入者論理１３４は、次の３つの論理チャネルを監視するのを控え得る（すなわち、Ｎ＝３）。図３を参照すると、第２のデバイス１０６は、第２のページングウィンドウ３３６（ｔ１１において開始しｔ１２において終了する）の間に第１の補助チャネル３０８を監視するのを控え、第２のページングウィンドウ３４８（ｔ１４において開始しｔ１５において終了する）の間に第２の補助チャネル３１０を監視するのを控え得る。さらに、図３には示されていないが、第２のデバイス１０６は、第２の発見ウィンドウ３１４の後に発生する第１のページングウィンドウの間、第１の補助チャネル３０８を監視するのを控え得る。すなわち、第１のデバイス１０４は、図３に示される発見期間３１６の後の他の発見期間と関連付けられる他の論理チャネルに対する不可用性の指示を提供し得る。
【０１５１】
[0175]別の実装形態では、ページングメッセージ１２８は、次のＮ個の論理チャネルに対する可用性の指示を含み得る。図１を参照すると、ページングメッセージ１２８に含まれる指示１６２は、次のＮ個の論理チャネル１６４に対する第１のデバイス１０４の可用性の指示を表す。第１のデバイス１０４は、可用性の指示の受信を示す肯定応答を加入者デバイスから受信するのを待機し得る。第２のデバイス１０６は、第１のデバイス１０４に応答して、次のＮ個の論理チャネルに対する可用性の指示の受信を肯定応答し得る。加入者デバイスの各々から肯定応答を受信したことに応答して、第１のデバイス１０４は、他の論理チャネルにおいてトラフィック告知を送信しなくてよい。代わりに、第１のデバイス１０４はデータトラフィックを送信することに進み得る。
【０１５２】
[0176]いくつかの場合、第２のデバイス１０６は、第１のデバイス１０４によって提供されるサービスに対する単一の加入者を表し得る。この例では、第１のデバイス１０４が第１の補助チャネル３０８と関連付けられる第１のページングウィンドウ３３２内で第２のデバイス１０６からＰＳ−ＰＯＬＬメッセージなどの肯定応答を受信する場合、第１のデバイス１０４は、次のＮ個の論理チャネルにおいてトラフィック告知を送信するのを控え得る。
【０１５３】
[0177]説明のための非限定的な例として、第１のデバイス１０４は、次のＮ個の論理チャネルに対する可用性の指示を提供し得る。この場合、第１のデバイス１０４が第１のページングウィンドウ３４４内で第２のデバイス１０６から肯定応答を受信する場合、第１のデバイス１０４は、後続のページングウィンドウにおいてトラフィック告知を送信するのを控え得る。むしろ、第１のデバイス１０４は、第１の補助チャネル３０８の第２の送信ウィンドウ３３０と関連付けられる第２のページングウィンドウ３３６においてデータ１２２を送信することに進み得る。
【０１５４】
[0178]第１のデバイス１０４が第１のページングウィンドウ３４４内で第２のデバイス１０６から肯定応答を受信しない場合、第１のデバイス１０４は、後続のページングメッセージにおいて可用性の別の指示を送信し得る。例示すると、第１のデバイス１０４の提供者論理１３０は、第１の補助チャネル３０８と関連付けられる第２の送信ウィンドウ３３０の第２のページングウィンドウ３３６に含まれるべき別のページングメッセージ１２８を生成し得る。この場合、論理チャネルの数は１だけデクリメントされ得る。すなわち、第１のデバイス１０４は、次のＮ−１個の論理チャネルに対する可用性を示し得る。第１のデバイス１０４が第２のページングウィンドウ３３６内に第２のデバイス１０６から肯定応答を受信する場合、第１のデバイス１０４は、次のＮ−１個の論理チャネルにおいてトラフィック告知を送信するのを控え得る。肯定応答が受信されない場合、第１のデバイス１０４は、後続のページングウィンドウにおいて可用性の指示を送信することに続き得る。たとえば、第１のデバイス１０４は、第２の補助チャネル３１０と関連付けられる第２のページングウィンドウ３４８の間に可用性の指示を送信することに続き得る。
【０１５５】
[0179]図７を参照すると、図３の全体のタイムライン３０２の特定の部分に対応するタイミング図が示されており、全体的に７００と指定されている。ある特定の実装形態では、タイミング図７００は図１のシステム１００のある特定の実装形態の動作に対応し得る。図７に示されるタイミングおよび動作は、例示のためのものであり、限定するものではない。他の実装形態では、追加の、またはより少数の動作が実行されることがあり、タイミングが異なることがある。
【０１５６】
[0180]図７は、図１に関して説明されたように、第１の補助チャネル３０８と関連付けられる第２のページングウィンドウ３３６がページングメッセージ１２８を含む、特定の例を示す。この場合、第１のデバイス１０４の提供者論理１３０は、第１の補助チャネル３０８を介してページングメッセージ１２８を送信し得る。
【０１５７】
[0181]ある特定の実装形態では、ページングメッセージ１２８は、次のＮ個の論理チャネルに対する不可用性の指示を含み得る。図１を参照すると、ページングメッセージ１２８に含まれる指示１６２は、次のＮ個の論理チャネル１６４に対する第１のデバイス１０４の不可用性の指示を表す。図２に関して説明されたように、第２のページングウィンドウ３３６の間の不可用性の指示１６２を受信したことに応答して、第２のデバイス１０６の加入者論理１３４は、特定のデータリンクグループの論理チャネル１５０の次のＮ個の論理チャネル１６４を監視するのを控え得る。いくつかの場合、第２のデバイス１０６は、低電力動作モードにとどまることによって電力消費を減らし、次のＮ個の論理チャネル１６４を監視するために起動するのを控え得る。代替的に、第２のデバイス１０６は、別のデータリンクグループと関連付けられる１つまたは複数の動作を実行し得る。
【０１５８】
[0182]別の実装形態では、ページングメッセージ１２８は、次のＮ個の論理チャネルに対する可用性の指示を含み得る。図１を参照すると、ページングメッセージ１２８に含まれる指示１６２は、次のＮ個の論理チャネル１６４に対する第１のデバイス１０４の可用性の指示を表す。第１のデバイス１０４は、可用性の指示の受信を示す肯定応答を加入者デバイスから受信するのを待機し得る。第２のデバイス１０６は、第１のデバイス１０４に応答して、次のＮ個の論理チャネルに対する可用性の指示の受信を肯定応答し得る。加入者デバイスの各々から肯定応答を受信したことに応答して、第１のデバイス１０４は、他の論理チャネルにおいてトラフィック告知を送信しなくてよい。代わりに、第１のデバイス１０４はデータトラフィックを送信することに進み得る。
【０１５９】
[0183]図８を参照すると、図３の全体のタイムライン３０２の特定の部分に対応するタイミング図が示されており、全体的に８００と指定されている。ある特定の実装形態では、タイミング図８００は図１のシステム１００のある特定の実装形態の動作に対応し得る。図８に示されるタイミングおよび動作は、例示のためのものであり、限定するものではない。他の実装形態では、追加の、またはより少数の動作が実行されることがあり、タイミングが異なることがある。
【０１６０】
[0184]図８は、図１に関して説明されたように、第２の補助チャネル３１０と関連付けられる第２のページングウィンドウ３４８がページングメッセージ１２８を含む、特定の例を示す。この場合、第１のデバイス１０４の提供者論理１３０は、第２の補助チャネル３１０を介してページングメッセージ１２８を送信し得る。
【０１６１】
[0185]ある特定の実装形態では、ページングメッセージ１２８は、次のＮ個の論理チャネルに対する不可用性の指示を含み得る。図１を参照すると、ページングメッセージ１２８に含まれる指示１６２は、次のＮ個の論理チャネル１６４に対する第１のデバイス１０４の不可用性の指示を表す。図２に関して説明されたように、第２のページングウィンドウ３４８の間の不可用性の指示１６２を受信したことに応答して、第２のデバイス１０６の加入者論理１３４は、特定のデータリンクグループの論理チャネル１５０の次のＮ個の論理チャネル１６４を監視するのを控え得る。いくつかの場合、第２のデバイス１０６は、低電力動作モードにとどまることによって電力消費を減らし、次のＮ個の論理チャネル１６４を監視するために起動するのを控え得る。代替的に、第２のデバイス１０６は、別のデータリンクグループと関連付けられる１つまたは複数の動作を実行し得る。
【０１６２】
[0186]別の実装形態では、ページングメッセージ１２８は、次のＮ個の論理チャネルに対する可用性の指示を含み得る。図１を参照すると、ページングメッセージ１２８に含まれる指示１６２は、次のＮ個の論理チャネル１６４に対する第１のデバイス１０４の可用性の指示を表す。第１のデバイス１０４は、可用性の指示の受信を示す肯定応答を加入者デバイスから受信するのを待機し得る。第２のデバイス１０６は、ＰＳ−ＰＯＬＬメッセージなどを介して第１のデバイス１０４に応答して、次のＮ個の論理チャネルに対する可用性の指示の受信を肯定応答し得る。加入者デバイスの各々から肯定応答を受信したことに応答して、第１のデバイス１０４は、他の論理チャネルにおいてトラフィック告知を送信しなくてよい。代わりに、第１のデバイス１０４はデータトラフィックを送信することに進み得る。
【０１６３】
[0187]図９を参照すると、送信ウィンドウ（ＴＷ）９０２の例の図９００が示されている。図９は、ページングウィンドウ境界（ＰＷＢ）９０８によって分離されるページング部分９０４とデータ部分９０６とを送信ウィンドウ９０２が含むことを示す。ページング部分９０４はページングウィンドウであることがあり、データ部分９０６はデータウィンドウであることがある。ページング部分９０４の間、データソースはページングメッセージを送信し得る。たとえば、図１の第１のデバイス１０４は、図１のページングメッセージ１２８を送信し得る。いくつかの場合、ページング部分９０４の間、データソースは、図１の第２のデバイス１０６などのデータシンクから、そのデータシンクがデータを受信する準備ができていることを示すトリガメッセージを受信し得る。送信ウィンドウ９０２のデータ部分９０６は、図１のデータ１２２などのデータを送信／受信するために使用され得る。いくつかの場合、データシンクは、データ部分９０６の間にトリガメッセージを送信することがあり、データ送信を待機することがある。
【０１６４】
[0188]いくつかの場合、送信ウィンドウ９０２のページング部分９０４のサイズを予測するのは難しいことがある。例示すると、比較的多数の送信機がデータリンクグループ中にある場合、トラフィック告知を送信する機会を送信機の各々に与えるには、比較的大きなページングウィンドウが適切であり得る。すなわち、送信ウィンドウ９０２のページング部分９０４が小さすぎると、送信機の一部がトラフィック告知を送信することが可能ではないことがある。いくつかの場合、このことは、送信ウィンドウ９０２のデータ部分９０６の過少利用につながることがあり、それは、ページング部分９０４の間にトラフィック告知を送信することが可能な送信機のサブセットしか、データを送信することが可能ではないからである。対照的に、比較的少数の送信機がデータリンクグループの中にある場合、比較的大きなページングウィンドウは過少利用をもたらし得る。すなわち、送信ウィンドウ９０２のページング部分９０４が大きすぎる場合、送信機の各々がトラフィック告知を送信して関連するＡＣＫを受信するのに十分な時間を有することがあり、ページング部分９０４の残りがデータ送信に使用され得る。したがって、トラフィック告知を送信する機会を送信機の各々に与えるのに十分に大きく、しかし、代わりにデータ送信のために使用され得る潜在的なアイドル時間を減らすのに十分小さい、ＰＷＢを利用することが望ましいことがある。
【０１６５】
[0189]いくつかの場合、ページングウィンドウサイズは固定され指定され得る。すなわち、ＰＷＢ９０８は、送信ウィンドウ９０２の開始時間からある特定の時間後に固定され得る。この場合、デバイスはページングウィンドウの間にページングメッセージを送信することに制約されることがあり、データ送信はページングウィンドウの後にのみ行われ得る。しかしながら、そのような方式は、ページングウィンドウの一部分を使用されないままにすることがある。たとえば、データリンクグループが比較的少数の加入者デバイスを含むとき、ページングウィンドウの一部分は使用されないままであり得る。すなわち、ページングウィンドウは、トラフィック告知および関連するＡＣＫがＰＷＢ９０８の前に完了されている場合、過少利用され得る。送信ウィンドウ９０２のページング部分９０４の中の残りの時間は、代わりにデータ送信のために利用され得る。さらに、データの受信者として識別されない１つまたは複数のデバイスは、特定の論理チャネルを監視し続けるために、起動状態にとどまり、電力を消費し得る。
【０１６６】
[0190]他の場合、ページングウィンドウサイズは固定されることがあるが、サイズはグローバルには指定されないことがあり、代わりに、図１のＮＡＮ１０２などのＮＡＮ内で決定されることがある。たとえば、アンカーデバイスが、ＮＡＮクラスタのサイズに基づいてページングウィンドウのサイズを決定し得る。別の例として、サービス創設者が特定のサービスのためのページングウィンドウのサイズを決定することがあり、特定のサービスの消費者の数ならびに／または同じ論理チャネルを使用する他のサービスおよびデバイスの数に基づいて、ページングウィンドウのサイズを適合させることがある。
【０１６７】
[0191]いくつかの実装形態では、送信ウィンドウ９０２のページング部分９０４のサイズは、データソースの数、データシンクの数、データトラフィックレート、またはこれらの組合せに基づいて調整され得る。送信ウィンドウ９０２のページング部分９０４の間に、１つまたは複数のデバイスは、特定の論理チャネルを監視するために、起動しており電力を消費していることがある。したがって、１つまたは複数のデバイスによる電力消費は、ページング部分９０４のサイズと相関し得る。比較的大きなページング部分９０４は、電力消費を増やすことがあり、バッテリー持続時間を短くすることがある。さらに、送信ウィンドウ９０２のページング部分９０４と関連付けられる時間は、データ部分９０６に割り振られ得る時間を表す。したがって、送信ウィンドウ９０２のページング部分９０４のサイズを減らすことで、データ送信に対してより多くの時間が許容され得る。
【０１６８】
[0192]場合によっては、ＰＷＢ９０８は、比較的柔軟であり得る。すなわち、ＰＷＢ９０８は、ページングメッセージの送信の時間の上側の境界を表し得る（すなわち、ＰＷＢ９０８の後でページングメッセージは送信され得ない）。しかしながら、閾値の時間長を超えるページング時間の間に媒体がアイドル状態であることを検出すると、データ送信が開始し得る。ある特定の実装形態では、コンテンションウィンドウパラメータが、ページングウィンドウ境界の柔軟性を得るために調整され得る。たとえば、あるコンテンションウィンドウパラメータはページングフレームのために使用されることがあり、別のコンテンションウィンドウパラメータはデータフレームのために使用されることがある。いくつかの実装形態では、ページングメッセージおよびＡＣＫのために非常に小さなコンテンションウィンドウサイズがある場合、ページングメッセージおよびＡＣＫは、ページングウィンドウの間に優先権を得て、他の送信よりもはるかに早く送出される。ページングウィンドウの間に多数の送信デバイスがある場合、ページングメッセージおよびＡＣＫは、ページングウィンドウの全体を占有する可能性が高く、ＰＷＢ９０８に当たると、デバイスはページングメッセージの送信をやめてデータ送信を開始する。ページングウィンドウの間により少数の送信デバイスがある場合、ページングメッセージが優先権を得て、ページングメッセージおよびＡＣＫの送信はページングウィンドウの中ではるかに早く完了する。この場合、ページングウィンドウの間に「アイドル時間」があり、送信すべきデータを有するデバイスは、通信チャネルをめぐり競合し、ページングウィンドウの間にデータの送出を開始する。
【０１６９】
[0193]いくつかの場合、ページング告知がより早く開始し得るように、および、ページング告知の後に残っている時間がある場合には、データもページングウィンドウの間に送信され得るように、ページング告知がより小さなコンテンションサイズを有するようにコンテンションウィンドウサイズ（またはコンテンションパラメータ）が調整され得る。たとえば、あるコンテンションウィンドウパラメータ（「ＣＷ＿ｐａｇｉｎｇ」）はページングフレームのために使用されることがあり、別のコンテンションウィンドウパラメータ（「ＦｉｘｅｄＣＷ＿ｄａｔａ＿ｍｉｎ，ＣＷ＿ｄａｔａ」）はデータフレームのために使用されることがある。ページングメッセージを送信するために、デバイスは［０，ＣＷ＿ｐａｇｉｎｇ］からバックオフウィンドウを選択し得る。データを送信するために、デバイスがＰＷＢ９０８の前にコンテンションを開始する場合、デバイスは［ＦｉｘｅｄＣＷ＿ｄａｔａ＿ｍｉｎ，ＣＷ＿ｄａｔａ］からバックオフウィンドウを選択することがあり、ここでＦｉｘｅｄＣＷ＿ｄａｔａ＿ｍｉｎはＣＷ＿ｐａｇｉｎｇより大きい。説明のための非限定的な例として、ＣＷ＿ｐａｇｉｎｇは１００であることがあり、一方ＦｉｘｅｄＣＷ＿ｄａｔａ＿ｍｉｎは１０１であることがあり、ＣＷ＿ｄａｔａは１０００であることがある。この説明のための事例では、デバイスは、０と１００の間の第１のランダムな数をページングフレームのためのバックオフウィンドウとして選択することができ、デバイスは、１０１と１０００の間の第２のランダムな数をデータフレームのために選択することができる。
【０１７０】
[0194]第１の説明のための例として、デバイスは、送信ウィンドウの最初においてデータ送信をめぐり競合することを開始し得るが、バックオフウィンドウがカウントダウンする前にトリガメッセージが受信されない場合、送信を取り消し得る。すなわち、あらゆるトラフィック告知に対して、送信機はトリガなどの肯定応答を予想している。送信機がＡＣＫを受信しない場合、送信機はデータを送信しないことがある（データのための対応するカウントダウンがない）。たとえば、上で説明されたように、送信機が次のＮ個の論理チャネルに対する可用性の指示を提供し、受信機の各々がその指示に肯定応答している場合、送信機がそれらの受信機の各々のためのデータを有するとき、送信機は、データウィンドウの開始までカウントダウンが開始するのを待機する代わりに、ページングウィンドウ内ではるかに早くデータのカウントダウンを開始し得る。
【０１７１】
[0195]第２の説明のための例として、デバイスは、送信機がトリガフレームを受信した後でページングウィンドウの間のデータ送信のために競合することを開始し得る。すなわち、トリガフレームは、ページング告知へのＡＣＫを表す。送信機が次の４つの論理チャネルに対する可用性の指示を提供している以前の例を参照すると、送信機は、ページング告知をまったく送出しないことがあるが、送信機は、わずかにより高いコンテンションウィンドウを伴うデータコンテンション待ち行列の中にあることがある。したがって、送信すべきページング告知を有する他の送信機が告知の送信を完了すると、送信機はデータの送出を開始することができ、それは、送信機が通信チャネルをめぐるコンテンションに勝利し始め得るからである。ＰＷコンテンションウィンドウ（たとえば、ＣＷ＿ｐａｇｉｎｇ）はより小さいことがあるので、カウントダウンは、データ送信よりページング告知を優先するためにより早く開始することがある。すなわち、ＦｉｘｅｄＣＷ＿ｄａｔａ＿ｍｉｎと比較してＣＷ＿ｐａｇｉｎｇに対してより小さなＣＷサイズを選択することによって、ページング告知はデータより優先される。ページングウィンドウの最初において、送信すべきデータを有する送信機は、関連するコンテンションウィンドウをカウントすることを開始する。
【０１７２】
[0196]デバイスがＰＷＢ９０８の後でコンテンションを開始する場合、通常のデータコンテンションパラメータが使用されてよく、バックオフパラメータは［０，ＣＷ＿ｄａｔａ］から選択される。上の例では、ＰＷＢ９０８の後のコンテンションのために、デバイスはバックオフウィンドウとして０と１０００の間のランダムな数を選択し得る。すなわち、ページングウィンドウが混雑しすぎており、ページングウィンドウの間に送信されている多数のページングメッセージがある場合、ＰＷＢ９０８の後で、デバイスは、通常のデータコンテンションパラメータを使用して通信チャネルをめぐり競合し得る。したがって、ページングウィンドウ内で、データ送信は早めに開始し得るが、ページングウィンドウの間のデータコンテンションの最小値はページングコンテンションの最大値（たとえば、１０１から１０００）を超える。しかしながら、データウィンドウでは、データを送信するための通信チャネルをめぐるコンテンションはデータウィンドウの最初に始まり、データ送信のコンテンション境界（たとえば、０から１０００）まで続く。
【０１７３】
[0197]別の特定の実装形態では、ページングメッセージのトラフィックタイプまたはトラフィックカテゴリは、ページングメッセージの送信を優先するために特定の値に設定され得る。例示すると、ページングメッセージ、トリガメッセージ、データフレーム、または他のものなどのメッセージの各タイプは、メッセージのカテゴリを示すトラフィックカテゴリフィールドを有し得る。たとえば、各メッセージはサービス品質（ＱｏＳ）カテゴリを含み得る。トラフィックカテゴリ（たとえば、ＱｏＳカテゴリ）は、メッセージの優先順位を示し得る。非限定的な例として、トラフィックカテゴリは、高優先度の値、中優先度の値、および低優先度の値から選択された値を有することがあり、特定のメッセージはそれに従って優先順位付けられることがある。ある特定の実装形態では、トラフィックカテゴリは、たとえばＩＥＥＥもしくは他の業界規格における、またはベンダーによる、定められた値を有するＱｏＳカテゴリであり、各値は異なる優先度に対応する。たとえば、音声メッセージは、データメッセージより高いＱｏＳ優先度を有し得る。ページングメッセージを優先するために、デバイスは、トラフィックカテゴリに対して最高の優先度の値を有するページングメッセージを生成し得る。トリガメッセージは、ページングメッセージより低い優先度を有することがあり、データメッセージは、トリガメッセージより低い優先度を有することがある。メッセージのタイプに基づいてトラフィックカテゴリを特定の値に設定することによって、ページングウィンドウの間のページングメッセージの送信が優先され得る。加えて、ページングウィンドウの間のデータの送信は、ページングメッセージなどの他のより高優先度のメッセージの送信が終了していれば、有効にされ得る。
【０１７４】
[0198]図１０を参照すると、送信ウィンドウ（ＴＷ）１００２の代替的な設計の図１０００が示されている。図１０は、送信ウィンドウ１００２が、ページング部分１００４と、トリガ部分１００６と、データ部分１００８とを含み得ることを示す。ページング部分１００４はページングウィンドウであることがあり、トリガ部分１００６はトリガウィンドウであることがあり、データ部分１００８はデータウィンドウであることがある。ページング部分１００４およびトリガ部分１００６はページングウィンドウ境界（ＰＷＢ）１０１０によって分離され、トリガ部分１００６およびデータ部分１００８はトリガウィンドウ境界（ＴｒＷＢ）１０１２によって分離される。図１０では、トリガ部分１００６は、データシンクがデータソースからのページングメッセージに応答してトリガメッセージをデータソースに送信するための、専用の時間期間を表す。たとえば、トリガ部分１００６は、第２のデバイス１０６が図１のページングメッセージ１２８に応答してＰＳ−ＰＯＬＬメッセージを第１のデバイス１０４に送信するための時間期間を表す。
【０１７５】
[0199]ページング部分１００４の間に、図１の第１のデバイス１０４などのデータソースは、ページング告知を１つまたは複数の加入者デバイスに送信し得る。たとえば、第１のデバイス１０４は、ページング告知を第２のデバイス１０６に送信し得る。トリガ部分１００６は、加入者デバイスがトリガメッセージによりページング告知に応答するための時間期間を表す。しかしながら、いくつかの場合、加入者デバイスが利用不可能であることがある。たとえば、加入者デバイスは、低電力モードで動作していることがある。したがって、加入者デバイスは、トリガウィンドウ内でページング告知に応答しないことがある。したがって、送信デバイスは、トリガメッセージがトリガウィンドウ内で受信されるかどうかに基づいて、起動しておりデータを受信するのに利用可能である少なくとも１つの受信機があるかどうかを決定し得る。トリガメッセージがＰＷＢ１０１０とＴｒＷＢ１０１２の間の時間期間などのトリガウィンドウ内で受信されない場合、送信デバイスは、送信ウィンドウ１００２の残りの間、低電力動作モードに遷移し得る。
【０１７６】
[0200]いくつかの実装形態では、受信デバイスがトリガフレームを送信する順序は、ページング告知において受信デバイスが現れる順序に基づいて決定され得る。ＴＩＭの場合、順序はＡＩＤのビット順序によって決定され得る。この構成は、送信デバイスからのページング告知に肯定応答しようとしている受信機デバイスの間での、トリガウィンドウにおけるコンテンションを減らし得る。いくつかの場合、第１の受信機デバイスが利用不可能である場合、それより後は第２の受信機デバイスがトリガフレームにより応答し得る、閾値の期間があり得る。すなわち、第２の受信機デバイスは、第１の受信機デバイスがページング告知に肯定応答するのを閾値の時間の期間待機することができ、第１の受信機デバイスが閾値の時間の期間内に応答しない場合、第２の受信機デバイスはトリガフレームを送信し得る。
【０１７７】
[0201]図１０に示される送信ウィンドウ１００２と関連付けられる１つの潜在的な利点は、ページングウィンドウのサイズが比較的小さいことがあるということである。ページング告知を送信することが可能なデバイスの数は、提供者デバイスがページング告知を送信しない可能性により限られていることがあり、加入者デバイスが告知に肯定応答するが、提供者デバイスは、あまりにも多くのデバイスが告知トラフィックを争う一方で提供者デバイスのすべてからのデータ送信を収容するにはデータウィンドウが小さすぎることの結果として、データを送出するための十分な時間を有しない。対照的に、代替的な構成では、送信ウィンドウ１００２の間は起動状態にとどまるがデータを送信または受信することが不可能である、いくつかの提供者デバイスがあり得る。
【０１７８】
[0202]ある説明のための例では、５つのデバイスがページング告知を送信することができ、８つの受信機デバイスがその５つの送信デバイスの各々に対して特定される。しかしながら、データウィンドウは、４０個のデータ送信を収容するには十分大きくないことがある。したがって、ページングウィンドウのサイズを減らすことが有利であり得る。例示すると、５つの送信デバイスのうちの３つが、ページング告知を８つの受信機デバイスに送信し得る。しかしながら、２４個のＡＣＫ（すなわち、すべての８つの受信機デバイスから３つの送信デバイスへのＡＣＫ）を受信する代わりに、受信される２０個のＡＣＫがあり得る。この場合、データウィンドウにおいて２０個のデータ送信があり得る。すなわち、トリガウィンドウ中の告知に肯定応答することが可能ではないデバイスは、低電力動作モードに遷移することができ、これによってバッテリーの持続時間を維持する。したがって、４０個の受信デバイスが起動状態にとどまりバッテリーの持続時間を減らすのではなく、２０個だけの受信デバイスが起動状態にとどまり、一方で他の２０個の受信デバイスはバッテリーの持続時間を維持し得る。
【０１７９】
[0203]いくつかの実装形態では、トリガウィンドウと関連付けられる未使用の時間は、データ送信のために再利用され得る。たとえば、コンテンションウィンドウパラメータは、ＰＳ−ＰＯＬＬメッセージなどのＡＣＫを優先するように調整され得る一方で、アイドル時間がトリガウィンドウの間に検出される場合には、ＴｒＷＢ１０１２の前にデータ送信が開始することを許容する。ある特定の実装形態では、あるコンテンションウィンドウパラメータ（「ＣＷ＿Ｔｒｉｇｇｅｒ」）はトリガフレームのために使用されることがあり、別のコンテンションウィンドウパラメータ（たとえば、「ＦｉｘｅｄＣＷ＿ｄａｔａ＿ｍｉｎ、ＣＷ＿ｄａｔａ」）はデータフレームのために使用されることがある。トリガメッセージを送信するために、デバイスは［０，ＣＷ＿Ｔｒｉｇｇｅｒ］からバックオフウィンドウを選択し得る。データを送信するために、デバイスがＴｒＷＢ１０１２の前にコンテンションを開始する場合、デバイスは［ＦｉｘｅｄＣＷ＿ｄａｔａ＿ｍｉｎ，ＣＷ＿ｄａｔａ］からバックオフウィンドウを選択することがあり、ここでＦｉｘｅｄＣＷ＿ｄａｔａ＿ｍｉｎはＣＷ＿Ｔｒｉｇｇｅｒより大きい。
【０１８０】
[0204]さらに、いくつかの実装形態では、ページングウィンドウと関連付けられる未使用の時間は、トリガメッセージ送信のために再利用され得る。たとえば、あるコンテンションウィンドウパラメータ（たとえば、「ＣＷ＿ｐａｇｉｎｇ」）はページングフレームのために使用されることがあり、別のコンテンションウィンドウパラメータ（たとえば、「ＦｉｘｅｄＣＷ＿Ｔｒｉｇｇｅｒ＿ｍｉｎ，ＣＷ＿Ｔｒｉｇｇｅｒ」）はトリガフレームのために使用されることがある。ページングメッセージを送信するために、デバイスは［０，ＣＷ＿ｐａｇｉｎｇ］からバックオフウィンドウを選択し得る。トリガメッセージを送信するために、デバイスがＰＷＢ１０１０の前にコンテンションを開始する場合、デバイスは［ＦｉｘｅｄＣＷ＿Ｔｒｉｇｇｅｒ＿ｍｉｎ，ＣＷ＿Ｔｒｉｇｇｅｒ］からバックオフウィンドウを選択することがあり、ここでＦｉｘｅｄＣＷ＿Ｔｒｉｇｇｅｒ＿ｍｉｎはＣＷ＿ｐａｇｉｎｇより大きい。
【０１８１】
[0205]送信機は、送信機が利用可能であるか利用不可能であるかを事前に告知することがあるが、受信機はそのような能力を有しないことがある。したがって、いくつかの実装形態では、ＡＣＫが受信されるまで特定の受信機の可用性が知られていないので、複数の受信者のためのトラフィックを有するデバイスが、ページングウィンドウの間にいくつかの受信機のために広告することによって、超過予約または超過加入することがある。例示すると、送信機は、データ送信時間が５つの受信機への送信を許容し得ると事前に決定することがある。しかしながら、送信機は、５つの受信機の各々が利用可能であるか利用不可能であるかを決定することは可能ではないことがある。したがって、送信機が６つ以上の受信機（たとえば、１０個の受信機）のためのトラフィックを有する場合、送信機は受信機の１０個すべてのためのトラフィックを告知し得る。送信機は次いで、１０個の受信機のうちのいくつがトリガフレームにより応答するかを決定するために待機し得る。送信機は次いで、どれだけがトリガフレームにより応答したかに応じて、受信機のうちの５つだけのためのトラフィックを予定し、または受信機のうちの８つのためのトラフィックを予定し得る。（データ送信ウィンドウの既知の能力に基づいて）受信機のうちの５つだけのためのトラフィックを送信機が告知し、受信機のうちの３つだけがトリガフレームにより告知に肯定応答する場合、データウィンドウの過少利用があり得る。
【０１８２】
[0206]いくつかの場合、ページングされるデバイスは、ＰＳ−ＰＯＬＬメッセージ、ＱｏＳヌルフレームを送信することによって、または何らかの他の機構を介して、トリガウィンドウの間に応答し得る。送信機は、各トリガメッセージに肯定応答し得る。しかしながら、トリガメッセージの数が特定の値を超える場合、送信機は追加のトリガメッセージに肯定応答しないことがある。たとえば、送信機は、送信ウィンドウのサイズが、トリガメッセージを送信した複数のデバイスの各デバイスにデータを送信するのに不十分であると決定することがある。送信機は、送信ウィンドウのサイズがトリガメッセージを送信した各デバイスにデータを送信するのに不十分であるという決定に基づいて、トリガメッセージの１つまたは複数の肯定応答を送信し得る。たとえば、送信機は、トリガメッセージの各々の受信に肯定応答するが、データウィンドウの間にデータを送信しないことがある。別の例では、送信機は、データウィンドウの間にデータが送信される受信機からのトリガメッセージの受信に肯定応答することがあり、データウィンドウの間にデータが送信されない受信機からのトリガメッセージに肯定応答しないことがある。別の例では、送信機は、トリガメッセージの各々の受信に肯定応答することがあり、データがデータウィンドウの間に特定の受信機に送信されないことを、肯定応答の一部において示し得る。例示すると、特定の受信機からのトリガメッセージへの肯定応答において、肯定応答のビットの値は、データがデータウィンドウの間に特定の受信機に送信されないことを特定の受信機に示す値に設定され得る。データがデータウィンドウの間に送信されないことを示す肯定応答を受信したことに応答して、または、特定の時間期間内に肯定応答を受信しないことに応答して、受信機は低電力動作モードに遷移することができ、または、受信機は、その送信機が受信機が待機している唯一の送信機であるかどうかに応じて、何らかの他のネットワークに参加することができる。
【０１８３】
[0207]図１１を参照すると、被ページングデバイスリスト（ＰＤＬ）を有する属性を含むサービス発見フレーム（ＳＤＦ）１１００の例の図が示されている。ある特定の実装形態では、ＳＤＦ１１００は、図１のページングメッセージ１２８を含むことがあり、またはそれに対応することがある。ＳＤＦ１１００は、フレーム確認（ＦＣ）フィールド、時間長フィールド、アドレスフィールドＡ１、Ａ２、およびＡ３、シーケンス制御（ｓｅｑ．ｃｔｌ．）フィールド、タイムスタンプフィールド、ビーコン間隔フィールド、能力フィールド、フレーム確認シーケンス（ＦＣＳ）フィールド、またはこれらの組合せなどの、ヘッダフィールドを含み得る。いくつかの実装形態では、図１を参照して説明されたように、Ａ１フィールドは、特定の受信機アドレス値１７０を有する受信機アドレスフィールドであり得る。加えて、Ａ３フィールドは、ＮＡＮクラスタＩＤを示し得る。特定の受信機アドレス値１７０がＮＡＮクラスタＩＤである特定の実装形態では、Ａ１フィールドおよびＡ３フィールドは同じ値を有し得る。
【０１８４】
[0208]ＳＤＦ１１００はさらに、ＮＡＮパブリックアクションフレーム１１１０を含み得る。ＮＡＮパブリックアクションフレームとして説明されるが、他の実装形態では、ＮＡＮパブリックアクションフレーム１１１０はＮＡＮアクションフレームであり得る。加えて、サービス発見フレームはＮＡＮ情報要素（図示されない）を含み得る。ＮＡＮパブリックアクションフレーム１１１０は、カテゴリフィールド、アクションフィールド、組織的固有識別子（ＯＵＩ：organizationally unique identifier）、ＯＵＩタイプフィールド、またはこれらの組合せを含み得る。ＮＡＮパブリックアクションフレーム１１１０はまた、ＮＡＮ属性と呼ばれる１つまたは複数の属性を含み得る。
【０１８５】
[0209]示される例では、１つまたは複数のＮＡＮ属性は、第１のＮＡＮ属性１１１２と第２のＮＡＮ属性１１１４とを含む。２つのＮＡＮ属性が示されるが、他の実装形態では、ＮＡＮパブリックアクションフレーム１１１０は、３つ以上のＮＡＮ属性または単一のＮＡＮ属性を含み得る。ある特定の実装形態では、第１のＮＡＮ属性１１１２は第１のタイプを有するデータに対応することがあり、第２のＮＡＮ属性１１１４は第２のタイプを有するデータに対応することがある。他の実装形態では、ＮＡＮ属性は、サービス属性またはＮＡＮデータリンク（ＮＡＮ−ＤＬ）属性などの様々なタイプの属性であり得る。
【０１８６】
[0210]いくつかの実装形態では、第１のＮＡＮ属性１１１２、第２のＮＡＮ属性１１１４、または両方が、ページ属性１１２０であり得る。いくつかの実装形態では、ページ属性１１２０は、図１１に示されるフィールドの各々を含む。他の実装形態では、ページ属性１１２０は、図１１に示されるものよりも多数または少数のフィールドを含むことがあり、ページ属性１１２０のフィールドは異なる構成または順序で並べられることがある。ページ属性１１２０は、特定の識別値を含む属性ＩＤフィールド１１２２を含み得る。特定の識別値は、属性をページ属性として特定し得る。例示すると、ＳＤＦ１１００などのメッセージは、複数の属性タイプから選択される属性を含み得る。属性ＩＤフィールド１１２２に対する特定の識別値を有する属性は、ページ属性として特定され得る。
【０１８７】
[0211]ページ属性１１２０は、ページ属性１１２０の長さを特定する値を含む長さフィールド１１２４を含み得る。ページ属性１１２０はまた、データリンクグループを特定する値を含むデータリンクグループＩＤフィールド１１２６を含み得る。ある特定の実装形態では、特定の受信機アドレス値１７０は、データリンクグループＩＤフィールド１１２６の値であり得る。データリンクグループＩＤフィールド１１２６は、ＮＤＬ識別子とも呼ばれ得る。
【０１８８】
[0212]ページ属性１１２０はさらに、ページ制御フィールド１１２８と被ページングデバイスリスト（ＰＤＬ）のシーケンス１１３０とを含む。ページ制御フィールド１１２８は、ページ属性１１２０に関する情報を示す。ページ制御フィールド１１２８の最初のビット１１４０は、ＰＤＬのシーケンス１１３０に対応するデータがマルチキャストデータであるかユニキャストデータであるかを示し得る。ページ制御フィールド１１２８のビットのセット１１４２は、ＰＤＬのシーケンス１１３０の中のＰＤＬの数を示し得る。ページ制御フィールド１１２８の追加のビット１１４４は予備であり得る。他の実装形態では、ページ制御フィールド１１２８の中のビットは異なるように分割され得る。
【０１８９】
[0213]ＰＤＬのシーケンス１１３０はＰＤＬ１１５０を含み得る。いくつかの実装形態では、ＰＤＬのシーケンス１１３０は複数のＰＤＬを含み得る。ＰＤＬ１１５０は、ＰＤＬ制御フィールド１１５２とデバイスのリスト１１５４とを含み得る。ＰＤＬ制御フィールド１１５２は、ビットの第１のセット１１６０と、ビットの第２のセット１１６２と、ビットの第３のセット１１６４と、ビットの第４のセット１１６６とを含み得る。ビットの第１のセット１１６０は、ＰＤＬ１１５０の長さ（またはデバイスのリスト１１５４の長さ）を示し得る。ビットの第２のセット１１６２は、デバイスのリスト１１５４に含まれるデバイスへの送信を予定されているデータのタイプを示し得る。たとえば、ビットの第２のセット１１６２は、音声トラフィック、パケットデータトラフィック、ビデオトラフィック、または他のタイプのトラフィックを示し得る。いくつかの実装形態では、ビットの第２のセット１１６２は、データに対応するサービス品質（ＱｏＳ）カテゴリを示す。ビットの第３のセット１１６４は、ＰＤＬ１１５０のタイプ（たとえば、デバイスのリスト１１５４のタイプ）を示し得る。たとえば、ビットの第３のセット１１６４は、デバイスのリスト１１５４がＴＩＭによって示されるか、ブルームフィルタによって示されるか、またはＭＡＣアドレスのリストによって示されるかを示し得る。ビットの第４のセット１１６６は、本明細書でさらに説明されるように、デバイスのリスト１１５４に関する情報を示し得る。
【０１９０】
[0214]ビットの第３のセット１１６４によって提供される指示を例示すると、ビットの第３のセット１１６４が００という値を有する場合、デバイスのリスト１１５４はＭＡＣアドレスのリストによって示される。ビットの第３のセット１１６４が０１という値を有する場合、デバイスのリスト１１５４はブルームフィルタによって示される。ビットの第３のセット１１６４が１０という値を有する場合、デバイスのリスト１１５４はＴＩＭによって示される。ビットの第３のセット１１６４の値１０１〜１１１は予備であり得る。ビットの第４のセット１１６６は、ビットの第３のセット１１６４の値に基づいて異なる情報を示し得る。例示すると、ビットの第３のセット１１６４が００という値を有する場合、ビットの第４のセット１１６４は、デバイスのリスト１１５４が各ＭＡＣアドレスのうちの６オクテット（ＭＡＣアドレス全体）を含むか、１オクテットを含むか、２オクテットを含むか、または４オクテットを含むかを示す。ビットの第３のセット１１６４が値０１を有する場合、ビットの第４のセット１１６６はブルームフィルタのブルームフィルタインデックスを示す。ビットの第３のセット１１６４が値１０を有する場合、ビットの第４のセット１１６６はＴＩＭに対応するオフセットを示すビットマップ制御フィールドである。ビットの第３のセット１１６４およびビットの第４のセット１１６６の具体的な値が説明されたが、説明は限定するものではない。他の実装形態では、上で説明された指示は、ビットの第３のセット１１６４およびビットの第４のセット１１６６の異なる値に対応することがあり、またはビットのセットは他の情報を示すことがある。
【０１９１】
[0215]デバイスのリスト１１５４は、可変のサイズを有することがあり、ＳＤＦ１１００を送信しているデバイスからトラフィックを受信することが予定されているデバイスのサブセットを示すことがある。デバイスのリスト１１５４は、ＴＩＭ、ブルームフィルタ、またはＭＡＣアドレスのリストによって示され得る。デバイスのリスト１１５４は、図１を参照して説明されたデバイスのサブセットの各デバイスを特定し得る。
【０１９２】
[0216]したがって図１１は、ＳＤＦ１１００などの、トラフィックを受信することが予定されているデバイスのリストを示すための、フレームに含まれ得る特定の属性を示す。２つ以上のタイプのトラフィックが送信を予定されている場合、ページ属性１１２０は複数のＰＤＬを含むことがあり、複数のＰＤＬの各ＰＤＬは異なるタイプのトラフィックに対応することがある。したがって、異なるタイプのトラフィックは、１つの属性または複数の属性を使用した異なるデバイスへの送信を予定され得る。
【０１９３】
[0217]図１２を参照すると、ＰＤＬを含む第２の説明のためのページ属性１２００およびＰＤＬを含む説明のためのトラフィック告知属性１２３０の図が示されている。ページ属性１２００およびトラフィック告知属性１２３０は特定のフィールドを含むものとして図１２において示されているが、例示は限定するものではない。他の実装形態では、ページ属性１２００またはトラフィック告知属性１２３０のフレームは異なる順序で構成されることがあり、ならびに／または、ページ属性１２００およびトラフィック告知属性１２３０は図１２に示されるものよりも少数もしくは多数のフレームを含むことがある。
【０１９４】
[0218]ページ属性１２００およびトラフィック告知属性１２３０は、図１のページングメッセージ１２８などのページングメッセージにおいて使用するためのＰＤＬ（または異なるトラフィックインジケータ）を含み得る、属性の他の実装形態を表す。いくつかの実装形態では、第１のＮＡＮ属性１１１２、第２のＮＡＮ属性１１１４、または両方が、図１１のページ属性１１２０の代わりに、ページ属性１２００とトラフィック告知属性１２３０のいずれかを含み得る。
【０１９５】
[0219]ページ属性１２００は、属性ＩＤフィールド１２０２を含み得る。ページ属性１２００は、ページ属性１２００の長さを特定する値を含む長さフィールド１２０４を含み得る。ページ属性１２００はまた、データリンクグループを特定する値を含むデータリンクグループＩＤフィールド１２０６を含み得る。ある特定の実装形態では、メッセージをページングメッセージとして特定する特定の受信機アドレス値は、データリンクグループＩＤフィールド１２０６の値であり得る。データリンクグループＩＤフィールド１２０６は、ＮＡＮデータリンク（ＮＤＬ）識別子とも呼ばれ得る。
【０１９６】
[0220]ページ属性１２００はさらに、ページ制御フィールド１２０８とＰＤＬ１２１０とを含む。ページ属性１２００は任意選択で、トラフィックタイプインジケータ１２１２を含む。ページ制御フィールド１２０８は、ページ属性１２００に関する情報を示す。本明細書でさらに説明されるように、ページ制御フィールド１２０８のビットの第１のセット１２２０は、被ページングデバイスリスト１２１０のリストのタイプ（たとえば、トラフィックインジケータのタイプ）を示し得る。ある特定の実装形態では、ビットの第１のセット１２２０は３ビットを含む。ページ制御フィールド１２０８のビットの第２のセット１２２２は、トラフィックタイプインジケータ１２１２がページ属性１２００に含まれるかどうかを示し得る。ページ制御フィールド１２０８のビットの第３のセット１２２４は予備であり得る。他の実装形態では、ページ制御フィールド１２０８の中のビットは異なるように分割され得る。
【０１９７】
[0221]ビットの第１のセット１２２０によって提供される指示を例示すると、ビットの第１のセット１２２０が第１の特定の値を有する場合、ページ属性１２００を含むメッセージを送信するデバイスによる送信を予定されているデータは、マルチキャストデータである。ある特定の実装形態では、データがマルチキャストデータである場合、ＰＤＬ１２１０はページ属性１２００に含まれないことがある。この場合、ページ属性１２００を含むメッセージを受信する各デバイスは、ページ制御フィールド１２０８のビットの第１のセット１２２０が第１の特定の値を有することを検出したことに基づいて、アクティブ動作モードにとどまり得る。ビットの第１のセット１２２０が第２の特定の値を有する場合、データはユニキャストデータであることがあり、ＰＤＬ１２１０はＴＩＭによって示されることがある。ビットの第１のセット１２２０が第３の特定の値を有する場合、データはユニキャストデータであることがあり、ＰＤＬ１２１０はブルームフィルタによって示されることがある。ビットの第１のセット１２２０が第４の特定の値を有する場合、データはユニキャストデータであることがあり、ＰＤＬ１２１０はＭＡＣアドレスのリストによって示されることがある。ビットの第１のセット１２２０が第５の特定の値を有する場合、ビットの第１のセット１２２０は、新たな共通グループ鍵（ＣＧＫ）がデータリンクグループのデバイスによって生成されたことを示す。この場合、ＰＤＬ１２１０は、ＣＧＫを生成したデバイスのＭＡＣアドレス（または他の識別子）を含み、トラフィックタイプインジケータ１２１２がページ属性１２００に含まれる場合、トラフィックタイプインジケータ１２１２は最高の優先度のトラフィックタイプを示す。たとえば、トラフィックタイプインジケータ１２１２は、トラフィックに対応する最高のＱｏＳカテゴリを示し得る。
【０１９８】
[0222]ＰＤＬ１２１０は、可変のサイズを有することがあり、特定のデバイスからトラフィックを受信することが予定されているデバイスのサブセットを示すことがある。ＰＤＬ１２１０は、ＴＩＭ、ブルームフィルタ、またはＭＡＣアドレスのリストによって示され得る。ＰＤＬ１２１０は、図１を参照して説明されたデバイスのサブセットの各デバイスを特定し得る。
【０１９９】
[0223]トラフィック告知属性１２３０は、属性ＩＤフィールド１２３２を含み得る。トラフィック告知属性１２３０は、トラフィック告知属性１２３０の長さを特定する値を含む長さフィールド１２３４を含み得る。トラフィック告知属性１２３０はまた、データリンクグループを特定する値を含むデータリンクグループＩＤフィールド１２３６を含み得る。ある特定の実装形態では、メッセージをページングメッセージとして特定する特定の受信機アドレス値は、データリンクグループＩＤフィールド１２３６の値であり得る。データリンクグループＩＤフィールド１２３６は、ＮＤＬ識別子とも呼ばれ得る。
【０２００】
[0224]トラフィック告知属性１２３０はさらに、ＰＤＬ１２３８を含む。ＰＤＬ１２３８は、タイプ長さ値（ＴＬＶ：type length value）フィールドによって表され得る。ＴＬＶフィールドのタイプフィールドは、ＴＩＭ、ブルームフィルタ、またはＭＡＣアドレスのリストなどの、ＰＤＬ１２３８のタイプを示し得る。ＴＬＶフィールドの長さフィールドは、ＴＬＶフィールドの値フィールドの長さを示し得る。値フィールドはデバイスのリストを含む。いくつかの実装形態では、トラフィック告知属性１２３０はまた、ＰＤＬ１２３８のデバイスへの送信を予定されるトラフィックのタイプを示すトラフィックタイプインジケータを含む。
【０２０１】
[0225]したがって、図１２は、ＳＤＦまたは管理フレームなどの、トラフィックを受信することが予定されているデバイスのリストを示すための、フレームに含まれ得る２つの属性を示す。２つ以上のタイプのトラフィックが送信を予定されている場合、フレームは複数の属性を含むことがあり、複数の属性の各属性は異なるタイプのトラフィックに対応する。たとえば、フレームは、複数のページ属性１２００または複数のトラフィック告知属性１２３０を含み得る。フレームを受信するデバイスは、トラフィックが送信を予定されているかどうかということと、予定されているトラフィックのタイプとを決定するために、複数の属性を処理し得る。
【０２０２】
[0226]図１３を参照すると、動作の方法の特定の実装形態が示されており、全体的に１３００と指定されている。ある特定の実装形態では、方法１３００は、図１のシステム１００のデバイス１０４、１０６、１０８、および１１０のうちの少なくとも１つの提供者論理１３０によって実行され得る。
【０２０３】
[0227]１３０２において、方法１３００は、第１のデバイスにおいて、ＮＡＮの通信の接続設定段階の間に（またはＮＡＮ発見ウィンドウの間に）、第２のデバイスから可用性情報を受信することを含む。接続設定段階は、デバイス能力情報の交換を含む。たとえば、図１を参照すると、第１のデバイス１０４（たとえば、提供者デバイス）は、能力情報１１４の交換を含むＮＡＮ１０２の通信の関連付け段階の間に、第２のデバイス１０６（たとえば、加入者デバイス）から可用性情報１１６を受信し得る。いくつかの実装形態では、接続設定段階は関連付け段階を含む。他の実装形態では、接続設定段階はネゴシエーション段階を含む。ある特定の実装形態では、第２のデバイス１０６は関連付け段階の間にデータリンクグループに参加し、データリンクグループは第１のデバイス１０４と１つまたは複数の他のデバイスとを含む。
【０２０４】
[0228]１３０４において、方法１３００は、ページングウィンドウの間にトラフィックインジケータを含むページングメッセージを送信することを含む。トラフィックインジケータは、データを受信することが予定されているものとして第２のデバイスを特定する。たとえば、図１を参照すると、第１のデバイス１０４は、ページングウィンドウの間に、ページングメッセージ１２８を第２のデバイス１０６に送信し得る。ページングメッセージ１２８は、データを受信することが予定されているものとして第２のデバイス１０６を特定する、トラフィックインジケータを含み得る。非限定的な例として、トラフィックインジケータは、トラフィック指示マップ（ＴＩＭ）、ブルームフィルタ、媒体アクセス制御（ＭＡＣ）アドレスのリスト、部分ＭＡＣアドレスのリスト、またはＭＡＣアドレスのハッシュのリストを含み得る。
【０２０５】
[0229]１３０６において、方法１３００は、可用性情報に基づいて、送信ウィンドウの間にデータを第２のデバイスの送信する前に第２のデバイスの可用性を決定するためのメッセージ交換を実行すべきかどうかを決定することを含む。たとえば、図１を参照すると、第１のデバイス１０４は、関連付け段階の間に第２のデバイス１０６から受信された可用性情報１１６に基づいて、送信ウィンドウの間にデータ１２２を第２のデバイスに送信する前に第２のデバイス１０６からトリガフレーム１８２を受信するのを待機すべきかどうかを決定し得る。別の例として、図１を参照すると、第１のデバイス１０４は、可用性情報１１６に基づいて、ＰＳ−ＰＯＬＬメッセージ、サービス品質（ＱｏＳ）ヌルメッセージ（またはサービス品質（ＱｏＳ）ヌルフレーム）、ＡＴＩＭメッセージ、アクションフレーム、または別のユニキャストメッセージを送信することによって、第２のデバイスの可用性を決定すべきかどうかを決定し得る。いくつかの実装形態では、データ１２２はデータウィンドウの間に送信され得る。他の実装形態では、データ１２２は、ページングウィンドウの間またはトリガウィンドウの間などの、データウィンドウの開始の前に送信され得る。
【０２０６】
[0230]図１３に示される特定の実装形態では、方法１３００は、１３０８において、第２のデバイスがＮＡＮのデータリンクグループの送信ウィンドウの間に利用可能であることを可用性情報（ＮＡＮの関連付け段階の間に受信される）が示すと決定したことに応答して、第２のデバイスの可用性を決定するためのメッセージ交換を実行することなく、送信ウィンドウの間に第１のデバイスから第２のデバイスにデータを送信することを含む。たとえば、図１を参照すると、可用性情報１１６は、第２のデバイス１０６がＮＡＮ１０２のデータウィンドウの間の通信に利用可能となることに専用である（たとえば、「常時」利用可能である）という指示を第１のデバイス１０４に提供することができ、第１のデバイス１０４は、データ１２２を（送信ウィンドウの間に）第２のデバイス１０６に送信する前に、ポーリング機構またはトリガ機構などを介して第２のデバイス１０６の可用性を決定するためのメッセージ交換を実行するのを控え得る。
【０２０７】
[0231]図１３はさらに、可用性情報が送信ウィンドウの間の第２のデバイスの可用性を示さないと決定したことに応答して、方法１３００が１３１０において、データを送信する前に、第２のデバイスが利用可能であると決定するためのメッセージ交換を実行することを含み得ることを示す。たとえば、図１を参照すると、可用性情報１１６は、第２のデバイス１０６がＮＡＮ１０２のデータリンクグループの送信ウィンドウの間の通信に利用可能であることに専用ではない（たとえば、「常時」利用可能ではない）ことの指示、または、第２のデバイス１０６がポーリングされることと送信ウィンドウの間にデータ１２２を受信することに対する可用性の指示によって応答することとを「好む」ことの指示を、第１のデバイス１０４に提供し得る。この場合、第１のデバイス１０４は、第２のデバイス１０６にポーリングすることができ、データ１２２を送信する前に第２のデバイス１０６からの応答を待機することができる。別の例として、第２のデバイス１０６は、送信ウィンドウの間にデータ１２２を受信することに対する可用性の指示を提供するために、第２のデバイス１０６がトリガフレームを送信することを「好む」ことの指示を提供し得る。
【０２０８】
[0232]ある特定の実装形態では、可用性情報は、単一のビットを有する特定のフィールドを含むことがあり、特定のフィールドの値は、第２のデバイスがＮＡＮのデータリンクグループのデータウィンドウの間に利用可能であるかどうかを示す。たとえば、図１の指示１６２は、指示１６２の中の特定のビットのビット値を介して、専用の可用性（または不可用性）を特定し得る。加えて、または代替的に、可用性情報は、複数のビットを有する特定のビットフィールドを含むことがあり、特定のビットフィールドの値は、第１のデバイスを含むデータリンクグループに対応する各データウィンドウの間に第２のデバイスが利用可能であるかどうかを示す。たとえば、図１の可用性情報１１６は、複数のビットを含み、「常時」利用可能ステータス、「ポーリングされることを好む」ステータス、または「トリガフレームを送信することを好む」ステータスに対応する指示を提供する、フィールドであり得る。
【０２０９】
[0233]したがって、図１３は、ＮＡＮの送信ウィンドウの間のメッセージトラフィックが、ＮＡＮの通信の関連付け段階の間に提供される可用性情報に基づいて減らされ得ることを示す。図１３において、提供者デバイスは、加入者デバイスがＮＡＮのデータリンクグループのデータウィンドウの間に利用可能であることの指示を加入者デバイスが提供している場合、加入者デバイスの可用性を決定するためのメッセージ交換を実行するのを控えることができ、ポーリングメッセージまたはトリガフレームと関連付けられるトラフィックなどの、メッセージトラフィックの削減をもたらす。代わりに、提供者デバイスは、加入者デバイスをデータの受信者として特定するトラフィックインジケータを含むページングメッセージを（ページングウィンドウの間に）送信することができ、データを送信する前に（データウィンドウの間に）第２のデバイスの可用性を決定するためのメッセージ交換を実行するのを控えることができる。
【０２１０】
[0234]図１４を参照すると、動作の方法の特定の態様が示されており、全体的に１４００と指定されている。ある特定の実装形態では、方法１４００は、図１のシステム１００のデバイス１０４、１０６、１０８、および１１０のうちの少なくとも１つの加入者論理１３４によって実行され得る。
【０２１１】
[0235]１４０２において、方法１４００は、ＮＡＮの通信の接続設定段階の間に（またはＮＡＮ発見ウィンドウの間に）、第１のデバイスから第２のデバイスに可用性情報を送信することを含む。接続設定段階はデバイス能力情報の交換を含み、可用性情報はＮＡＮのデータリンクグループの送信ウィンドウの間の第１のデバイスの可用性を示す。たとえば、図１を参照すると、第２のデバイス１０６（たとえば、加入者デバイス）は、能力情報１１４の交換を含むＮＡＮ１０２の通信の関連付け段階の間に、第１のデバイス１０４（たとえば、提供者デバイス）に可用性情報１１６を送信し得る。いくつかの実装形態では、接続設定段階は関連付け段階を含む。他の実装形態では、接続設定段階はネゴシエーション段階を含む。
【０２１２】
[0236]１４０４において、方法１４００は、第１のデバイスにおいて、ページングウィンドウの間に第２のデバイスからページングメッセージを受信することを含む。ページングメッセージは、データを受信することが予定されているものとして第１のデバイスを特定する、トラフィックインジケータを含む。たとえば、図１を参照すると、第２のデバイス１０６は、ページングウィンドウの間に、ページングメッセージ１２８を第１のデバイス１０４から受信し得る。ページングメッセージ１２８は、データを受信することが予定されているものとして第２のデバイス１０６を特定する、トラフィックインジケータを含み得る。非限定的な例として、トラフィックインジケータは、トラフィック指示マップ（ＴＩＭ）、ブルームフィルタ、媒体アクセス制御（ＭＡＣ）アドレスのリストを含み得る。
【０２１３】
[0237]図１４はさらに、第１のデバイスがデータリンクグループの送信ウィンドウの間に利用可能であることを可用性情報が示すと決定したことに応答して、方法１４００が１４０６において、第２のデバイスに可用性の指示を提供するためのメッセージ交換を実行するのを控えることを含み得ることを示す。たとえば、図１を参照すると、第２のデバイス１０６がＮＡＮのデータリンクグループの送信ウィンドウの間に利用可能であることを第２のデバイス１０６の可用性情報１１６が示すと決定したことに応答して、第２のデバイス１０６は、可用性の指示（たとえば、第１のデバイス１０４からのポーリングメッセージまたはトリガフレームへの応答）を第１のデバイス１０４に送信するのを控え得る。第１のデバイスが送信ウィンドウの間に利用可能であることを可用性情報が示さないと決定したことに応答して、方法１４００は１４０８において、第２のデバイスに可用性の指示を提供するためのメッセージ交換を実行することを含み得る。たとえば、図１を参照すると、送信ウィンドウの間の第２のデバイス１０６の可用性を第２のデバイス１０６の可用性情報１１６が示さない場合、第２のデバイス１０６は第１のデバイス１０４に可用性の指示を送信し得る。
【０２１４】
[0238]図１４に示される特定の実装形態では、１４１０において、方法１４００はさらに、第１のデバイスにおいて、送信ウィンドウの間に第２のデバイスからデータを受信することを含み得る。たとえば、図１を参照すると、第２のデバイス１０６がデータリンクグループのデータウィンドウの間に利用可能であることを第２のデバイス１０６の可用性情報１１６が示すと決定したことに応答して、第２のデバイス１０６は、第２のデバイス１０６に可用性の指示を提供するためのメッセージ交換を実行することなく、送信ウィンドウの間に第１のデバイス１０４からデータを受信し得る。いくつかの実装形態では、第２のデバイス１０６は、データウィンドウの間に第１のデバイス１０４からデータを受信し得る。他の実装形態では、第２のデバイス１０６は、ページングウィンドウの間またはトリガウィンドウの間などの、データウィンドウの開始の前に第１のデバイス１０４からデータを受信し得る。
【０２１５】
[0239]ある特定の実装形態では、方法１４００はさらに、接続設定段階の間に第２のデバイスとの関連付けを実行することを含み得る。たとえば、図１を参照すると、第２のデバイス１０６は、能力情報１１４の交換を含むＮＡＮ１０２の通信の関連付け段階の間に、データリンクグループに参加し得る。加えて、または代替的に、可用性情報は特定のフィールド値または特定のビット値を含むことがあり、特定のフィールドの値または特定のビット値は、第２のデバイスが送信ウィンドウの間に利用可能であるかどうかを示すことがある。たとえば、図１の指示１６２は、指示１６２の中の特定のフィールドまたは特定のビットのビット値を介して、可用性（または不可用性）を特定し得る。加えて、または代替的に、可用性情報は、複数のビットを有する特定のビットフィールドを含むことがあり、特定のビットフィールドの値は、第１のデバイスを含むデータリンクグループの各データウィンドウの間に利用可能なウェザー第２のデバイスを示す。たとえば、図１の可用性情報１１６は、複数のビットを含み、「常時」利用可能ステータス、「ポーリングされることを好む」ステータス、または「トリガフレームを送信することを好む」ステータスに対応する指示を提供する、フィールドであり得る。
【０２１６】
[0240]したがって、図１４は、ＮＡＮの送信ウィンドウの間のメッセージトラフィックが、ＮＡＮの通信の関連付け段階の間に提供される可用性情報に基づいて減らされ得ることを示す。図１４において、加入者デバイスは、関連付け段階の間の可用性の指示を提供し得る。提供者デバイスは、データの受信者として加入者デバイスを特定するトラフィックインジケータを含むページングメッセージを（ページングウィンドウの間に）送信することができ、加入者デバイスは、データウィンドウの間にデータを受信することに対する加入者デバイスの可用性の指示を提供するためのメッセージ交換を実行するのを控えることができ、ポーリングメッセージまたはトリガフレームへの応答と関連付けられるトラフィックなどのメッセージトラフィックの削減をもたらす。
【０２１７】
[0241]図１５を参照すると、動作の方法の特定の態様が示されており、全体的に１５００と指定されている。ある特定の実装形態では、方法１５００は、図１のシステム１００のデバイス１０４、１０６、１０８、および１１０のうちの少なくとも１つの提供者論理１３０によって実行され得る。
【０２１８】
[0242]１５０２において、方法１５００は、第１のデバイスにおいて、近隣認識ネットワーク（ＮＡＮ）のデータリンクグループのデバイスがアクティブ動作モードで動作するように構成される特定の時間期間の間に第１のデバイスが利用可能であるかどうかの指示を含むメッセージを生成することを含む。たとえば、図１を参照すると、第１のデバイス１０４の提供者論理１３０はページングメッセージ１２８またはサービス広告１２０を生成することができ、ページングメッセージ１２８またはサービス広告１２０は第１のデバイス１０４が特定の時間期間の間利用可能であることを示すことができる。
【０２１９】
[0243]方法１５００はさらに、１５０４において、第１のデバイスからデータリンクグループの１つまたは複数のデバイスにメッセージを送信することを含む。たとえば、図１を参照すると、第１のデバイス１０４はページングメッセージ１２８を第２のデバイス１０６に送信することができ、または、第１のデバイス１０４はサービス広告１２０を第２のデバイス１０６および第３のデバイス１０８に送信することができる。
【０２２０】
[0244]ある特定の実装形態では、メッセージはサービス広告を含み、メッセージはＮＡＮの発見ウィンドウの間に送信され、特定の時間期間は、ＮＡＮの発見ウィンドウのペアの間の１つまたは複数の時間の期間を含む。ＮＡＮのデバイスは、発見ウィンドウの間アクティブ動作モードで動作するように構成されることがあり、ＮＡＮのデバイスは、データリンクグループのデバイスを含むことがある。例示すると、第１のデバイス１０４は、ＮＡＮ１０２の発見ウィンドウの間にサービス広告１２０を第２のデバイス１０６および第３のデバイス１０８に送信することがあり、特定の時間期間は２つの連続する発見ウィンドウ間の時間期間を含むことがある。代替的に、メッセージはページングメッセージを含み、メッセージはデータリンクグループのページングウィンドウの間に送信され、特定の時間期間はページングウィンドウのペアの間の１つまたは複数のデータウィンドウを含む。データリンクグループのデバイスは、ページングウィンドウの間にアクティブ動作モードでオペレーティングように構成され得る。例示すると、第１のデバイス１０４は、ＮＡＮ１０２のデータリンクグループに対応するページングウィンドウの間にページングメッセージ１２８を第２のデバイス１０６に送信することがあり、特定の時間期間は、ページングウィンドウと次のページングウィンドウとの間のデータウィンドウを含むことがある。
【０２２１】
[0245]いくつかの実装形態では、特定の時間期間の少なくとも一部分は、複数の論理チャネルによって特定される。複数の論理チャネルの各々は、通信チャネルおよび少なくとも１つの時間期間に対応し得る。たとえば、サービス広告１２０は論理チャネル１５０を示すことがあり、またはページングメッセージ１２８は次のＮ個の論理チャネル１６４を示すことがある。これらの例では、複数の論理チャネルは、次のＮ個の論理チャネルなどのいくつかの論理チャネルによって表され得る。各論理チャネルは、特定の時間期間および通信チャネルの一部分に対応し得る（またはそれを表し得る）。一例として、第１の論理チャネルは第１の時間期間および第１の通信チャネルに対応することがあり、第２の論理チャネルは第２の時間期間および第１の通信チャネルに対応し、第３の論理チャネルは第３の時間期間および第２の論理チャネルに対応する。加えて、ページングメッセージは、第１の論理チャネルに対応する送信ウィンドウのページングウィンドウ部分の間に、第１のデバイスから１つまたは複数のデバイスに送信され得る。いくつかの実装形態では、送信ウィンドウ（たとえば、ページングウィンドウの最初とデータウィンドウの最後との間の時間）は、ＮＡＮデータリンク時間ブロック（ＮＤＬ−ＴＢ）とも呼ばれる。少なくとも１つの実装形態では、第１の論理チャネルは基本通信チャネルに対応する。別の特定の実装形態では、第１の論理チャネルは、論理チャネルのインデックスによって参照される複数の補助通信チャネルのうちの補助通信チャネルに対応し得る。加えて、複数の論理チャネルは通信チャネルを表すことがあり、通信チャネルの指示は論理チャネルのインデックスにおいて補助通信チャネルの指示に後続することがある。ある特定の実装形態では、メッセージが第１の値を有するビットの特定のセットを含む場合、この指示は不可用性を特定し、ビットの特定のセットが第１の値と異なる第２の値を有する場合、この指示は可用性を特定する。たとえば、指示１６２は、第１のデバイス１０４が利用可能であるか利用不可能であるかを示す値を有するフィールドまたは特定のビットを含み得る。論理チャネルに関連する可用性を示すメッセージを送信することの追加の詳細が、図１６を参照して説明されている。
【０２２２】
[0246]図１６を参照すると、動作の方法の特定の態様が示されており、全体的に１６００と指定されている。ある特定の実装形態では、方法１６００は、図１のシステム１００のデバイス１０４、１０６、１０８、および１１０のうちの少なくとも１つの提供者論理１３０によって実行され得る。いくつかの場合、特定のデバイスがデータウィンドウの間の通信に「常時」利用可能ではないことを、ＮＡＮ１０２の通信の関連付け段階の間に特定のデバイスから受信される可用性情報１１６が示す場合に、方法１６００は実行され得る。
【０２２３】
[0247]１６０２において、方法１６００は、提供者デバイスにおいて、次のＮ個の論理チャネルに対する不可用性の指示を含むページングメッセージを生成することを含む。たとえば、図１を参照すると、第１のデバイス１０４の提供者論理１３０はページングメッセージ１２８を生成することができ、ページングメッセージ１２８に含まれる指示１６２は次のＮ個の論理チャネル１６４に対する第１のデバイス１０４の不可用性の指示を表す。すなわち、図２に関してさらに説明されるように、図１に示されるページングメッセージ１２８は、第１の論理チャネルを介してページング（トラフィック）告知を表すことがあり、不可用性の指示１６２は、特定のデータリンクグループのための論理チャネルのインデックスにおいて第１の論理チャネルに後続する他の論理チャネルを表し得る。
【０２２４】
[0248]説明のための非限定的な例として、第１の論理チャネルはインデックス中の第１の論理チャネルを表すことがあり、指示１６２は第１のデバイス１０４が次の４つの論理チャネルに対して利用不可能であることを指定し得る（すなわち、Ｎ＝４）。この例では、第１のデバイス１０４は、インデックス中の第１の論理チャネルからインデックス中の第５の論理チャネルまで利用不可能であり得る。ある特定の実装形態では、指示１６２は、指示１６２の中の特定のビットのビット値（たとえば、０）を介して不可用性を特定し得る。たとえば、第１のデバイス１０４が次のＮ個の論理チャネル１６４に対して利用不可能であることを示すために、指示は［０，Ｎ］を含むことがあり、ここでＮは整数値（たとえば、次の４つの論理チャネルに対する不可用性の場合は４）であり、特定のビットは第１のビット値（たとえば、０）を有する。しかしながら、不可用性を特定する代替的な方法が使用され得ることを理解されたい。
【０２２５】
[0249]方法１６００はまた、１６０２において、提供者デバイスから近隣認識ネットワーク（ＮＡＮ）のデータリンクグループの１つまたは複数の加入者デバイスにページングメッセージを送信することを含む。たとえば、図１を参照すると、第１のデバイス１０４は、ページングメッセージ１２８を少なくとも第２のデバイス１０６に送信し得る。すなわち、第１のデバイス１０４はサービスを提供するサービス提供者として動作することがあり、第２のデバイス１０６はサービスに加入する加入者デバイスとして動作することがある。いくつかの場合、不可用性の指示１６２を受信したことに応答して、第２のデバイス１０６の加入者論理１３４は、特定のデータリンクグループの論理チャネル１５０の次のＮ個の論理チャネル１６４を監視するのを控え得る。別の実装形態では、第２のデバイス１０６は、別のデータリンクグループと関連付けられる１つまたは複数の動作を実行し得る。
【０２２６】
[0250]図１７を参照すると、動作の方法の特定の態様が示されており、全体的に１７００と指定されている。ある特定の実装形態では、方法１７００は、図１のシステム１００のデバイス１０４、１０６、１０８、および１１０のうちの少なくとも１つの提供者論理１３０によって実行され得る。
【０２２７】
[0251]方法１７００は、１７０２において、近隣認識ネットワーク（ＮＡＮ）のデータリンクグループの第２のデバイスにおいて、データリンクグループのデバイスがアクティブ動作モードで動作するように構成される特定の時間期間の間に特定のサービスに対応する第１のデバイスが利用可能であるかどうかの指示を含むメッセージを受信することを含む。たとえば、図１を参照すると、第２のデバイス１０６は、第１のデバイス１０４からページングメッセージ１２８またはサービス広告１２０を受信し得る。ページングメッセージ１２８またはサービス広告１２０は、第１のデバイス１０４が特定の時間期間の間に利用可能であるかどうかの指示を含み得る。この特定の時間期間は、データリンクグループまたはＮＡＮのデバイスに知られている、またはそれらによって検出可能である時間期間であり得る。一例として、特定の時間期間は特定の論理チャネルによって表されることがあり、この特定の論理チャネルは特定の通信チャネルと特定の時間期間とを特定する。
【０２２８】
[0252]方法１７００はさらに、１７０４において、第１のデバイスがその特定の時間期間の間に利用不可能であると決定したことに応答して、その特定の時間期間に対応する１つまたは複数の送信ウィンドウの間に低電力動作モードに遷移することを含む。たとえば、図１を参照すると、第２のデバイス１０６は、第１のデバイス１０４が特定の時間期間の間に利用不可能であることをページングメッセージ１２８またはサービス広告１２０が示すと決定したことに応答して、特定の時間期間に対応する１つまたは複数のウィンドウの間に低電力動作モードに遷移し得る。
【０２２９】
[0253]ある特定の実装形態では、方法１７００は、第２のデバイスが他のデバイスとピア接続される場合、低電力動作モードに遷移する前に特定の時間期間の間に他のデバイスが利用不可能であると決定することを含む。たとえば、第２のデバイス１０６が第４のデバイス１１０などの別のデバイスとピア接続される場合、第２のデバイス１０６は、低電力動作モードに遷移する前に第４のデバイス１１０も利用不可能であるかどうかを決定し得る。第２のデバイス１０６は、関連付け動作またはネゴシエーション動作などの接続設定動作を実行することによって、第４のデバイス１１０とピア接続され得る。
【０２３０】
[0254]ある特定の実装形態では、メッセージはサービス広告を含み、特定の時間期間はＮＡＮの発見ウィンドウに対応する。ＮＡＮのデバイスは、発見ウィンドウの間アクティブ動作モードで動作するように構成されることがあり、ＮＡＮのデバイスは、データリンクグループのデバイスを含むことがある。例示すると、第２のデバイス１０６は、ＮＡＮ１０２の発見ウィンドウの間に第１のデバイス１０４からサービス広告１２０を受信し得る。代替的に、メッセージはページングメッセージを含み得る。データリンクグループのデバイスは、ページングウィンドウの間にアクティブ動作モードで動作するように構成され得る。例示すると、第２のデバイス１０６は、ＮＡＮ１０２のデータリンクグループに対応するページングウィンドウの間に第１のデバイス１０４からページングメッセージ１２８を受信し得る。
【０２３１】
[0255]ある特定の実装形態では、方法１７００はさらに、第２のデバイスにおいて、データリンクグループのデバイスがアクティブ動作モードで動作するように構成される第２の特定の時間期間の間に第１のデバイスが利用可能であるかどうかの第２の指示を含む第２のメッセージを受信することを含み得る。方法１７００はまた、第２の特定の時間期間に対応する１つまたは複数の送信ウィンドウの間の別のサービスに対応する異なるデバイスと関連付けられる１つまたは複数の動作を実行することを含み得る。たとえば、第２のデバイス１０６は、低電力動作モードに遷移する代わりに、第１のデバイス１０４とは異なる提供者デバイスと関連付けられる動作を実行し得る。
【０２３２】
[0256]いくつかの実装形態では、第２の特定の時間期間の少なくとも一部分は、複数の論理チャネルによって特定される。複数の論理チャネルの各々は、通信チャネルおよび特定の時間期間の一部分に対応する。たとえば、サービス広告１２０は論理チャネル１５０を示すことがあり、またはページングメッセージ１２８は次のＮ個の論理チャネル１６４を示すことがある。これらの例では、複数の論理チャネルは、次のＮ個の論理チャネル１６４などのいくつかの論理チャネルによって表される。各論理チャネルは、特定の時間期間および特定の通信チャネルに対応し得る（または表し得る）。一例として、第１の論理チャネルは第１の時間期間および第１の通信チャネルに対応することがあり、第２の論理チャネルは第２の時間期間および第１の通信チャネルに対応することがあり、第３の論理チャネルは第３の時間期間および第２の論理チャネルに対応することがある。いくつかの実装形態では、第１の論理チャネルは基本通信チャネルに対応し得る。別の特定の実装形態では、第１の論理チャネルは、論理チャネルのインデックスによって参照される複数の補助通信チャネルのうちの補助通信チャネルに対応し得る。加えて、複数の論理チャネルは通信チャネルと時間期間とを表すことがあり、通信チャネルの指示は論理チャネルのインデックスにおいて補助通信チャネルの指示に後続することがある。論理チャネルに関連する可用性を示すメッセージを受信することの追加の詳細が、図１８を参照して説明されている。
【０２３３】
[0257]図１８を参照すると、動作の方法の特定の態様が示されており、全体的に１８００と指定されている。ある特定の実装形態では、方法１８００は、図１のシステム１００のデバイス１０４、１０６、１０８、および１１０のうちの少なくとも１つの加入者論理１３４によって実行され得る。いくつかの場合、特定のデバイスがデータウィンドウの間の通信に「常時」利用可能ではないことを、ＮＡＮ１０２の通信の関連付け段階の間に特定のデバイスから受信される可用性情報１１６が示す場合に、方法１８００は実行され得る。
【０２３４】
[0258]１８０２において、方法１８００は、近隣認識ネットワーク（ＮＡＮ）のデータリンクグループの加入者デバイスにおいて、次のＮ個の論理チャネルに対する特定のサービスと関連付けられる提供者デバイスの不可用性の指示を含むページングメッセージを受信することを含む。たとえば、図１を参照すると、第２のデバイス１０６はサービスに加入する加入者デバイスとして動作することができ、第１のデバイス１０４は特定のサービスを提供するサービス提供者として動作することができる。第２のデバイス１０６の加入者論理１３４は第１のデバイス１０４からページングメッセージ１２８を受信することができ、ページングメッセージ１２８に含まれる指示１６２は次のＮ個の論理チャネル１６４に対する第１のデバイス１０４の不可用性の指示を表す。すなわち、図２に関してさらに説明されるように、図１に示されるページングメッセージ１２８は、第１の論理チャネルを介してページング（トラフィック）告知を表すことがあり、不可用性の指示１６２は、特定のデータリンクグループのための論理チャネルのインデックスにおいて第１の論理チャネルに後続する他の論理チャネルを表し得る。
【０２３５】
[0259]方法１８００はまた、１８０４において、次のＮ個の論理チャネルのために低電力動作モードに遷移すること、または、次のＮ個の論理チャネルの１つまたは複数の間、別のサービスと関連付けられる別の提供者デバイスと関連付けられる１つまたは複数の動作を実行することを含む。
【０２３６】
[0260]ある特定の実装形態では、第２のデバイス１０６は、低電力動作モードにとどまることによって電力消費を減らし、次のＮ個の論理チャネル１６４（ページングウィンドウを含む）を監視するために起動するのを控え得る。説明のための非限定的な例として、図４を参照すると、第２のデバイス１０６は、基本通信チャネル３０６と関連付けられる送信ウィンドウ３２２のページングウィンドウ３２４において、次のＮ個の論理チャネル１６４に対する不可用性の指示１６２を含むページングメッセージ１２８を受信し得る。すなわち、第２のデバイス１０６は、ｔ２において開始しｔ３において終了する時間期間の間に、ページングメッセージ１２８を受信し得る。説明のための例として、指示１６２は、第１のデバイス１０４が次の４つの論理チャネルに対して利用不可能であることを示し得る（すなわち、この場合はＮ＝４）。図３を参照すると、第２のデバイス１０６は、第１のページングウィンドウ３３２（ｔ５において開始しｔ６において終了する）の間に第１の補助チャネル３０８を監視するのを控え、第１のページングウィンドウ３４４（ｔ８において開始しｔ９において終了する）の間に第２の補助チャネル３１０を監視するのを控え、第２のページングウィンドウ３３６（ｔ１１において開始しｔ１２において終了する）の間に第１の補助チャネル３０８を監視するのを控え、第２のページングウィンドウ３４２（ｔ１４において開始しｔ１５において終了する）の間に第１の補助チャネル３０８を監視するのを控え得る。
【０２３７】
[0261]別の例として、図５を参照すると、第２のデバイス１０６は、第１の補助チャネル３０８と関連付けられる第１のページングウィンドウ３３２において、次のＮ個の論理チャネル１６４に対する不可用性の指示１６２を含むページングメッセージ１２８を受信し得る。すなわち、第２のデバイス１０６は、ｔ５において開始しｔ６において終了する時間期間の間に、ページングメッセージ１２８を受信し得る。説明のための例として、指示１６２は、第１のデバイス１０４が次の４つの論理チャネルに対して利用不可能であることを示し得る（すなわち、この場合はＮ＝４）。図３を参照すると、第２のデバイス１０６は、第１のページングウィンドウ３４４（ｔ８において開始しｔ９において終了する）の間に第２の補助チャネル３１０を監視するのを控え、第２のページングウィンドウ３３６（ｔ１１において開始しｔ１２において終了する）の間に第１の補助チャネル３０８を監視するのを控え、第２のページングウィンドウ３４８（ｔ１４において開始しｔ１５において終了する）の間に第２の補助チャネル３１０を監視するのを控え得る。さらに、図３には示されていないが、第２のデバイス１０６は、第２の発見ウィンドウ３１４の後に発生する第１のページングウィンドウの間、第１の補助チャネル３０８を監視するのを控え得る。すなわち、いくつかの場合、第２のデバイス１０６は、図３に示される発見期間３１６の後の他の発見期間と関連付けられる１つまたは複数の補助チャネルを監視するのを控え得る。
【０２３８】
[0262]別の実装形態では、第２のデバイス１０６は、次のＮ個の論理チャネルの１つまたは複数の間に、別のサービスと関連付けられる別の提供者デバイスと関連付けられる１つまたは複数の動作を実行し得る。たとえば、第２のデバイス１０６が複数の提供者に加入する場合、第２のデバイス１０６は、複数の提供者の各々と関連付けられる不可用性の共通部分に基づいて、節電動作または同時動作を予定することができる。説明のための非限定的な例として、第２のデバイス１０６は、第１のデバイス１０４および別のデバイスなどの２つの提供者に加入し得る。両方の提供者デバイスが不可用性をいつ示すかに応じて、第２のデバイス１０６は、１つまたは複数の節電動作、１つまたは複数の同時動作、またはこれらの組合せを予定し得る。
【０２３９】
[0263]例示すると、図４を参照すると、第２のデバイス１０６は、基本通信チャネル３０６と関連付けられる送信ウィンドウ３２２のページングウィンドウ３２４において、次のＮ個の論理チャネル１６４に対する不可用性の指示１６２を含むページングメッセージ１２８を受信し得る。この場合、第２のデバイス１０６は、次のＮ個の論理チャネル１６４の１つまたは複数の間に、別のデータリンクグループと関連付けられる１つまたは複数の動作を実行し得る（すなわち、この場合はＮ＝４）。すなわち、第２のデバイス１０６は、第１の補助チャネル３０８と関連付けられる第１の送信ウィンドウ３２８、第２の補助チャネル３１０と関連付けられる第１の送信ウィンドウ３４０、第１の補助チャネル３０８と関連付けられる第２の送信ウィンドウ３３０、第２の補助チャネル３１０と関連付けられる第２の送信ウィンドウ３４２、またはこれらの組合せの間に、１つまたは複数の動作を実行し得る。
【０２４０】
[0264]別の例として、図５を参照すると、第２のデバイス１０６は、第１の補助チャネル３０８と関連付けられる第１のページングウィンドウ３３２において、次のＮ個の論理チャネル１６４に対する不可用性の指示１６２を含むページングメッセージ１２８を受信し得る。この場合、第２のデバイス１０６は、次のＮ個の論理チャネル１６４の１つまたは複数の間に、別のデータリンクグループと関連付けられる１つまたは複数の動作を実行し得る（すなわち、この場合はＮ＝４）。すなわち、第２のデバイス１０６は、第１の補助チャネル３０８と関連付けられる第１の送信ウィンドウ３２８、第２の補助チャネル３１０と関連付けられる第１の送信ウィンドウ３４０、第１の補助チャネル３０８と関連付けられる第２の送信ウィンドウ３３０、第２の補助チャネル３１０と関連付けられる第２の送信ウィンドウ３４２、またはこれらの組合せの間に、別のデータリンクグループと関連付けられる１つまたは複数の動作を実行し得る。さらに、図３には示されていないが、第２のデバイス１０６は、第２の発見ウィンドウ３１４の後に発生する第１のページングウィンドウの間、別のデータリンクグループと関連付けられる１つまたは複数の動作を実行し得る。すなわち、いくつかの場合、第２のデバイス１０６は、図３に示される発見期間３１６の後の他の発見期間と関連付けられる１つまたは複数の補助チャネルを監視するのを控え得る。
【０２４１】
[0265]図１９を参照すると、動作の方法の特定の態様が示されており、全体的に１９００と指定されている。ある特定の実装形態では、方法１９００は、図１のシステム１００のデバイス１０４、１０６、１０８、および１１０のうちの少なくとも１つの提供者論理１３０によって実行され得る。いくつかの場合、特定のデバイスがデータウィンドウの間の通信に「常時」利用可能ではないことを、ＮＡＮ１０２の通信の関連付け段階の間に特定のデバイスから受信される可用性情報１１６が示す場合に、方法１９００は実行され得る。
【０２４２】
[0266]１９０２において、方法１９００は、第１のデバイスにおいて、ページングメッセージを生成することを含む。たとえば、図１を参照すると、第１のデバイス１０４の提供者論理１３０は、ページングメッセージ１２８を生成し得る。いくつかの実装形態では、ページングメッセージは、近隣認識ネットワーク（ＮＡＮ）のデータリンクグループに対応する特定の時間期間に対する可用性の指示を含み得る。たとえば、ページングメッセージ１２８に含まれる指示１６２は、特定の時間期間に対する第１のデバイス１０４の可用性の指示を表す。特定の時間期間は、次のＮ個の論理チャネル１６４に対応し得る。すなわち、図２に関してさらに説明されるように、図１に示されるページングメッセージ１２８は、第１の論理チャネルを介してページング（トラフィック）告知を表すことがあり、可用性の指示１６２は、特定のデータリンクグループのための論理チャネルのインデックスにおいて第１の論理チャネルに後続する他の論理チャネルを表し得る。
【０２４３】
[0267]説明のための非限定的な例として、第１の論理チャネルはインデックス中の第１の論理チャネルを表すことがあり、指示１６２は第１のデバイス１０４が次の４つの論理チャネルに対して利用可能であることを指定し得る（すなわち、Ｎ＝４）。この例では、第１のデバイス１０４は、インデックス中の第１の論理チャネルからインデックス中の第５の論理チャネルまで利用可能であり得る。ある特定の実装形態では、指示１６２は、指示１６２の中の特定のビットのビット値（たとえば、１）を介して可用性を特定し得る。たとえば、第１のデバイス１０４が次のＮ個の論理チャネル１６４に対して利用可能であることを示すために、指示は［１，Ｎ］を含むことがあり、ここでＮは整数値（たとえば、次の４つの論理チャネルに対する可用性の場合は４）であり、特定のビットは第２のビット値（たとえば、１）を有する。しかしながら、可用性を特定する代替的な方法が使用され得ることを理解されたい。
【０２４４】
[0268]方法１９００はまた、１９０４において、第１のデバイスから近隣認識ネットワーク（ＮＡＮ）のグループ（たとえば、データリンクグループ）の１つまたは複数のデバイスにページングメッセージを送信することを含む。たとえば、図１を参照すると、第１のデバイス１０４は、グループの第１の送信ウィンドウの間に、ページングメッセージ１２８を少なくとも第２のデバイス１０６に送信し得る。この例では、第１のデバイス１０４はサービスを提供するサービス提供者として動作することがあり、第２のデバイス１０６はサービスに加入する加入者デバイスとして動作することがある。図２に関してさらに説明されるように、図１に示されるページングメッセージ１２８は、第１の論理チャネルを介してページング（トラフィック）告知を表すことがあり、可用性の指示１６２は、特定のデータリンクグループのための論理チャネルのインデックスにおいて第１の論理チャネルに後続する他の論理チャネルを表し得る。
【０２４５】
[0269]１９０６において、方法１９００はまた、第１のデバイスにおいて、１つまたは複数の肯定応答（ＡＣＫ）がＮＡＮのデータリンクグループの１つまたは複数の加入者デバイスの各々から受信されているかどうかを決定することを含む。すなわち、第１のデバイス１０４は、可用性の指示１６２の受信を示す肯定応答を加入者デバイスから受信するのを待機し得る。説明のための非限定的な例として、第１のデバイス１０４は、次の４つの論理チャネルに対する可用性の指示１６２を提供し得る（すなわち、Ｎ＝４）。たとえば、図４を参照すると、指示１６２は、基本通信チャネル３０６の送信ウィンドウ３２２と関連付けられるページングウィンドウ３２４の間にページングメッセージ１２８を介して提供され得る。代替的に、図５〜図８に関して説明されるように、指示１６２は、第１の補助チャネル３０８と関連付けられるページングウィンドウ３３２、３３６の間に、または第２の補助チャネル３１０と関連付けられるページングウィンドウ３４４、３４８の間に、ページングメッセージ１２８を介して提供され得る。
【０２４６】
[0270]簡略化された例として、第２のデバイス１０６は、第１のデバイス１０４によって提供されるサービスに対する単一の加入者を表し得る。この例では、第１のデバイス１０４は、１９０６において、ＰＳ−ＰＯＬＬメッセージなどの肯定応答が第１の論理チャネルと関連付けられる特定のページングウィンドウの間に第２のデバイス１０６から受信されたかどうかを決定し得る。例示すると、図４を参照すると、第１のデバイス１０４は、基本通信チャネル３０６の送信ウィンドウ３２２と関連付けられるページングウィンドウ３２４の間に、ページングメッセージ１２８を介して次の４つの論理チャネルに対する可用性の指示１６２を提供し得る（すなわち、Ｎ＝４）。この例では、第１のデバイス１０４は、１９０６において、可用性の指示１６２の肯定応答（ＡＣＫ）がページングウィンドウ３２４の間に第２のデバイス１０６から受信されたかどうかを決定し得る。
【０２４７】
[0271]方法１９００は、１９０８において、第２の送信ウィンドウの第２のページングウィンドウの間にトラフィック告知を特定のデバイスに送信することなく、１つまたは複数のデバイスの特定のデバイスにデータトラフィックを送信することを含み得る。データトラフィックの少なくとも一部分は、グループの第２の送信ウィンドウの間に、および第２の送信ウィンドウのデータウィンドウの前に送信され得る。たとえば、データトラフィックの少なくとも一部分は、第２の送信ウィンドウのページングウィンドウ部分の間に、または第２の送信ウィンドウのトリガウィンドウ部分の間に送信され得る。図１９に示されるように、データトラフィックは、第１のデバイスにおいて、データリンクグループの１つまたは複数のデバイスの各々からの１つまたは複数の肯定応答の受信を検出したことに基づいて送信され得る。第２の送信ウィンドウは、次のＮ個の論理チャネルを含むことがあり、またはそれに対応することがある。
【０２４８】
[0272]ＡＣＫがページングウィンドウ３２４の間に第２のデバイス１０６から受信されていない場合、１９１２において、方法１９００は、第１のデバイス（たとえば、第１のデバイス１０４）において、減らされた数の論理チャネルに対する可用性の指示を含む第２のページングメッセージを生成することを含み得る。減らされた数の論理チャネルは、次のＮ−１個の論理チャネルであり得る。たとえば、指示は［１，Ｎ−１］を含むことがあり、ここでＮ−１は整数値（たとえば、Ｎ＝４であるときこの例では３）である。
【０２４９】
[0273]方法１９００は１９０４に戻ることができ、１９０４において提供者デバイスはデータリンクグループのデバイスに第２のページングメッセージを送信する。たとえば、図５を参照すると、指示１６２は、第１の補助チャネル３０８と関連付けられる第１の送信ウィンドウ３２８の第１のページングウィンドウ３２４の間にページングメッセージ１２８を介して提供され得る。第１のデバイス１０４によって提供される特定のサービスに対する単一の加入者デバイスを第２のデバイス１０６が表す簡略化された例では、第１のデバイス１０４は、１９０６において、第１の補助チャネル３０８と関連付けられる第１の送信ウィンドウ３２８の第１のページングウィンドウ３２４の間に、第２のページングメッセージへの肯定応答が第２のデバイス１０６から受信されたかどうかを決定し得る。
【０２５０】
[0274]方法１９００は、第２のページングメッセージへの１つまたは複数の肯定応答が受信されたと決定したことに応答して、減らされた数の論理チャネル（次のＮ−１個の論理チャネル）に対応するページングウィンドウにおいてトラフィック告知を送信するのを控えることを含み得る。さらに、方法１９００は、１９１０において、減らされた数の論理チャネル（次のＮ−１個の論理チャネル）の中のページングウィンドウの少なくとも一部分においてデータトラフィックを送信することを含み得る。ＡＣＫが第１のページングウィンドウ３２４の間に第２のデバイス１０６から受信されていない場合、方法１９００は１９１２に進むことができ、方法１９００は、ＡＣＫがＮＡＮのデータリンクグループのデバイスの各々から受信されるまで、ページングメッセージを生成し続け得る。
【０２５１】
[0275]ある特定の実装形態では、方法１９００はさらに、ページングメッセージを生成する前に、第１のコンテンションパラメータに基づいてページングウィンドウの間に第１のカウントダウンを開始することと、第２のコンテンションパラメータに基づいてページングウィンドウの間に第２のカウントダウンを開始することとを含み得る。第２のコンテンションパラメータは、第１のコンテンションパラメータより長い時間期間に対応し得る。例示すると、図９を参照すると、第１のカウントダウンはパラメータＣＷ＿ｐａｇｉｎｇに基づいて開始されることがあり、第２のカウントダウンはパラメータＦｉｘｅｄＣＷ＿ｄａｔａ＿ｍｉｎに基づいて開始されることがある。ＦｉｘｅｄＣＷ＿ｄａｔａ＿ｍｉｎは、ＣＷ＿ｐａｇｉｎｇより長い時間期間に対応する。加えて、方法１９００はさらに、第１のカウントダウンの期限切れに応答してページングメッセージを１つまたは複数のデバイスに送信することと、第２のカウントダウンの期限切れに応答してデータトラフィックを送信することとを含み得る。加えて、または代替的に、ページングメッセージは第１のトラフィックカテゴリフィールドを含むことがあり、データトラフィックのデータフレームは第２のトラフィックカテゴリフィールドを含むことがある。１つの場合には、第１のトラフィックカテゴリフィールドの値は、第２のトラフィックカテゴリフィールドの値より高い優先度に対応する。たとえば、図９を参照すると、ページングメッセージは、データフレームに含まれる第２のトラフィックカテゴリフィールドより高い優先度を有する第１のトラフィックカテゴリフィールドを含み得る。加えて、第１のトラフィックカテゴリフィールドおよび第２のトラフィックカテゴリフィールドは、サービス品質（ＱｏＳ）カテゴリフィールドを含み得る。別の特定の実装形態では、方法１９００は、図２１を参照してさらに説明されるように、トリガウィンドウの間にデータを送信することを含み得る。
【０２５２】
[0276]図２０を参照すると、動作の方法の特定の態様が示されており、全体的に２０００と指定されている。ある特定の実装形態では、方法２０００は、図１のシステム１００のデバイス１０４、１０６、１０８、および１１０のうちの少なくとも１つの加入者論理１３４によって実行され得る。いくつかの場合、特定のデバイスがデータウィンドウの間の通信に「常時」利用可能ではないことを、ＮＡＮ１０２の通信の関連付け段階の間に特定のデバイスから受信される可用性情報１１６が示す場合に、方法２０００は実行され得る。
【０２５３】
[0277]２００２において、方法２０００は、近隣認識ネットワーク（ＮＡＮ）のデータリンクグループの第２のデバイスにおいて、第１の時間期間の間にデータリンクグループに対応する特定の通信チャネルを監視することを含む。特定の論理チャネルは、特定の時間期間と特定の論理チャネルとを表すことがあり、またはそれらに対応することがある。例示すると、図１を参照すると、第２のデバイス１０６はサービスに加入する加入者デバイスとして動作することができ、第１のデバイス１０４は特定のサービスを提供するサービス提供者として動作することができる。図２に関してさらに説明されるように、特定の論理チャネルは、データリンクグループと関連付けられる論理チャネルのインデックスによって参照される論理チャネルのうちの１つを表し得る。第２のデバイス１０６の加入者論理１３４は、特定の論理チャネルに対応するページングウィンドウの間、特定の通信チャネルを監視し得る。
【０２５４】
[0278]２００４において、方法２０００はまた、第２のデバイスにおいて、特定のサービスに対応する第１のデバイスからページングメッセージを受信することを含む。たとえば、図１を参照すると、第２のデバイス１０６の加入者論理１３４は、第１のデバイス１０４からページングメッセージ１２８を受信し得る。いくつかの実装形態では、ページングメッセージは、次のＮ個の論理チャネルに対する提供者デバイスの可用性の指示を含む。たとえば、ページングメッセージ１２８に含まれる指示１６２は、次のＮ個の論理チャネル１６４に対する第１のデバイス１０４の可用性の指示を表す。すなわち、図１に示されるページングメッセージ１２８は、特定の論理チャネルを介してページング（トラフィック）告知を表すことがあり、可用性の指示１６２は、データリンクグループのための論理チャネルのインデックスにおいて特定の論理チャネルに後続する他の論理チャネルを表し得る。
【０２５５】
[0279]説明のための非限定的な例として、図４を参照すると、第２のデバイス１０６の加入者論理１３４は、基本通信チャネル３０６の送信ウィンドウ３２２と関連付けられるページングウィンドウ３２４の間にページングメッセージ１２８を受信し得る。すなわち、図２に関して説明されたように、ページングメッセージ１２８は、論理チャネルのインデックスによって参照される基本通信チャネルと関連付けられるページングウィンドウの間に受信され得る。代替的に、図５〜図８を参照して説明されたように、ページングメッセージ１２８は、論理チャネルのインデックスによって参照される補助チャネルのうちの１つと関連付けられるページングウィンドウの間に受信され得る。たとえば、図５と図７とを参照すると、第２のデバイス１０６の加入者論理１３４は、第１の送信ウィンドウ３２８と関連付けられる第１のページングウィンドウ３３２の間に、または第１の補助チャネル３０８の第２の送信ウィンドウ３３０と関連付けられる第２のページングウィンドウ３３６の間に、ページングメッセージ１２８を受信し得る。別の例として、図６と図８とを参照すると、第２のデバイス１０６の加入者論理１３４は、第１の送信ウィンドウ３４０と関連付けられる第１のページングウィンドウ３４４の間に、または第２の補助チャネル３１０の第２の送信ウィンドウ３４２と関連付けられる第２のページングウィンドウ３４８の間に、ページングメッセージ１２８を受信し得る。
【０２５６】
[0280]方法２０００はまた、２００６において、節電ポール（ＰＳ−ＰＯＬＬ）メッセージなどの肯定応答を、第２のデバイスから第１のデバイスに送信することを含む。たとえば、図１を参照すると、第２のデバイス１０６の加入者論理１３４は、第１のデバイス１０４に肯定応答を送信し得る。２００８において、方法２０００はさらに、第２のデバイスにおいて、データリンクグループに対応する複数の論理チャネルのうちの第１の論理チャネルを監視することを含む。方法２０００はまた、２０１０において、第１の論理チャネルに対応するデータウィンドウの開始の前に、第１のデバイスから第２のデバイスにおいてデータトラフィックを受信することを含み得る。いくつかの実装形態では、データトラフィックはページングウィンドウの少なくとも一部分の間に受信され得る。他の実装形態では、データトラフィックはトリガウィンドウの少なくとも一部分の間に受信され得る。他の実装形態では、ページングメッセージはページングウィンドウの間に受信されることがあり、方法２０００は、ページングウィンドウの間に、およびデータウィンドウの前に、トリガフレームを送信することを含み得る。例示すると、ページングメッセージが最高の優先度であり、トリガフレームがページングメッセージより低い優先度であり、データフレームがトリガフレームより低い優先度であるように、様々なフレームが優先度の順序で送信され得る。たとえば、コンテンションウィンドウ値が、様々なフレームの優先度を制御するために使用され得る。別の例では、トラフィックカテゴリが、様々なフレームの優先度を制御するために使用され得る。
【０２５７】
[0281]例示すると、図３を参照すると、第２のデバイス１０６の加入者論理１３４は、基本通信チャネル３０６の送信ウィンドウ３２２と関連付けられるページングウィンドウ３２４の間にＡＣＫを第１のデバイス１０４に送信し得る。この例では、論理チャネルのインデックスによって参照される第１の論理チャネルは、第１の補助チャネル３０８であり得る。図２０を参照して本明細書で使用されるように、「第１の」論理チャネルは、論理チャネルのインデックスによって参照される順序的に最初の論理ではないことがある。したがって、第２のデバイス１０６は、第１の送信ウィンドウ３２８と関連付けられる第１のページングウィンドウ３３２の間、第１の補助チャネル３０８を監視し得る。さらに、第２のデバイス１０６は、第１のページングウィンドウ３３２の間、第１のデバイス１０４からデータトラフィックを受信し得る。したがって、ページングウィンドウ３２４の間に第１のデバイス１０４から受信される可用性の指示は、第１の論理チャネルと関連付けられる送信ウィンドウのページング部分の間のデータ移送を可能にし得る。たとえば、データ移送は、第１の補助チャネル３０８と関連付けられる第１の送信ウィンドウ３２８の第１のページングウィンドウ３３２の間に発生し得る。
【０２５８】
[0282]別の例として、図３を参照すると、第２のデバイス１０６の加入者論理１３４は、第１の補助チャネル３０８の第１の送信ウィンドウ３２８と関連付けられる第１のページングウィンドウ３３２の間にＡＣＫを第１のデバイス１０４に送信し得る。この場合、論理チャネルのインデックスによって参照される第１の論理チャネルは、第２の補助チャネル３１０であり得る。次の論理チャネルは、論理チャネルのインデックスにおいて第１の補助チャネル３０８に後続する次の補助チャネルを表し得る。したがって、第２のデバイス１０６は、第１の送信ウィンドウ３４０と関連付けられる第１のページングウィンドウ３４４の間、第２の補助チャネル３１０を監視し得る。さらに、第２のデバイス１０６は、第１のページングウィンドウ３４４の間、第１のデバイス１０４からデータトラフィックを受信し得る。
【０２５９】
[0283]さらなる例として、図３を参照すると、第２のデバイス１０６の加入者論理１３４は、第２の補助チャネル３１０の第１の送信ウィンドウ３４０と関連付けられる第１のページングウィンドウ３４４の間にＡＣＫを第１のデバイス１０４に送信し得る。この場合、論理チャネルのインデックスによって参照される第１の論理チャネルは、第１の補助チャネル３０８であり得る。したがって、第２のデバイス１０６は、第２の送信ウィンドウ３３０と関連付けられる第２のページングウィンドウ３３６の間、第１の補助チャネル３０８を監視し得る。さらに、第２のデバイス１０６は、第２のページングウィンドウ３３６の間、第１のデバイス１０４からデータトラフィックを受信し得る。
【０２６０】
[0284]別の例として、図３を参照すると、第２のデバイス１０６の加入者論理１３４は、第１の補助チャネル３０８の第２の送信ウィンドウ３３０と関連付けられる第２のページングウィンドウ３３６の間にＡＣＫを第１のデバイス１０４に送信し得る。この場合、論理チャネルのインデックスによって参照される第１の論理チャネルは、第２の補助チャネル３１０であり得る。したがって、第２のデバイス１０６は、第２の送信ウィンドウ３４２と関連付けられる第２のページングウィンドウ３４８の間、第２の補助チャネル３１０を監視し得る。さらに、第２のデバイス１０６は、第２のページングウィンドウ３４８の間、第１のデバイス１０４からデータトラフィックを受信し得る。
【０２６１】
[0285]ある特定の実装形態では、方法２０００はさらに、ページングメッセージを受信する前に、第１のコンテンションパラメータに基づいて特定のページングウィンドウの間に第１のカウントダウンを開始することと、第２のコンテンションパラメータに基づいて特定のページングウィンドウの間に第２のカウントダウンを開始することとを含む。少なくとも１つの実装形態では、第２のコンテンションパラメータは、第１のコンテンションパラメータより長い時間期間に対応する。例示すると、図９を参照すると、第１のカウントダウンはパラメータＣＷ＿ｐａｇｉｎｇに基づいて開始されることがあり、第２のカウントダウンはパラメータＦｉｘｅｄＣＷ＿ｄａｔａ＿ｍｉｎに基づいて開始されることがある。ＦｉｘｅｄＣＷ＿ｄａｔａ＿ｍｉｎは、ＣＷ＿ｐａｇｉｎｇより長い時間期間に対応する。方法１９００はさらに、第１のカウントダウンの期限切れに応答してデータリンクグループの他のデバイスに第２のデバイスから第２のページングメッセージを送信することと、第２のカウントダウンの期限切れに応答してデータリンクグループの第３のデバイスに第２のデータトラフィックを送信することとを含み得る。第２のページングメッセージは特定のページングウィンドウの間に送信されることがあり、第２のデータトラフィックは第２のデータウィンドウの開始の前に送信されることがある。
【０２６２】
[0286]加えて、または代替的に、ページングメッセージは第１のトラフィックカテゴリフィールドを含むことがあり、データトラフィックのデータフレームは第２のトラフィックカテゴリフィールドを含むことがある。１つの場合には、第１のトラフィックカテゴリフィールドの値は、第２のトラフィックカテゴリフィールドの値より高い優先度に対応する。たとえば、図９を参照すると、ページングメッセージは、データフレームに含まれる第２のトラフィックカテゴリフィールドより高い優先度を有する第１のトラフィックカテゴリフィールドを含み得る。加えて、第１のトラフィックカテゴリフィールドおよび第２のトラフィックカテゴリフィールドは、サービス品質（ＱｏＳ）カテゴリフィールドを含み得る。
【０２６３】
[0287]別の特定の実装形態では、方法２０００は、第２のデバイスにおいて、第２の時間期間の間に特定の通信チャネルを監視することと、第２のデバイスにおいて、第２のサービスに対応する第３のデバイスから第２のページングメッセージを受信することとを含む。第２のページングメッセージは、第２の時間期間に対応する送信ウィンドウのページングウィンドウ部分の間に受信される。方法２０００はさらに、送信ウィンドウのトリガウィンドウ部分の間にトリガフレームを第２のデバイスから第３のデバイスに送信することと、第２のデバイスにおいて、送信ウィンドウのトリガウィンドウ部分の間に第３のデバイスからデータトラフィックを受信することとを含み得る。方法２０００はまた、第２のデバイスにおいて、送信ウィンドウのデータトラフィック部分の間に第３のデバイスからデータトラフィックを受信することを含み得る。トリガウィンドウの間にデータを受信することはさらに、図２２を参照して説明される。いくつかの実装形態では、図３を参照して説明されるように、第２の時間期間は、論理チャネルのインデックスによって参照される含まれる特定の論理チャネルに対応する。
【０２６４】
[0288]したがって、図２０は、特定のページングウィンドウの間に図１の第１のデバイス１０４などの提供者デバイスから受信される可用性の指示が、論理チャネルのインデックスによって参照される第１の論理チャネルと関連付けられる後続の送信ウィンドウのページング部分の間のデータ移送を可能にし得ることを示す。送信ウィンドウのページング部分の間のデータの送信はデータのスループットを向上させることができ、それは、データ送信が送信ウィンドウのデータ部分だけではなくページング部分においても許容され得るからである。
【０２６５】
[0289]図２１を参照すると、動作の方法の特定の態様が示されており、全体的に２１００と指定されている。ある特定の実装形態では、方法２１００は、図１のシステム１００のデバイス１０４、１０６、１０８、および１１０のうちの少なくとも１つの提供者論理１３０によって実行され得る。いくつかの場合、特定のデバイスがデータウィンドウの間の通信に「常時」利用可能ではないことを、ＮＡＮ１０２の通信の関連付け段階の間に特定のデバイスから受信される可用性情報１１６が示す場合に、方法２１００は実行され得る。
【０２６６】
[0290]２１０２において、方法２１００は、提供者デバイスにおいて、送信ウィンドウのページングウィンドウ部分の間にページングメッセージを生成することを含む。たとえば、図１を参照すると、第１のデバイス１０４の提供者論理１３０は、送信ウィンドウのページングウィンドウ部分の間に、ページングメッセージ１２８を生成し得る。例示すると、図１０に関して説明されるように、第１のデバイス１０４の提供者論理１３０は、ページング部分１００４をトリガ部分１００６から分離するＰＷＢ１０１０の前の時間期間を表す、送信ウィンドウ１００２のページング部分１００４の間に、ページングメッセージ１２８を生成し得る。
【０２６７】
[0291]方法２１００はまた、２１０４において、提供者デバイスから近隣認識ネットワーク（ＮＡＮ）のデータリンクグループの１つまたは複数の加入者デバイスにページングメッセージを送信することを含む。たとえば、図１を参照すると、第１のデバイス１０４は、ページングメッセージ１２８をＮＡＮ１０２の少なくとも第２のデバイス１０６に送信し得る。さらに、いくつかの場合、複数のデバイスが、第１のデバイス１０４によって提供される特定のサービスに加入することがある。例示すると、第３のデバイス１０８は、特定のサービスに加入する別のデバイスを表し得る。この場合、第１のデバイス１０４はまた、ページングメッセージ１２８をＮＡＮ１０２の第３のデバイス１０８に送信し得る。
【０２６８】
[0292]２１０６において、方法２１００は、提供者デバイスにおいて、送信ウィンドウのページングウィンドウ部分に後続する送信ウィンドウのトリガウィンドウ部分の間に１つまたは複数の加入者デバイスの各々からトリガメッセージなどの肯定応答が受信されたかどうかを決定することを含む。たとえば、第１のデバイス１０４の提供者論理１３０（図１参照）は、送信ウィンドウ１００２のトリガ部分１００６（図１０参照）の間に、加入者デバイスの各々からＡＣＫが受信されているかどうかを決定し得る。例示すると、図１の第２のデバイス１０６がＮＡＮ１０２上の単一の加入者デバイスを表す簡略化された例では、第１のデバイス１０４は、送信ウィンドウ１００２のトリガ部分１００６の間に、トリガメッセージが第１のデバイスから受信されているかどうかを決定し得る。別の例として、図１の第２のデバイス１０６および第３のデバイス１０８が複数の加入者デバイスを表す場合、第１のデバイス１０４は、第２のデバイス１０６と第３のデバイス１０８の各々からトリガメッセージが受信されているかどうかを決定し得る。
【０２６９】
[0293]トリガメッセージなどのＡＣＫが送信ウィンドウのトリガウィンドウ部分の間に１つまたは複数の加入者デバイスから受信される場合、方法２１００は、２１０８において、送信ウィンドウのトリガウィンドウ部分の少なくとも一部分の間にデータトラフィックを送信することを含む。たとえば、第１のデバイス１０４の提供者論理は、送信ウィンドウ１００２のトリガ部分１００６の少なくとも一部分の間に、データ１２２を第２のデバイス１０６および／または第３のデバイス１０８に送信し得る。図１０に関してさらに説明されるように、コンテンションウィンドウパラメータが、ＴｒＷＢ１０１２の前にデータ送信が発生することを可能にするために使用され得る。
【０２７０】
[0294]さらに、方法２１００は、２１１０において、送信ウィンドウのトリガウィンドウ部分に後続する送信ウィンドウのデータ部分の間にデータトラフィックを送信することを含む。たとえば、第１のデバイス１０４の提供者論理は、送信ウィンドウ１００２のデータ部分１００８の間に、データ１２２を第２のデバイス１０６および／または第３のデバイス１０８に送信し得る。
【０２７１】
[0295]トリガメッセージなどのＡＣＫが送信ウィンドウのトリガウィンドウ部分の間に１つまたは複数の加入者デバイスから受信される場合、方法２１００は、２１１０において、データトラフィックを送信することに直接進み得る。すなわち、送信ウィンドウのトリガウィンドウ部分に後続する送信ウィンドウのデータ部分の間にデータトラフィックが送信され得る。図１０に関してさらに説明されるように、ＴｒＷＢ１０１２はＡＣＫが受信されるべき閾値の時間の量を表すことがあり、ＡＣＫが１つまたは複数の加入者デバイスの各々から受信されない場合、データ移送は送信ウィンドウ１００２のトリガ部分１００６の間に発生しないことがある。
【０２７２】
[0296]したがって、図２１は、図１０の送信ウィンドウ１００２などの送信ウィンドウがページング部分だけではなくトリガ部分も含み得ることを示す。トリガ部分は、加入者デバイスからＡＣＫを受信するために使用され得る。ＡＣＫが送信ウィンドウのトリガ部分の間に１つまたは複数の加入者デバイスの各々から受信される場合、データ移送は送信ウィンドウのトリガ部分の間に発生し得る。送信ウィンドウのトリガ部分の間のデータの送信はデータのスループットを向上させることができ、それは、データ送信が送信ウィンドウのデータ部分だけではなくトリガ部分においても許容され得るからである。
【０２７３】
[0297]図２２を参照すると、動作の方法の特定の態様が示されており、全体的に２２００と指定されている。ある特定の実装形態では、方法２２００は、図１のシステム１００のデバイス１０４、１０６、１０８、および１１０のうちの少なくとも１つの加入者論理１３４によって実行され得る。いくつかの場合、特定のデバイスがデータウィンドウの間の通信に「常時」利用可能ではないことを、ＮＡＮ１０２の通信の関連付け段階の間に特定のデバイスから受信される可用性情報１１６が示す場合に、方法２２００は実行され得る。
【０２７４】
[0298]方法２２００は、２２０２において、近隣認識ネットワーク（ＮＡＮ）のデータリンクグループの加入者デバイスにおいて、データリンクグループと関連付けられる複数の論理チャネルのうちのある特定の論理チャネルを監視することを含む。たとえば、第２のデバイス１０６の加入者論理１３４は、ＮＡＮ１０２のデータリンクグループと関連付けられる複数の論理チャネル１５０のうちの特定の論理チャネルを監視し得る。
【０２７５】
[0299]２２０４において、方法２２００はまた、加入者デバイスにおいて、特定のサービスと関連付けられる提供者デバイスからページングメッセージを受信することを含む。加入者デバイスは、特定の論理チャネルと関連付けられる送信ウィンドウのページングウィンドウ部分の間に、ページングメッセージを受信し得る。たとえば、第２のデバイス１０６の加入者論理１３４は、特定の論理チャネルと関連付けられる送信ウィンドウのページングウィンドウ部分の間に、ページングメッセージ１２８を受信し得る。図３〜図８に関してさらに説明されるように、ページングメッセージ１２８は、基本通信チャネル３０６と関連付けられるページングウィンドウ３２４の間に、第１の補助チャネル３０８と関連付けられる第１のページングウィンドウ３３２もしくは第２のページングウィンドウ３３６の間に、または第２の補助チャネル３１０と関連付けられる第１のページングウィンドウ３４４もしくは第２のページングウィンドウ３４８の間に受信され得る。
【０２７６】
[0300]方法２２００はさらに、２２０６において、ページングウィンドウ部分に後続する送信ウィンドウのトリガウィンドウ部分の間に、トリガメッセージなどの肯定応答を加入者デバイスから提供者デバイスに送信することを含む。たとえば、第２のデバイス１０６の加入者論理１３４は、ページングウィンドウ部分に後続するトリガウィンドウ部分の間にＡＣＫを第１のデバイス１０４（図１参照）に送信し得る。たとえば、ＡＣＫは、図１０の送信ウィンドウ１００２のページング部分１００４に後続する送信ウィンドウ１００２のトリガ部分１００６の間に、第１のデバイス１０４に送信され得る。
【０２７７】
[0301]２２０８において、方法２２００はまた、加入者デバイスにおいて、送信ウィンドウのトリガウィンドウ部分の間に提供者デバイスからデータトラフィックを受信することを含み得る。たとえば、第２のデバイス１０６の加入者論理１３４は、送信ウィンドウのトリガウィンドウ部分の間にデータトラフィックを受信し得る。例示すると、第２のデバイス１０６は、図１０の送信ウィンドウ１００２のトリガ部分１００６の間にデータ１２２を受信し得る。図１０に関してさらに説明されるように、ＴｒＷＢ１０１２はＡＣＫが第１のデバイス１０４などの提供者デバイスによって受信されるべき閾値の時間の量を表すことがあり、ＡＣＫが１つまたは複数の加入者デバイスの各々から受信される場合、データ移送は送信ウィンドウ１００２のトリガ部分１００６の間に発生することがある。
【０２７８】
[0302]２２１０において、方法２２００はまた、加入者デバイスにおいて、トリガウィンドウ部分に後続する送信ウィンドウのデータトラフィック部分の間に提供者デバイスからデータトラフィックを受信することを含み得る。たとえば、第２のデバイス１０６の加入者論理１３４は、図１０の送信ウィンドウ１００２のデータ部分１００８の間に、データ１２２などのデータトラフィックを受信し得る。
【０２７９】
[0303]図２３を参照すると、動作の方法の特定の態様が示されており、全体的に２３００と指定されている。ある特定の実装形態では、方法２３００は、図１のシステム１００のデバイス１０４、１０６、１０８、および１１０のうちの少なくとも１つの提供者論理１３０によって実行され得る。いくつかの場合、方法２３００は、ＮＡＮ１０２のデータリンクグループの少なくとも１つの他のデバイスへの送信を予定されているデータを第１のデバイス１０４が有するときに実行され得る。
【０２８０】
[0304]方法２３００は、２３０２において、近隣認識ネットワーク（ＮＡＮ）のグループ（たとえば、データリンクグループ）の第１のデバイスにおいてページングメッセージを生成することを含む。たとえば、第１のデバイス１０４は（提供者論理１３０を介して）ページングメッセージ１２８を生成し得る。ページングメッセージは被ページングデバイスリストを含む。被ページングデバイスリストは、グループのデバイスのサブセットを特定する。デバイスのサブセットは、送信ウィンドウの間に第１のデバイスからデータを受信することが予定される。ページングメッセージは、特定の受信機アドレス値を有する受信機アドレスフィールドを含む。例示すると、ページングメッセージ１２８は、データリンクグループのデバイスのサブセットを特定するＰＤＬ１７４を含み得る。デバイスのサブセットは、第１のデバイス１０４からデータ１２２を受信することが予定され得る。加えて、ページングメッセージ１２８は、特定の受信機アドレス値１７０を有する受信機アドレスフィールドを含み得る。ある特定の実装形態では、特定の受信機アドレス値は、第１のデバイスのメモリに記憶される。たとえば、特定の受信機アドレス値１７０は、デバイス１０４、１０６、１０８、および１１０のメモリに記憶され得る。別の特定の実装形態では、特定の受信機アドレス値は、ＮＡＮに関するＮＡＮクラスタＩＤを含む。たとえば、特定の受信機アドレス値１７０は、図１１のＳＤＦ１１００のＡ３フィールドによって表されるＮＡＮクラスタＩＤであり得る。別の特定の実装形態では、特定の受信機アドレス値は、データリンクグループに関するデータリンクグループ識別子などの、グループに関するグループ識別子を含む。たとえば、特定の受信機アドレス値１７０は、データリンクグループＩＤフィールド１１２６であり得る。別の特定の実装形態では、特定の受信機アドレス値は、米国電気電子学会（ＩＥＥＥ）規格、Ｗｉ−Ｆｉ  Ａｌｌｉａｎｃｅ規格、または両方によって定義される。
【０２８１】
[0305]方法２３００はまた、ページングウィンドウの間に、第１のデバイス以外のグループの少なくとも１つのデバイスにページングメッセージを送信することを含む。たとえば、第１のデバイス１０４は、データリンクグループのページングウィンドウの間に、ページングメッセージ１２８を第２のデバイス１０６および第３のデバイス１０８に送信し得る。ページングメッセージ１２８は、第１のデバイス１０４がデータリンクグループのデバイスの１つまたは複数のへの送信を予定されているデータを有する場合に、送信され得る。
【０２８２】
[0306]ある特定の実装形態では、方法２３００は、ページングメッセージを送信したことに応答して、グループの第２のデバイスから肯定応答を受信することを含む。たとえば、第１のデバイス１０４は、ページングメッセージ１２８を送信したことに応答して、ＡＣＫ１８０を第２のデバイス１０６から（または第３のデバイス１０８から）受信し得る。肯定応答は、短フレーム間空間（ＳＩＦＳ）期間後に受信され得る。加えて、第２のデバイスは、デバイスのサブセットとは別個であり得る。たとえば、第１のデバイス１０４は、第３のデバイス１０８がページングメッセージ１２８によって示されるデバイスのサブセットに含まれていなくても、ＡＣＫ１８０を第３のデバイス１０８から受信し得る。
【０２８３】
[0307]ある特定の実装形態では、方法２３００は、ページングメッセージを送信したことに応答して、グループの複数のデバイスから複数の肯定応答を受信することを含む。加えて、図１を参照して説明されたように、複数の肯定応答は、同じ波形を有することがあり、複数のデバイスが同じスクランブリングシードに基づいて複数の肯定応答を生成する場合、マルチパス送信として受信されることがある。代替的に、方法２３００はさらに、閾値を超える受信された波形エネルギーを検出したことに応答して、複数の肯定応答の受信を検出することを含み得る。受信された波形エネルギーは短フレーム間空間（ＳＩＦＳ）期間内に検出され、複数の肯定応答は異なるスクランブリングシードに基づいて生成される。例示すると、図１を参照して説明されたように、第１のデバイス１０４は、複数のＡＣＫ波形に対応する送信されるエネルギーのレベルを検出するために、ＳＩＦＳ期間の間にワイヤレスネットワークを監視し得る。閾値を超える送信されるエネルギーのレベルを検出すると、第１のデバイス１０４は、送信されたエネルギーのレベルを、複数のＡＣＫ波形の受信を示すものとして解釈し得る。送信されたエネルギーのレベルに基づいて複数のＡＣＫの受信を検出することで、複数のＡＣＫからの干渉が原因で複数のＡＣＫが復号されることが不可能であるとしても、第１のデバイス１０４は複数のＡＣＫを検出することが可能になり得る。
【０２８４】
[0308]ある特定の実装形態では、ページングメッセージは管理フレームを含む。別の特定の実装形態では、ページングメッセージはアクションフレームを含む。たとえば、ページングメッセージ１２８は、管理フレームもしくはアクションフレームを含むことがあり、またはそれに対応することがある。別の特定の実装形態では、ページングメッセージはサービス発見フレーム（ＳＤＦ）を含む。たとえば、ページングメッセージ１２８は、図１１のＳＤＦ１１００を含むことがあり、またはそれに対応することがある。
【０２８５】
[0309]ページングメッセージは、被ページングデバイスリストを含む第１の属性を含み得る。たとえば、図１を参照して説明されたように、ページングメッセージ１２８は、第１のデバイス１０４からデータ１２２を受信することが予定されているデバイスのサブセットを特定するＰＤＬ１７４を含む属性１７２を含み得る。別の例として、ＳＤＦ１１００は、データを受信することが予定されているデバイスのサブセットを特定するＰＤＬ１１５０を含む第１のＮＡＮ属性１１１２を含み得る。ある特定の実装形態では、ＰＤＬ１７４（またはＰＤＬ１１５０）は、トラフィック指示マップ（ＴＩＭ）を含み得る。別の特定の実装形態では、ＰＤＬ１７４（またはＰＤＬ１１５０）は、ブルームフィルタを含み得る。別の特定の実装形態では、ＰＤＬ１７４（またはＰＤＬ１１５０）は、媒体アクセス制御（ＭＡＣ）アドレスのリストを含み得る。
【０２８６】
[0310]加えて、方法２３００は、属性の被ページングデバイスリスト制御フィールドに含まれるトラフィックタイプインジケータに基づいて、第１のデータに対応するトラフィックのタイプを決定することを含み得る。たとえば、ＰＤＬ制御フィールド１１５２のビットの第２のセット１１６２は、デバイスのリスト１１５４に対応するデータのタイプを特定するトラフィックタイプインジケータを含み得る。１つまたは複数のデバイスは、ＰＤＬ制御フィールド１１５２のビットの第２のセット１１６２に基づいて、データのトラフィックタイプを決定し得る。トラフィックタイプインジケータは、データの第１の部分に対応するサービス品質（ＱｏＳ）カテゴリを特定し得る。加えて、第１のＮＡＮ属性１１１２はさらに、被ページングデバイスリストを含む複数の被ページングデバイスリストを含み得る。たとえば、ＰＤＬのシーケンス１１３０は複数のＰＤＬを含み得る。
【０２８７】
[0311]別の特定の実装形態では、第１の属性はページ属性を含み、ページ属性は被ページングデバイスリストを示すデータ構造のタイプを示す特定のフィールドを含む。ページ属性は、データの第１の部分に対応するトラフィックのタイプを特定するトラフィックインジケータを含み得る。例示すると、第１のＮＡＮ属性１１１２は、トラフィックタイプインジケータ１２１２を含むページ属性１２００を含み得る。加えて、ページングメッセージは、第２の被ページングデバイスリストを含む第２の属性を含み得る。第２の属性は、データの第２の部分に対応するトラフィックのタイプを特定する第２のトラフィックタイプインジケータを含み得る。データの第１の部分に対応するトラフィックのタイプは、データの第２の部分に対応するトラフィックのタイプとは異なり得る。たとえば、ページングメッセージ１２８は第２のＮＡＮ属性１１１４を含むことがあり、第２のＮＡＮ属性１１１４のトラフィックタイプインジケータ１２１２は、第１のＮＡＮ属性１１１２のトラフィックタイプインジケータ１２１２によって示されるデータのタイプとは異なるデータのタイプを示すことがある。一例として、第１のＮＡＮ属性１１１２のトラフィックタイプインジケータ１２１２は音声トラフィックを示すことがあり、第２のＮＡＮ属性１１１４のトラフィックタイプインジケータ１２１２はパケットデータトラフィックを示すことがある。
【０２８８】
[0312]加えて、または代替的に、属性はページ属性を含み得る。たとえば、属性１７２、第１のＮＡＮ属性１１１２、第２のＮＡＮ属性１１１４、またはこれらの組合せが、ページ属性１１２０を含み得る。ページ属性は、ページ属性に含まれる被ページングデバイスリストの数を示すページ制御フィールドを含み得る。たとえば、ページ属性１１２０は、ページ属性１１２０に含まれるＰＤＬの数を示すページ制御フィールド１１２８を含み得る。加えて、または代替的に、被ページングデバイスリスト制御フィールドは、ページ制御フィールドのビットのセットが特定の値を有する場合、データリンクグループの特定のデバイスの媒体アクセス制御（ＭＡＣ）アドレスを特定し得る。たとえば、ＰＤＬ制御フィールド１１５２のビットの第３のセット１１６４が特定の値を有する場合、デバイスのリスト１１５４は、データリンクグループに対応する新たな共通グループ鍵（ＣＧＫ）を生成したデバイスのＭＡＣアドレスを含む。別の特定の実装形態では、第１の属性はトラフィック告知属性を含むことがあり、トラフィック告知属性は被ページングデバイスリストを含むタイプ長さ値（ＴＬＶ）フィールドを含むことがある。たとえば、ページングメッセージ１２８は、ＰＤＬ１２３８に含まれるＴＬＶフィールドを含むトラフィック告知属性１２３０を含み得る。
【０２８９】
[0313]ある特定の実装形態では、方法２３００は、ページングメッセージを送信する前に、ｒｅｑｕｅｓｔ  ｔｏ  ｓｅｎｄ（ＲＴＳ）フレームを第２のデバイスに送信することを含む。第２のデバイスはデバイスのサブセットに含まれる。例示すると、第１のデバイス１０４は、ページングメッセージ１２８を送信する前に、第１のＲＴＳメッセージ１８４を第２のデバイス１０６に送信し得る。加えて、方法２３００は、第２のデバイスからｃｌｅａｒ  ｔｏ  ｓｅｎｄ（ＣＴＳ）フレームを受信したことに応答して、ページングメッセージを第２のデバイスに送信することを含むことがあり、ＣＴＳフレームは短フレーム間空間（ＳＩＦＳ）期間内に受信される。たとえば、第１のデバイス１０４は、ＳＩＦＳ期間内に第２のデバイス１０６から第１のＣＴＳメッセージ１８６を受信したことに応答して、ページングメッセージ１２８を第２のデバイス１０６に送信し得る。ある特定の実装形態では、第２のデバイスがＣＴＳフレームを送信したことに基づいて、ページングメッセージはマルチキャストメッセージであり、ページングメッセージはマルチキャストアドレスを有する第２の受信機アドレスを含む。たとえば、第２のデバイス１０６が第１のＣＴＳメッセージ１８６を送信したことに基づいて、ページングメッセージ１２８は、マルチキャストメッセージであることがあり、マルチキャストアドレスを有する第２の受信機アドレスを含むことがある。
【０２９０】
[0314]代替的に、方法２３００はさらに、ｃｌｅａｒ  ｔｏ  ｓｅｎｄ（ＣＴＳ）フレームが第２のデバイスから受信されていないと決定したことに応答して、第２のＲＴＳフレームを第３のデバイス（デバイスのサブセットに含まれる）に送信することを含み得る。ページングメッセージは、第２のＳＩＦＳ期間内に第３のデバイスから第２のＣＴＳフレームを受信したことに応答して、第２のデバイスおよび第３のデバイスに送信され得る。たとえば、第１のデバイス１０４は、ＣＴＳメッセージが第２のデバイス１０６から受信されていないと決定したことに応答して、第２のＲＴＳメッセージ１８８を第３のデバイス１０８に送信し得る。第１のデバイス１０４は、第３のデバイス１０８から第２のＣＴＳメッセージ１９０を受信したことに応答して、ページングメッセージ１２８を第２のデバイス１０６および第３のデバイス１０８に送信し得る。
【０２９１】
[0315]ある特定の実装形態では、方法２３００は、ページングメッセージを送信したことに応答して、グループの第２のデバイスからトリガフレームを受信することを含む。たとえば、第１のデバイス１０４は、ページングメッセージ１２８を送信したことに応答して、トリガフレーム１８２を第２のデバイス１０６から受信し得る。第２のデバイス１０６は、第２のデバイス１０６がページングメッセージ１２８によって示されるデバイスのサブセットに含まれていると決定したことに基づいて、トリガフレームを送信し得る。トリガフレームは、第２のデバイス１０６が送信ウィンドウの間にアクティブ動作モードにあることが予定されていることを示し得る。加えて、トリガフレームは、データウィンドウの最初に受信され得る。たとえば、トリガフレームは、データウィンドウの最初にあるトリガウィンドウの間に受信され得る。ある特定の実装形態では、トリガフレームは、サービス品質ヌル（ＱｏＳ＿ＮＵＬＬ）フレームを含み得る。別の実装形態では、トリガフレームは、節電ポール（ＰＳ＿ＰＯＬＬ）フレームを含み得る。たとえば、図１を参照して説明されたように、トリガフレーム１８２は、ＱｏＳ＿ＮＵＬＬフレームもしくはＰＳ＿ＰＯＬＬフレームを含むことがあり、またはそれらに対応することがある。加えて、方法２３００はさらに、トリガフレームを受信したことに応答して、データの一部分を第２のデバイスに送信することを含み得る。たとえば、第１のデバイス１０４は、第２のデバイス１０６からトリガフレーム１８２を受信したことに応答して、データ１２２（または第２のデバイス１０６のために予定されているデータ１２２の一部分）を第２のデバイス１０６に送信し得る。
【０２９２】
[0316]ある特定の実装形態では、方法２３００は、送信ウィンドウのページングウィンドウ部分に後続する送信ウィンドウのトリガウィンドウ部分の間に、１つまたは複数のデバイスの各々からの１つまたは複数の可用性の指示の受信を検出することを含む。ページングメッセージは送信ウィンドウのページングウィンドウ部分の間に送信され、データトラフィックの少なくとも一部分は１つまたは複数の可用性の指示の検出に応答して送信ウィンドウのトリガウィンドウ部分の間に送信される。たとえば、第１のデバイス１０４は、第２のデバイス１０６を含む１つまたは複数のデバイスからの、トリガメッセージなどの１つまたは複数の可用性の指示の受信を検出し得る。
【０２９３】
[0317]したがって、図２３は、特定の受信機アドレス値を有する受信機アドレスフィールドを含むページングメッセージを生成することを示す。特定の受信機アドレス値は、１つまたは複数のデバイスが、受信されたメッセージをページングメッセージとして特定することを可能にし得る。
【０２９４】
[0318]図２４を参照すると、動作の方法の特定の態様が示されており、全体的に２４００と指定されている。ある特定の実装形態では、方法２４００は、図１のシステム１００のデバイス１０４、１０６、１０８、および１１０のうちの少なくとも１つの加入者論理１３４によって実行され得る。いくつかの場合、方法２４００は、ＮＡＮ１０２のデータリンクグループに対応するページングウィンドウの間に実行され得る。
【０２９５】
[0319]２４０２において、方法２４００は、近隣認識ネットワーク（ＮＡＮ）のデータリンクグループの第１のデバイスにおいて、ページングウィンドウの間にワイヤレスネットワークを監視することを含む。たとえば、ＮＡＮ１０２のデータリンクグループの第２のデバイス１０６は、ページングウィンドウの間、データリンクグループチャネルを監視し得る。
【０２９６】
[0320]２４０４において、方法２４００はまた、第１のデバイスにおいて、ページングウィンドウの間にデータリンクグループの第２のデバイスからページングメッセージを受信することを含む。たとえば、第２のデバイス１０６は、ページングウィンドウの間に、ページングメッセージ１２８を第１のデバイス１０４から受信する。ページングメッセージは被ページングデバイスリストを含む。被ページングデバイスリストは、データリンクグループのデバイスのサブセットを特定する。デバイスのサブセットは、送信ウィンドウの間に第２のデバイスからデータを受信することが予定される。ページングメッセージは、特定の受信機アドレス値を有する受信機アドレスフィールドを含む。例示すると、ページングメッセージ１２８は、送信ウィンドウの間の第１のデバイス１０４からのデータ１２２の受信者として、データリンクグループのデバイスのサブセットを特定し得る。ページングメッセージ１２８は、特定の受信機アドレス値１７０を有する受信機アドレスフィールドを含み得る。特定の実装形態では、特定の受信機アドレス値は、記憶されている値、ＮＡＮに関するＮＡＮクラスタＩＤ、またはデータリンクグループに関するデータリンクグループ識別子を含む。たとえば、特定の受信機アドレス値１７０は、（デバイス１０４、１０６、１０８、および１１０のメモリに）記憶されている値、ＳＤＦ１１００のＡ３フィールドによって示されるＮＡＮクラスタＩＤ、またはページ属性１１２０のデータリンクグループＩＤフィールド１１２６であり得る。
【０２９７】
[0321]ある特定の実装形態では、方法２４００は、特定の受信機アドレス値を特定するためにページングメッセージの一部分を処理することと、特定の受信機アドレス値を特定したことに応答して、肯定応答を第１のデバイスから第２のデバイスに送信することとを含む。たとえば、第２のデバイス１０６は、受信機アドレスフィールドを含むページングメッセージ１２８の一部分を処理し、受信機アドレスフィールドの値が特定の受信機アドレス値１７０と一致する場合、第２のデバイス１０６は、ＡＣＫ１８０を第１のデバイス１０４に送信する。第３のデバイス１０８はまた、ページングメッセージ１２８のその部分を処理し、ＡＣＫ１８０を第１のデバイス１０４に送信し得る。ページングメッセージは、サービス発見フレーム（ＳＤＦ）、管理フレーム、またはアクションフレームを含み得る。たとえば、ページングメッセージ１２８は、ＳＤＦ１１００、管理フレーム、もしくはアクションフレームを含むことがあり、またはそれに対応することがある。
【０２９８】
[0322]加えて、または代替的に、ページングメッセージは属性を含むことがあり、属性は被ページングデバイスリストを含むことがある。たとえば、ページングメッセージ１２８は、ＰＤＬ１７４を含む属性１７２を含み得る。ＰＤＬ１７４は、第１のデバイス１０４からデータ１２２を受信することが予定されているデバイスのサブセットを特定し得る。別の例として、ＳＤＦ１１００は、ＰＤＬ１１５０を含む第１のＮＡＮ属性１１１２（および第２のＮＡＮ属性１１１４）を含み得る。方法２４００はさらに、第１のデバイスがデバイスのサブセットに含まれるかどうかを決定するために、被ページングデバイスリストを処理することを含み得る。方法２４００はまた、第１のデバイスがデバイスのサブセットに含まれると決定すると、トリガフレームを第１のデバイスから第２のデバイスに送信することを含み得る。加えて、方法２４００は、データウィンドウの最初にトリガフレームを送信することを含み得る。たとえば、トリガフレームは、データウィンドウの最初にあるトリガウィンドウの間に送信され得る。
【０２９９】
[0323]たとえば、第２のデバイス１０６は、ＰＤＬ１７４を特定して第２のデバイス１０６がＰＤＬ１７４によって示されるデバイスのサブセットに含まれているかどうかを決定するために、ページングメッセージ１２８を処理し続け得る。第２のデバイス１０６がデバイスのサブセットに含まれる場合、第２のデバイス１０６は、トリガフレーム１８２を第１のデバイス１０４に送信する。ある特定の実装形態では、トリガフレームは、サービス品質ヌル（ＱｏＳ＿ＮＵＬＬ）フレーム、節電ポール（ＰＳ＿ＰＯＬＬ）フレーム、アドホックトラフィック指示メッセージ（ＡＴＩＭ）フレーム、または別のフレームを含む。たとえば、図１を参照して説明されたように、トリガフレーム１８２は、ＱｏＳ＿ＮＵＬＬフレームもしくはＰＳ＿ＰＯＬＬフレームを含むことがあり、またはそれらに対応することがある。
【０３００】
[0324]加えて、または代替的に、方法２４００は、属性の被ページングデバイスリスト制御フィールドに含まれるトラフィックタイプインジケータに基づいて、データに対応するトラフィックのタイプを決定することを含み得る。たとえば、第２のデバイス１０６は、図１１のページ属性１１２０のＰＤＬ制御フィールド１１５２のビットの第２のセット１１６２に含まれるトラフィックタイプインジケータに基づいて、データ１２２に対応するトラフィックのタイプを決定し得る。少なくとも１つの実装形態では、トリガフレームは高優先度のトラフィックに対応する。たとえば、トリガフレーム１８２のトラフィックタイプは、音声トラフィックなどの高優先度のトラフィックに対応し得る。加えて、または代替的に、方法２４００はさらに、ページ制御フィールド１２０８のビットの第１のセット１２２０に基づいて、データリンクグループに対応する新たな共通グループ鍵（ＣＧＫ）が生成されているかどうかを決定することを含み得る。
【０３０１】
[0325]ある特定の実装形態では、方法２４００はさらに、第１のデバイスがデバイスのサブセットに含まれていることと、第１のデバイスが第３のデバイスから受信された第２のページングメッセージによって示されるデバイスの第２のサブセットに含まれていることとを決定すると、マルチキャストトリガフレームを第１のデバイスから第２のデバイスおよび第３のデバイスに送信することを含む。たとえば、第２のデバイス１０６は第１のデバイス１０４からページングメッセージ１２８を受信することがあり、第２のデバイス１０６は異なるデバイスから第２のページングメッセージを受信することがある。第２のデバイス１０６が両方のデバイスからトラフィックを受信することが予定されていると決定すると、第２のデバイス１０６はトリガフレーム１８２を両方のデバイスにマルチキャストし得る。
【０３０２】
[0326]ある特定の実装形態では、第２の論理チャネルは補助通信チャネルに対応する。第１の論理チャネルは次の補助通信チャネルを表し、次の補助通信チャネルの指示は論理チャネルのインデックスにおいて補助通信チャネルの指示に後続する。
【０３０３】
[0327]したがって、図２４は、１つまたは複数のデバイスがデータリンクグループの第１のデバイスからメッセージを受信することができ、受信機アドレスが特定の受信機アドレス値を有するかどうかに基づいてメッセージがページングメッセージであるかどうかを決定できることを示す。
【０３０４】
[0328]図２５を参照すると、ワイヤレス通信デバイスの特定の説明のための態様が示されており、全体的に２５００と指定されている。デバイス２５００は、メモリ２５３２に結合されたデジタル信号プロセッサなどのプロセッサ２５１０を含む。ある説明のための実装形態では、デバイス２５００、またはそのコンポーネントは、図１のデバイス１０４、１０６、１０８、および１１０、またはこれらのコンポーネントのうちの少なくとも１つに対応し得る。プロセッサ２５１０は、提供者論理１３０、加入者論理１３４、または両方を含み得る。
【０３０５】
[0329]プロセッサ２５１０は、メモリ２５３２に記憶されたソフトウェア（たとえば、１つまたは複数の命令２５６８のプログラム）を実行するように構成され得る。加えて、または代替的に、プロセッサ２５１０は、ワイヤレスインターフェース２５４０のメモリに記憶された１つまたは複数の命令を実施するように構成され得る。ワイヤレスインターフェース２５４０は、米国電気電子学会（ＩＥＥＥ）８０２．１１適合インターフェースであり得る。たとえば、ワイヤレスインターフェース２５４０は、１つまたは複数のＩＥＥＥ  ８０２．１１規格と１つまたは複数のＮＡＮ規格とを含む、１つまたは複数のワイヤレス通信規格に従って動作するように構成され得る。ある特定の実装形態では、プロセッサ２５１０は、図１〜２４を参照して説明された１つまたは複数の動作または方法を実行するように構成され得る。たとえば、プロセッサ２５１０は、（たとえば、ＮＡＮ１０２の通信の関連付け段階の間の）図１の関連付け交換１１２と関連付けられる動作を実行するように構成され得る。例示すると、プロセッサ２５１０は、図１の能力情報１１４と可用性情報１１６とを生成し、能力情報１１４と可用性情報１１６とを送信（または受信）するように構成され得る。プロセッサ２５１０はさらに、図１のサービス広告１２０を生成し、図３のＮＡＮ通信チャネル３０４を介してサービス広告１２０を送信（または受信）するように構成され得る。プロセッサ２５１０は、図１の加入メッセージ１２４を受信（または送信）するように構成され得る。プロセッサ２５１０は、１つまたは複数の関連するページングウィンドウの間、１つまたは複数の通信チャネルを監視するように構成され得る。プロセッサ２５１０は、１つまたは複数の関連するデータ送信ウィンドウの間、１つまたは複数の通信チャネルを介してデータを送信（または受信）するように構成され得る。プロセッサ２５１０は、１つまたは複数の関連するページングウィンドウおよび／またはデータ送信ウィンドウの間、１つまたは複数の通信チャネルを監視するのを控えるように構成され得る。
【０３０６】
[0330]ワイヤレスインターフェース２５４０は、プロセッサ２５１０とアンテナ２５４２とに結合され得る。たとえば、ワイヤレスインターフェース２５４０は、アンテナ２５４２アンドを介して受信されたワイヤレスデータがプロセッサ２５１０に提供され得るように、送受信機１３６を介してアンテナ２５４２に結合され得る。
【０３０７】
[0331]コーダ／デコーダ（コーデック）２５３４も、プロセッサ２５１０に結合され得る。スピーカー２５３６およびマイクロフォン２５３８がコーデック２５３４に結合され得る。ディスプレイコントローラ２５２６がプロセッサ２５１０とディスプレイデバイス２５２８とに結合され得る。ある特定の実装形態では、プロセッサ２５１０、ディスプレイコントローラ２５２６、メモリ２５３２、コーデック２５３４、およびワイヤレスインターフェース２５４０は、システムインパッケージまたはシステムオンチップデバイス２５２２に含まれる。ある特定の実装形態では、入力デバイス２５３０および電源２５４４が、システムオンチップデバイス２５２２に結合される。その上、ある特定の実装形態では、図２５に示されるように、ディスプレイデバイス２５２８、入力デバイス２５３０、スピーカー２５３６、マイクロフォン２５３８、アンテナ２５４２、および電源２５４４は、システムオンチップデバイス２５２２の外部にある。しかしながら、ディスプレイデバイス２５２８、入力デバイス２５３０、スピーカー２５３６、マイクロフォン２５３８、アンテナ２５４２、および電源２５４４の各々は、１つまたは複数のインターフェースまたはコントローラなどのシステムオンチップデバイス２５２２の１つまたは複数のコンポーネントに結合され得る。ある特定の実装形態では、デバイス２５００は、通信デバイス、音楽プレーヤ、ビデオプレーヤ、エンターテインメントユニット、ナビゲーションデバイス、携帯情報端末（ＰＤＡ）、モバイルデバイス、コンピュータ、デコーダ、またはセットトップボックスの少なくとも１つを含み得る。
【０３０８】
[0332]説明された態様に関連して、装置は、ＮＡＮの通信の接続設定段階の間に（またはＮＡＮ発見ウィンドウの間に）デバイスから可用性情報を受信するための手段を含み、接続設定段階はデバイス能力情報の交換を含む。たとえば、受信するための手段は、送受信機１３６、加入メッセージを送信するように構成される１つまたは複数の他のデバイス、回路、モジュール、もしくは命令、またはそれらの任意の組合せを含み得る。非限定的な例として、接続設定段階は関連付け段階またはネゴシエーション段階であり得る。
【０３０９】
[0333]装置はさらに、（送信ウィンドウの間のデバイスの可用性を示す可用性情報に基づいて）送信ウィンドウの間のデバイスの可用性を決定するためのメッセージ交換を実行することなく、送信ウィンドウの間にデータをデバイスに送信するための手段を含む。装置はまた、（可用性情報がデータウィンドウの間のデバイスの可用性を示さない場合）データをデバイスに送信する前にデバイスの可用性を決定するために、メッセージ交換を実行する（たとえば、ポーリングメッセージを送信する、またはトリガメッセージを受信する）ための手段を含み得る。たとえば、送信するための手段（および受信するための手段）は、送受信機１３６、加入メッセージを送信するように構成される１つまたは複数の他のデバイス、回路、モジュール、もしくは命令、またはそれらの任意の組合せを含み得る。
【０３１０】
[0334]さらに、説明された態様に関連して、第２の装置（デバイス）は、ＮＡＮの通信の接続設定段階の間に可用性情報を第２のデバイスに送信するための手段を含む。接続設定段階はデバイス能力情報の交換を含み、可用性情報は送信ウィンドウの間の可用性を示す。たとえば、送信するための手段および受信するための手段は、送受信機１３６、加入メッセージを送信するように構成される１つまたは複数の他のデバイス、回路、モジュール、もしくは命令、またはそれらの任意の組合せを含み得る。
【０３１１】
[0335]第２の装置はさらに、（送信ウィンドウの間のデバイスの可用性を示す可用性情報に基づいて）第２のデバイスに可用性の指示を提供するためのメッセージ交換を実行することなく、送信ウィンドウの間にデータを第２のデバイスから受信するための手段を含む。第２の装置はまた、可用性情報が送信ウィンドウの間のデバイスの可用性を示さない場合、メッセージ交換を実行するための手段（たとえば、ポーリングメッセージに応答してメッセージを送信するための手段またはトリガメッセージを送信するための手段）を含み得る。たとえば、受信するための手段（および送信するための手段）は、送受信機１３６、加入メッセージを送信するように構成される１つまたは複数の他のデバイス、回路、モジュール、もしくは命令、またはそれらの任意の組合せを含み得る。非限定的な例として、接続設定段階は関連付け段階またはネゴシエーション段階であり得る。
【０３１２】
[0336]説明された態様に関連して、第３の装置は、近隣認識ネットワーク（ＮＡＮ）のデータリンクグループの第１のデバイスにおいてページングメッセージを生成するための手段を含む。たとえば、生成するための手段は、図１の第１のデバイス１０４、提供者論理１３０、図２５の命令２５６８、ワイヤレスインターフェース２５４０、提供者論理１３０を実行するようにプログラムされたプロセッサ２５１０、ページングメッセージを生成するための１つまたは複数の他のデバイス、回路、モジュール、もしくは命令、またはこれらの任意の組合せを含み得る。ページングメッセージは被ページングデバイスリストを含む。被ページングデバイスリストは、データリンクグループのデバイスのサブセットを特定する。デバイスのサブセットは、送信ウィンドウの間に第１のデバイスからデータを受信することが予定される。ページングメッセージは、特定の受信機アドレス値を有する受信機アドレスフィールドを含む。
【０３１３】
[0337]第３の装置はまた、ページングウィンドウの間に、第１のデバイス以外のデバイスにページングメッセージを送信するための手段を含む。たとえば、送信するための手段は、図１の第１のデバイス１０４、送受信機１３６、図２５の送受信機１３６、ページングメッセージを送信するための１つまたは複数の他のデバイス、回路、モジュール、もしくは命令、またはこれらの任意の組合せを含み得る。
【０３１４】
[0338]説明された態様に関連して、第４の装置は、近隣認識ネットワーク（ＮＡＮ）のデータリンクグループの第１のデバイスにおいて、ページングウィンドウの間にワイヤレスネットワークを監視するための手段を含む。たとえば、監視するための手段は、図１の第２のデバイス１０６、第３のデバイス１０８、加入者論理１３４、図２５の命令２５６８、ワイヤレスインターフェース２５４０、加入者論理１３４を実行するようにプログラムされたプロセッサ２５１０、ページングウィンドウの間にワイヤレスネットワークを監視するための１つまたは複数の他のデバイス、回路、モジュール、もしくは命令、またはこれらの任意の組合せを含み得る。
【０３１５】
[0339]第４の装置はまた、第１のデバイスにおいて、ページングウィンドウの間にデータリンクグループの第２のデバイスからページングメッセージを受信するための手段を含む。たとえば、受信するための手段は、図１の第２のデバイス１０６、第３のデバイス１０８、送受信機１３６、図２５の送受信機１３６、ページングメッセージを受信するための１つまたは複数の他のデバイス、回路、モジュール、もしくは命令、またはこれらの任意の組合せを含み得る。ページングメッセージは被ページングデバイスリストを含む。被ページングデバイスリストは、データリンクグループのデバイスのサブセットを特定する。デバイスのサブセットは、送信ウィンドウの間に第２のデバイスからデータを受信することが予定される。ページングメッセージは、特定の受信機アドレス値を有する受信機アドレスフィールドを含む。
【０３１６】
[0340]説明された態様に関連して、第５の装置は、第１のデバイスにおいて、近隣認識ネットワーク（ＮＡＮ）のデータリンクグループに対応する、またはＮＡＮに対応する特定の時間期間の間に第１のデバイスが利用可能であるかどうかの指示を含むメッセージを生成するための手段を含む。たとえば、生成するための手段は、図１の第１のデバイス１０４、提供者論理１３０、図２５の命令２５６８、ワイヤレスインターフェース２５４０、提供者論理１３０を実行するようにプログラムされたプロセッサ２５１０、メッセージを生成するための１つまたは複数の他のデバイス、回路、モジュール、もしくは命令、またはこれらの任意の組合せを含み得る。
【０３１７】
[0341]第５の装置はまた、第１のデバイスからデータリンクグループの１つまたは複数のデバイスにメッセージを送信するための手段を含む。たとえば、送信するための手段は、図１の第１のデバイス１０４、送受信機１３６、図２５の送受信機１３６、メッセージを送信するための１つまたは複数の他のデバイス、回路、モジュール、もしくは命令、またはこれらの任意の組合せを含み得る。
【０３１８】
[0342]説明された態様に関連して、第６の装置は、近隣認識ネットワーク（ＮＡＮ）のデータリンクグループの第２のデバイスにおいて、データリンクグループに対応するまたはＮＡＮに対応する特定の時間期間の間に特定のサービスに対応する第１のデバイスが利用可能であるかどうかの指示を含むメッセージを受信するための手段を含む。たとえば、受信するための手段は、図１の第２のデバイス１０６、加入者論理１３４、図２５の命令２５６８、ワイヤレスインターフェース２５４０、加入者論理１３４を実行するようにプログラムされたプロセッサ２５１０、メッセージを受信するための１つまたは複数の他のデバイス、回路、モジュール、もしくは命令、またはこれらの任意の組合せを含み得る。
【０３１９】
[0343]第６の装置はまた、第１のデバイスがその特定の時間期間の間に利用不可能であると決定したことに応答して、その特定の時間期間に対応する１つまたは複数の送信ウィンドウの間に低電力動作モードに遷移するための手段を含む。たとえば、遷移するための手段は、図１の第２のデバイス１０６、加入者論理１３４、図２５の命令２５６８、加入者論理１３４を実行するようにプログラムされたプロセッサ２５１０、低電力動作モードに遷移するための１つまたは複数の他のデバイス、回路、モジュール、もしくは命令、またはこれらの任意の組合せを含み得る。
【０３２０】
[0344]開示された態様の１つまたは複数は、通信デバイス、携帯情報端末（ＰＤＡ）、携帯電話、セルラー電話、コンピュータ化された腕時計、ナビゲーションデバイス、コンピュータ、ポータブルコンピュータ、デスクトップコンピュータ、またはそれらの任意の組合せを含み得るデバイス２５００などのシステムまたは装置において実装され得る。他の例として、デバイス２５００は、セットトップボックス、エンターテインメントユニット、固定位置データユニット、モバイル位置データユニット、モニタ、コンピュータモニタ、テレビジョン、チューナー、車両に内蔵される、もしくは車両に通信可能に結合されるシステムまたはコンポーネント、またはこれらの任意の組合せを含み得る。他の例として、デバイス２５００は、ラジオ、衛星ラジオ、音楽プレーヤ、デジタル音楽プレーヤ、ポータブル音楽プレーヤ、ビデオプレーヤ、デジタルビデオプレーヤ、デジタルビデオディスク（ＤＶＤ）プレーヤ、ポータブルデジタルビデオプレーヤ、データまたはコンピュータ命令を記憶するか、もしくは取り出す任意の他のデバイス、またはこれらの任意の組合せを含み得る。
【０３２１】
[0345]図１〜図２５の１つまたは複数は、本開示の教示によるシステム、装置、および／または方法を示し得るが、本開示は、これらの示されたシステム、装置、および／または方法に限定されない。本明細書で示され、または説明される図１〜図２５のいずれかの１つまたは複数の機能またはコンポーネントは、図１〜図２５の別の１つまたは複数の他の部分と組み合わされ得る。したがって、本明細書で説明されたいずれの単一の実装形態も限定するものとして解釈されるべきではなく、１つの図を参照して説明される本開示の実装形態は、本開示の教示から逸脱することなく他の図を参照して説明される実装形態と適切に組み合わされ得る。
【０３２２】
[0346]本明細書で開示された実装に関連して説明された様々な例示的な論理ブロック、構成、モジュール、回路、およびアルゴリズムステップは、電子ハードウェア、プロセッサによって実行されるコンピュータソフトウェア、または両方の組合せとして実装され得ることを当業者はさらに理解するであろう。様々な例示的なコンポーネント、ブロック、構成、モジュール、回路、およびステップは全般に、それらの機能に関して上で説明されている。そのような機能がハードウェアとして実装されるか、プロセッサ実行可能命令として実装されるかは、具体的な適用例および全体的なシステムに課された設計制約に依存する。当業者は、説明された機能を具体的な適用例ごとに様々な方法で実装し得るが、そのような実装決定は、本開示の範囲からの逸脱を生じさせるものと解釈されるべきではない。
【０３２３】
[0347]本明細書の開示に関して説明された方法またはアルゴリズムのステップは、直接ハードウェアで実装されるか、プロセッサによって実行されるソフトウェアモジュールで実装されるか、またはその２つの組合せで実装され得る。ソフトウェアモジュールは、ランダムアクセスメモリ（ＲＡＭ）、フラッシュメモリ、読取り専用メモリ（ＲＯＭ）、プログラマブル読取り専用メモリ（ＰＲＯＭ）、消去可能プログラマブル読取り専用メモリ（ＥＰＲＯＭ）、電気消去可能プログラマブル読取り専用メモリ（ＥＥＰＲＯＭ（登録商標））、レジスタ、ハードディスク、リムーバブルディスク、コンパクトディスク読取り専用メモリ（ＣＤ−ＲＯＭ）、または当技術分野で知られている任意の他の形態の非一時的（ｎｏｎ−ｔｒａｎｓｉｅｎｔ）（たとえば、非一時的（ｎｏｎ−ｔｒａｎｓｉｔｏｒｙ））記憶媒体中に存在し得る。例示的な記憶媒体は、プロセッサが記憶媒体から情報を読み取り、記憶媒体に情報を書き込むことができるように、プロセッサに結合される。代替的に、記憶媒体はプロセッサと一体であり得る。プロセッサおよび記憶媒体は特定用途向け集積回路（ＡＳＩＣ）中に存在し得る。ＡＳＩＣは、コンピューティングデバイスまたはユーザ端末中に存在し得る。代替的に、プロセッサおよび記憶媒体は、コンピューティングデバイスまたはユーザ端末内の個別のコンポーネントとして存在し得る。
【０３２４】
[0348]前の説明は、開示される実装形態を当業者が製作または使用することを可能にするために与えられる。これらの実装形態への様々な変更は当業者には容易に明らかになり、本明細書で定義された原理は本開示の範囲から逸脱することなく他の実装形態に適用され得る。したがって、本開示は、本明細書に示された実装形態に限定されるものではなく、以下の特許請求の範囲によって定義される原理および新規の特徴に一致する可能な最も広い範囲を与えられるべきである。
以下に本願の出願当初の特許請求の範囲に記載された発明を付記する。
［Ｃ１］
通信の方法であって、
第１のデバイスにおいて、近隣認識ネットワーク（ＮＡＮ）の通信の接続設定段階の間またはＮＡＮ発見ウィンドウの間に第２のデバイスから可用性情報を受信することと、ここにおいて、前記接続設定段階がデバイス能力情報の交換を含む、
前記第２のデバイスが前記第１のデバイスからデータを受信するために前記ＮＡＮのデータリンクグループの送信ウィンドウの間に利用可能であることを示す前記可用性情報に基づいて、前記第２のデバイスの可用性を決定するためのメッセージ交換を実行することなく前記送信ウィンドウの間に前記第１のデバイスから前記第２のデバイスにデータを送信することとを備える、方法。
［Ｃ２］
前記接続設定段階の間に前記第２のデバイスとの関連付けを実行することをさらに備える、Ｃ１に記載の方法。
［Ｃ３］
前記第２のデバイスが前記送信ウィンドウの間に利用可能であることを前記可用性情報が示さないと決定したことに応答して、前記第１のデバイスから前記第２のデバイスに前記データを送信する前に、前記第２のデバイスの前記可用性を決定するための前記メッセージ交換を実行することをさらに備える、Ｃ１に記載の方法。
［Ｃ４］
前記メッセージ交換がメッセージを前記第１のデバイスから前記第２のデバイスに送信することを含み、前記メッセージが、節電ポール（ＰＳ−ＰＯＬＬ）メッセージ、サービス品質（ＱｏＳ）ヌルメッセージ、アドホックトラフィック指示メッセージ（ＡＴＩＭ）フレーム、アクションフレーム、およびユニキャストメッセージのうちの少なくとも１つを含む、Ｃ３に記載の方法。
［Ｃ５］
前記メッセージ交換が、前記第１のデバイスにおいて、前記第２のデバイスからトリガフレームを受信することを含み、前記トリガフレームが、節電ポール（ＰＳ−ＰＯＬＬ）メッセージ、サービス品質（ＱｏＳ）ヌルフレーム、アドホックトラフィック指示メッセージ（ＡＴＩＭ）フレーム、およびアクションフレームのうちの少なくとも１つを含む、Ｃ３に記載の方法。
［Ｃ６］
ページングウィンドウの間にトラフィックインジケータを含むページングメッセージを送信することをさらに備え、前記トラフィックインジケータが、前記データを受信することを予定されているものとして前記第２のデバイスを特定する、Ｃ１に記載の方法。
［Ｃ７］
前記トラフィックインジケータが、トラフィック指示マップ（ＴＩＭ）、ブルームフィルタ、媒体アクセス制御（ＭＡＣ）アドレスのリスト、部分ＭＡＣアドレスのリスト、ＭＡＣアドレスのハッシュのリスト、およびアドホックトラフィック指示メッセージ（ＡＴＩＭ）フレームのうちの少なくとも１つを含む、Ｃ６に記載の方法。
［Ｃ８］
前記可用性情報が特定のフィールド値および特定のビット値のうちの少なくとも１つを含み、前記特定のフィールド値および前記特定のビット値のうちの前記少なくとも１つの値が、前記第２のデバイスが前記送信ウィンドウの間に利用可能であるかどうかを示す、Ｃ１に記載の方法。
［Ｃ９］
前記可用性情報が、複数のビットを有する特定のフィールドを含み、前記特定のフィールドの値が、前記第２のデバイスが前記データリンクグループに対応する各データウィンドウの間に利用可能であるかどうかを示す、Ｃ１に記載の方法。
［Ｃ１０］
プロセッサと、
前記プロセッサに結合されたメモリとを備え、前記メモリが、
近隣認識ネットワーク（ＮＡＮ）の通信の接続設定段階の間またはＮＡＮ発見ウィンドウの間にデバイスから可用性情報を受信することと、ここにおいて、前記接続設定段階がデバイス能力情報の交換を含む、
前記デバイスが前記ＮＡＮのデータリンクグループの送信ウィンドウの間に利用可能であることを示す前記可用性情報に基づいて、前記デバイスの可用性を決定するためのメッセージ交換を実行することなく前記送信ウィンドウの間に前記デバイスにデータを送信することと
を備える動作を実行するように前記プロセッサによって実行可能な命令を記憶する、装置。
［Ｃ１１］
前記動作がさらに、前記デバイスが前記送信ウィンドウの間に利用可能であることを前記可用性情報が示さないと決定したことに応答して、前記デバイスに前記データを送信する前に、前記デバイスの前記可用性を決定するための前記メッセージ交換を実行することを含む、Ｃ１０に記載の装置。
［Ｃ１２］
前記メッセージ交換がメッセージを前記デバイスに送信することを含み、前記メッセージが、ＰＳ−ＰＯＬＬメッセージ、ＱｏＳヌルメッセージ、ＡＴＩＭメッセージ、およびアクションフレームのうちの少なくとも１つを含む、Ｃ１１に記載の装置。
［Ｃ１３］
前記動作がさらに、ページングウィンドウの間にトラフィックインジケータを含むページングメッセージを送信することを備え、前記トラフィックインジケータが、前記データを受信することを予定されているものとして前記デバイスを特定する、Ｃ１０に記載の装置。
［Ｃ１４］
前記トラフィックインジケータが、トラフィック指示マップ（ＴＩＭ）、ブルームフィルタ、媒体アクセス制御（ＭＡＣ）アドレスのリスト、およびアドホックトラフィック指示メッセージ（ＡＴＩＭ）フレームのうちの少なくとも１つを含む、Ｃ１３に記載の装置。
［Ｃ１５］
前記可用性情報が特定のフィールド値または特定のビット値のうちの少なくとも１つを含み、前記特定のフィールド値および前記特定のビット値のうちの前記少なくとも１つの値が、前記デバイスが前記データリンクグループのデータウィンドウの間に利用可能であるかどうかを示す、Ｃ１０に記載の装置。
［Ｃ１６］
前記可用性情報が、複数のビットを有する特定のフィールドを含み、前記特定のフィールドの値が、前記デバイスが前記データリンクグループに対応する各データウィンドウの間に利用可能であるかどうかを示す、Ｃ１０に記載の装置。
［Ｃ１７］
通信の方法であって、
近隣認識ネットワーク（ＮＡＮ）の通信の接続設定段階の間またはＮＡＮ発見ウィンドウの間に第１のデバイスから第２のデバイスに可用性情報を送信することと、ここにおいて、前記接続設定段階がデバイス能力情報の交換を含み、前記可用性情報が前記ＮＡＮのデータリンクグループの送信ウィンドウの間の前記第１のデバイスの可用性を示す、
前記送信ウィンドウの間に前記第１のデバイスが利用可能であることを示す前記可用性情報に基づいて、前記第２のデバイスに可用性の指示を提供するためのメッセージ交換を実行することなく前記送信ウィンドウの間に前記第２のデバイスから前記第１のデバイスにおいてデータを受信することとを備える、方法。
［Ｃ１８］
前記第１のデバイスが前記送信ウィンドウの間に利用可能であることを前記可用性情報が示さないと決定したことに応答して、前記第２のデバイスからメッセージを受信したことに応答して前記第２のデバイスに可用性の前記指示を提供するための前記メッセージ交換を実行することをさらに備える、Ｃ１７に記載の方法。
［Ｃ１９］
前記メッセージが、ＰＳ−ＰＯＬＬメッセージ、ＱｏＳヌルメッセージ、ＡＴＩＭメッセージ、およびアクションフレームのうちの少なくとも１つを含む、Ｃ１８に記載の方法。
［Ｃ２０］
前記第１のデバイスにおいて、ページングウィンドウの間に前記第２のデバイスからページングメッセージを受信することをさらに備え、前記ページングメッセージが、前記データを受信することを予定されているものとして前記第１のデバイスを特定するトラフィックインジケータを含む、Ｃ１７に記載の方法。
［Ｃ２１］
前記接続設定段階の間に前記第２のデバイスとの関連付けを実行することをさらに備える、Ｃ１７に記載の方法。
［Ｃ２２］
前記第１のデバイスが前記接続設定段階の間に前記ＮＡＮの前記データリンクグループに参加し、前記データリンクグループが前記第２のデバイスと１つまたは複数の他のデバイスとを含む、Ｃ１７に記載の方法。
［Ｃ２３］
前記可用性情報が特定のフィールド値または特定のビット値のうちの少なくとも１つを含み、前記特定のフィールド値および前記特定のビット値のうちの前記少なくとも１つの値が、前記第１のデバイスが前記送信ウィンドウの間であるかどうかを示す、Ｃ１７に記載の方法。
［Ｃ２４］
プロセッサと、
前記プロセッサに結合されたメモリとを備え、前記メモリが、
近隣認識ネットワーク（ＮＡＮ）の通信の接続設定段階の間またはＮＡＮ発見ウィンドウの間にデバイスに可用性情報を送信することと、ここにおいて、前記接続設定段階がデバイス能力情報の交換を含み、前記可用性情報が前記ＮＡＮのデータリンクグループの送信ウィンドウの間の前記デバイスの可用性を示す、
前記送信ウィンドウの間に前記デバイスが利用可能であることを示す前記可用性情報に基づいて、前記デバイスに可用性の指示を提供するためのメッセージ交換を実行することなくデータウィンドウの間に前記デバイスからデータを受信することと
を備える動作を実行するように前記プロセッサによって実行可能な命令を記憶する、装置。
［Ｃ２５］
前記動作がさらに、前記デバイスが前記送信ウィンドウの間に利用可能であることを前記可用性情報が示さない場合、前記デバイスからメッセージを受信したことに応答して前記デバイスに可用性の前記指示を提供するための前記メッセージ交換を実行することを備える、Ｃ２４に記載の装置。
［Ｃ２６］
前記メッセージが、節電ポール（ＰＳ−ＰＯＬＬ）メッセージ、サービス品質（ＱｏＳ）ヌルメッセージ、アドホックトラフィック指示メッセージ（ＡＴＩＭ）フレーム、およびアクションフレームのうちの少なくとも１つを含む、Ｃ２５に記載の装置。
［Ｃ２７］
前記動作がさらに、ページングウィンドウの間に前記デバイスからページングメッセージを受信することを備え、前記ページングメッセージが、データを受信することを予定されているものとして前記デバイスを特定するトラフィックインジケータを含む、Ｃ２４に記載の装置。
［Ｃ２８］
前記トラフィックインジケータが、トラフィック指示マップ（ＴＩＭ）、ブルームフィルタ、媒体アクセス制御（ＭＡＣ）アドレスのリスト、およびアドホックトラフィック指示メッセージ（ＡＴＩＭ）フレームのうちの少なくとも１つを含む、Ｃ２７に記載の装置。
［Ｃ２９］
前記可用性情報が特定のフィールド値または特定のビット値のうちの少なくとも１つを含み、前記特定のフィールド値および前記特定のビット値のうちの前記少なくとも１つの値が、前記デバイスが前記送信ウィンドウの間に利用可能であるかどうかを示す、Ｃ２４に記載の装置。
［Ｃ３０］
前記可用性情報が、複数のビットを有する特定のフィールドを含み、前記特定のフィールドの値が、前記デバイスが前記データリンクグループに対応する各データウィンドウの間に利用可能であることを示す、Ｃ２４に記載の装置。
【図１】
0006275925.tif 000002
【図２】
0006275925.tif 000003
【図３】
0006275925.tif 000004
【図４】
0006275925.tif 000005
【図５】
0006275925.tif 000006
【図６】
0006275925.tif 000007
【図７】
0006275925.tif 000008
【図８】
0006275925.tif 000009
【図９】
0006275925.tif 000010
【図１０】
0006275925.tif 000011
【図１１】
0006275925.tif 000012
【図１２】
0006275925.tif 000013
【図１３】
0006275925.tif 000014
【図１４】
0006275925.tif 000015
【図１５】
0006275925.tif 000016
【図１６】
0006275925.tif 000017
【図１７】
0006275925.tif 000018
【図１８】
0006275925.tif 000019
【図１９】
0006275925.tif 000020
【図２０】
0006275925.tif 000021
【図２１】
0006275925.tif 000022
【図２２】
0006275925.tif 000023
【図２３】
0006275925.tif 000024
【図２４】
0006275925.tif 000025
【図２５】
0006275925.tif 000026